(57)【要約】  ビームフォーミング（ＢＦ）トレーニングのためのシステム、方法、およびデバイスが開示される。いくつかの例においては、受信機が、イニシエータデバイスのアンテナセクタをそれぞれが示すセクタスイープ（ＳＳＷ）トレーニングフレームをイニシエータデバイスから受信するように構成される。送信機が、イニシエータデバイスの最も良好に受信されたアンテナセクタを示すセクタスイープ（ＳＳＷ）トレーニングフレームをイニシエータデバイスへ送信するように構成される。受信機は、セクタスイープフィードバック（ＳＳＷ  ＦＢ）フレームをイニシエータデバイスから受信し、送信機は、イニシエータデバイスの最も良好に受信されたアンテナセクタに対応しないアンテナによってＳＳＷ  ＦＢフレームが最も良好に受信された場合には、ＳＳＷ  ＦＢフレームによって示されているアンテナセクタとは異なるイニシエータデバイスのアンテナセクタを示すセクタスイープ肯定応答（ＳＳＷ  ＡＣＫ）フレームをイニシエータデバイスへ送信する。
2020526971.tif 000002
【特許請求の範囲】
【請求項１】
ビームフォーミング（ＢＦ）トレーニングのために構成されている無線送受信ユニット（ＷＴＲＵ）であって、
イニシエータデバイスの送信アンテナセクタをそれぞれが示すセクタスイープ（ＳＳＷ）トレーニングフレームを前記イニシエータデバイスから受信するように構成されている受信機と、
前記イニシエータデバイスの最も良好に受信された送信アンテナセクタを示すセクタスイープ（ＳＳＷ）トレーニングフレームを前記イニシエータデバイスへ送信するように構成されている送信機とを含み、
前記受信機は、前記ＷＴＲＵの最も良好に受信された送信アンテナセクタを示すセクタスイープフィードバック（ＳＳＷ  ＦＢ）フレームを前記イニシエータデバイスから受信するように構成されており、
前記送信機は、前記イニシエータデバイスの前記最も良好に受信された送信アンテナセクタに対応しないアンテナによって前記ＳＳＷ  ＦＢフレームが最も良好に受信されたという条件で、前記ＳＳＷ  ＦＢフレームによって示されている前記送信アンテナセクタとは異なる前記イニシエータデバイスの送信アンテナセクタを示すセクタスイープ肯定応答（ＳＳＷ  ＡＣＫ）フレームを前記イニシエータデバイスへ送信するように構成されており、
前記送信機は、前記イニシエータデバイスの前記最も良好に受信された送信アンテナセクタに対応するアンテナによって前記ＳＳＷ  ＦＢフレームが最も良好に受信されたという条件で、前記ＳＳＷ  ＦＢフレームによって示されている前記送信アンテナセクタと同じである前記イニシエータデバイスの送信アンテナセクタを示すＳＳＷ  ＡＣＫフレームを前記イニシエータデバイスへ送信するようにさらに構成されている、ＷＴＲＵ。
【請求項２】
前記ＷＴＲＵはレスポンダデバイスを含む、請求項１のＷＴＲＵ。
【請求項３】
前記ＷＴＲＵはワイヤレスステーション（ＳＴＡ）を含む、請求項１のＷＴＲＵ。
【請求項４】
前記イニシエータデバイスは無線アクセスポイント（ＡＰ）を含む、請求項１のＷＴＲＵ。
【請求項５】
前記ＳＳＷ  ＦＢフレームはショートＳＳＷ  ＦＢフレームを含む、請求項１のＷＴＲＵ。
【請求項６】
ビームフォーミング（ＢＦ）トレーニングのための方法であって、
イニシエータデバイスの送信アンテナセクタをそれぞれが示すセクタスイープ（ＳＳＷ）トレーニングフレームを前記イニシエータデバイスから受信するステップと、
前記イニシエータデバイスの最も良好に受信された送信アンテナセクタを示すセクタスイープ（ＳＳＷ）トレーニングフレームを前記イニシエータデバイスへ送信するステップと、
前記ＷＴＲＵの最も良好に受信された送信アンテナセクタを示すセクタスイープフィードバック（ＳＳＷ  ＦＢ）フレームを前記イニシエータデバイスから受信するステップと、
前記イニシエータデバイスの前記最も良好に受信された送信アンテナセクタに対応しないアンテナによって前記ＳＳＷ  ＦＢフレームが最も良好に受信されたという条件で、前記ＳＳＷ  ＦＢフレームによって示されている前記送信アンテナセクタとは異なる前記イニシエータデバイスの送信アンテナセクタを示すセクタスイープ肯定応答（ＳＳＷ  ＡＣＫ）フレームを前記イニシエータデバイスへ送信するステップと、
前記イニシエータデバイスの前記最も良好に受信された送信アンテナセクタに対応するアンテナによって前記ＳＳＷ  ＦＢフレームが最も良好に受信されたという条件で、前記ＳＳＷ  ＦＢフレームによって示されている前記送信アンテナセクタと同じである前記イニシエータデバイスの送信アンテナセクタを示すセクタスイープ肯定応答（ＳＳＷ  ＡＣＫ）フレームを前記イニシエータデバイスへ送信するステップと
を含む方法。
【請求項７】
前記ＷＴＲＵはレスポンダデバイスを含む、請求項６の方法。
【請求項８】
前記ＷＴＲＵはワイヤレスステーション（ＳＴＡ）を含む、請求項６の方法。
【請求項９】
前記イニシエータデバイスは無線アクセスポイント（ＡＰ）を含む、請求項６の方法。
【請求項１０】
前記ＳＳＷ  ＦＢフレームはショートＳＳＷ  ＦＢフレームを含む、請求項６の方法。
【請求項１１】
ビームフォーミング（ＢＦ）トレーニングのために構成されている無線送受信ユニット（ＷＴＲＵ）であって、
前記ＷＴＲＵの送信アンテナセクタをそれぞれが示すセクタスイープ（ＳＳＷ）トレーニングフレームをレスポンダデバイスへ送信するように構成されている送信機と、
前記ＷＴＲＵの最も良好に受信された送信アンテナセクタを示すセクタスイープ（ＳＳＷ）トレーニングフレームを前記レスポンダデバイスから受信するように構成されている受信機とを含み、
前記送信機は、前記レスポンダデバイスの最も良好に受信された送信アンテナセクタを示すセクタスイープフィードバック（ＳＳＷ  ＦＢ）フレームを前記レスポンダデバイスへ送信するように構成されており、
前記受信機は、前記ＷＴＲＵの前記最も良好に受信された送信アンテナセクタに対応しない前記レスポンダデバイスのアンテナによって前記ＳＳＷ  ＦＢフレームが最も良好に受信されたという条件で、前記ＳＳＷ  ＦＢフレームによって示されている前記送信アンテナセクタとは異なる前記ＷＴＲＵの送信アンテナセクタを示すセクタスイープ肯定応答（ＳＳＷ  ＡＣＫ）フレームを前記レスポンダデバイスから受信するように構成されており、
前記受信機は、前記ＷＴＲＵの前記最も良好に受信された送信アンテナセクタに対応する前記レスポンダデバイスのアンテナによって前記ＳＳＷ  ＦＢフレームが最も良好に受信されたという条件で、前記ＳＳＷ  ＦＢフレームによって示されている前記送信アンテナセクタと同じである前記ＷＴＲＵの送信アンテナセクタを示すＳＳＷ  ＡＣＫフレームを前記レスポンダデバイスから受信するようにさらに構成されている、ＷＴＲＵ。
【請求項１２】
前記ＷＴＲＵはイニシエータデバイスを含む、請求項１１のＷＴＲＵ。
【請求項１３】
前記レスポンダはワイヤレスステーション（ＳＴＡ）を含む、請求項１１のＷＴＲＵ。
【請求項１４】
前記ＷＴＲＵは無線アクセスポイント（ＡＰ）を含む、請求項１１のＷＴＲＵ。
【請求項１５】
前記ＳＳＷ  ＦＢフレームはショートＳＳＷ  ＦＢフレームを含む、請求項１１のＷＴＲＵ。
【請求項１６】
ビームフォーミング（ＢＦ）トレーニングのための方法であって、
前記ＷＴＲＵの送信アンテナセクタをそれぞれが示すセクタスイープ（ＳＳＷ）トレーニングフレームをレスポンダデバイスへ送信するステップと、
前記ＷＴＲＵの最も良好に受信された送信アンテナセクタを示すセクタスイープ（ＳＳＷ）トレーニングフレームを前記レスポンダデバイスから受信するステップと、
前記レスポンダデバイスの最も良好に受信された送信アンテナセクタを示すセクタスイープフィードバック（ＳＳＷ  ＦＢ）フレームを前記レスポンダデバイスへ送信するステップと、
前記ＷＴＲＵの前記最も良好に受信された送信アンテナセクタに対応しない前記レスポンダデバイスのアンテナによって前記ＳＳＷ  ＦＢフレームが最も良好に受信されたという条件で、前記ＳＳＷ  ＦＢフレームによって示されている前記送信アンテナセクタとは異なる前記ＷＴＲＵの送信アンテナセクタを示すセクタスイープ肯定応答（ＳＳＷ  ＡＣＫ）フレームを前記レスポンダデバイスから受信するステップと、
前記ＷＴＲＵの前記最も良好に受信された送信アンテナセクタに対応する前記レスポンダデバイスのアンテナによって前記ＳＳＷ  ＦＢフレームが最も良好に受信されたという条件で、前記ＳＳＷ  ＦＢフレームによって示されている前記送信アンテナセクタと同じである前記ＷＴＲＵの送信アンテナセクタを示すＳＳＷ  ＡＣＫフレームを前記レスポンダデバイスから受信するステップと
を含む方法。
【請求項１７】
前記ＷＴＲＵはイニシエータデバイスを含む、請求項１６の方法。
【請求項１８】
前記レスポンダはワイヤレスステーション（ＳＴＡ）を含む、請求項１６の方法。
【請求項１９】
前記ＷＴＲＵは無線アクセスポイント（ＡＰ）を含む、請求項１６の方法。
【請求項２０】
前記ＳＳＷ  ＦＢフレームはショートＳＳＷ  ＦＢフレームを含む、請求項１６の方法。
【発明の詳細な説明】
【背景技術】
【０００１】
ビームリファインメントは、ワイヤレスステーション（ＳＴＡ）が送信および／または受信のための自分のアンテナ構成（例えば、アンテナウェイトベクトル）を改善することが可能であるプロセスである。
【発明の概要】
【０００２】
ビームフォーミング（ＢＦ）トレーニングのためのシステム、方法、およびデバイスが開示される。いくつかの例においては、受信機が、イニシエータデバイスのアンテナセクタをそれぞれが示すセクタスイープ（ＳＳＷ）トレーニングフレームをイニシエータデバイスから受信するように構成されている。送信機が、イニシエータデバイスの最も良好に受信されたアンテナセクタを示すセクタスイープ（ＳＳＷ）トレーニングフレームをイニシエータデバイスへ送信するように構成されている。受信機は、セクタスイープフィードバック（ＳＳＷ  ＦＢ）フレームをイニシエータデバイスから受信し、送信機は、イニシエータデバイスの最も良好に受信されたアンテナセクタに対応しないアンテナによってＳＳＷ  ＦＢフレームが最も良好に受信された場合には、ＳＳＷ  ＦＢフレームによって示されているアンテナセクタとは異なるイニシエータデバイスのアンテナセクタを示すセクタスイープ肯定応答（ＳＳＷ  ＡＣＫ）フレームをイニシエータデバイスへ送信する。
【図面の簡単な説明】
【０００３】
例として添付図面とともに与えられる以降の説明から、より詳細な理解が得られる。
【図１Ａ】１つまたは複数の開示されている実施形態が実施されることが可能である例示的な通信システムを示すシステム図である。
【図１Ｂ】実施形態による、図１Ａにおいて示されている通信システム内で使用されることが可能である例示的な無線送受信ユニット（ＷＴＲＵ）を示すシステム図である。
【図１Ｃ】実施形態による、図１Ａにおいて示されている通信システム内で使用されることが可能である例示的な無線アクセスネットワーク（ＲＡＮ）および例示的なコアネットワーク（ＣＮ）を示すシステム図である。
【図１Ｄ】実施形態による、図１Ａにおいて示されている通信システム内で使用されることが可能であるさらなる例示的なＲＡＮおよびさらなる例示的なＣＮを示すシステム図である。
【図２】例示的な米国電気電子技術者協会（ＩＥＥＥ）８０２．１１ａｄビーコンインターバルを示す信号図である。
【図３】例示的なセクタレベルスイープ（ＳＬＳ）トレーニング手順を示す信号図である。
【図４】オクテットによる例示的なセクタスイープ（ＳＳＷ）フレームフォーマットを示すビットマップである。
【図５】ビットによるＳＳＷフレームの例示的なＳＳＷフィールドを示すビットマップである。
【図６】ビットによるＳＳＷフレームの例示的なＳＳＷフィードバックフィールドを示すビットマップであり、この場合、ＳＳＷフレームは、イニシャルセクタスイープ（ＩＳＳ）の一部として送信される。
【図７】ビットによるＳＳＷフレームの例示的なＳＳＷフィードバックフィールドを示すビットマップであり、この場合、ＳＳＷフレームは、ＩＳＳの一部として送信されない。
【図８】自動利得制御（ＡＧＣ）フィールドと送信機または受信機トレーニングフィールドとを含むトレーニングフィールドによって後続される指向性マルチギガビット（ＤＭＧ）物理レイヤコンバージェンス手順（ＰＬＣＰ）プロトコルデータユニット（ＰＰＤＵ）を示すブロック図である。
【図９】シングルユーザＭＩＭＯ（ＳＵ−ＭＩＭＯ）ＢＦトレーニング手順におけるＳＩＳＯフェーズを示す信号図である。
【図１０】例示的なビームフォーミング（ＢＦ）制御フィールドフォーマットを示すビットマップである。
【図１１】例示的な制御トレーラフィールドを示す表である。
【図１２】例示的な指向性マルチギガビット（ＤＭＧ）ビームリファインメント要素を示すビットマップである。
【図１３】完全なＣＳＩ情報フィードバックを伴う例示的なＭＩＭＯトレーニング手順を示す信号図である。
【図１４】セカンダリーチャネル上での例示的なセクタレベルスイープ（ＳＬＳ）手順を示す信号図である。
【図１５】例示的なセクタスイープフィードバックフィールドを示すビットマップである。
【図１６】ビームフォーミングトレーニング割り当てにおける非対称リンクに関するビームフォーミングトレーニングを示す信号図である。
【図１７】例示的なデータフレームを示すビットマップである。
【図１８】指向性マルチギガビット（ＤＭＧ）物理レイヤコンバージェンス手順（ＰＬＣＰ）プロトコルデータユニット（ＰＰＤＵ）内で送信されるフレームに関する例示的な制御フィールドを示すビットマップである。
【図１９】例示的なＤＭＧ媒体アクセス制御パケットデータユニット（ＭＰＤＵ）デリミタを示すビットマップである。
【図２０】デリミタを使用して実現される例示的な節減を示す信号図である。
【図２１Ａ】例示的な修正されたＢＰＲ  ＴＸＳＳ手順を示す信号図である。
【図２１Ｂ】例示的な修正されたＢＰＲ  ＴＸＳＳ手順を示す信号図である。
【図２２】例示的なショートＳＳＷパケットフォーマットを示すビットマップである。
【図２３】例示的なＢＲＰ要求フィールドフォーマットを示すビットマップである。
【図２４】複数の送信アンテナおよび受信アンテナを使用するＳＬＳに関する例示的な手順に関する例示的なフレームのやり取りを示す信号図である。
【図２５】ＢＦトレーニングにおける受信機によって決定される並列ＲＸに関する例示的な手順を示す信号図である。
【図２６】ＢＦトレーニングにおけるイニシエータによって決定される並列ＲＸに関する例示的な手順を示す信号図である。
【図２７】ＢＦトレーニングにおけるイニシエータによって決定される並列ＲＸに関する例示的な手順を示す信号図である。
【図２８】拡張能力フィールドに関する例示的な修正された能力識別を示す表である。
【図２９】例示的なＭＩＭＯ能力フィールドまたはマルチＢＦ能力フィールドを示すビットマップである。
【図３０】例示的な修正されたＢＦ制御フィールドを示すビットマップである。
【図３１】拡張スケジュール要素に関する例示的な修正されたＢＦ制御フィールドフォーマットを示すビットマップである。
【図３２】受信アンテナ表示を伴う例示的なＳＬＳ手順を示す信号図である。
【図３３】受信アンテナ表示を伴う別の例示的なＳＬＳ手順を示す信号図である。
【発明を実施するための形態】
【０００４】
図１Ａは、１つまたは複数の開示されている実施形態が実施されることが可能である例示的な通信システム１００を示す図である。通信システム１００は、コンテンツ、例えば、音声、データ、ビデオ、メッセージング、放送などを複数の無線ユーザに提供する多重アクセスシステムであることが可能である。通信システム１００は、複数の無線ユーザが、無線帯域幅を含むシステムリソースの共有を通じてそのようなコンテンツにアクセスすることを可能にすることができる。例えば、通信システム１００は、１つまたは複数のチャネルアクセス方法、例えば、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ−Ｓｐｒｅａｄ  ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロックフィルタードＯＦＤＭ、フィルタバンクマルチキャリア（ＦＢＭＣ）などを採用することが可能である。
【０００５】
図１Ａにおいて示されているように、通信システム１００は、無線送受信ユニット（ＷＴＲＵ）１０２ａ、１０２ｂ、１０２ｃ、１０２ｄ、ＲＡＮ１０４／１１３、ＣＮ１０６／１１５、公衆交換電話ネットワーク（ＰＳＴＮ）１０８、インターネット１１０、およびその他のネットワーク１１２を含むことが可能であるが、開示されている実施形態は、任意の数のＷＴＲＵ、基地局、ネットワーク、および／またはネットワーク要素を想定しているということが理解されるであろう。ＷＴＲＵ１０２ａ、１０２ｂ、１０２ｃ、１０２ｄのそれぞれは、無線環境において動作および／または通信するように構成されている任意のタイプのデバイスであることが可能である。例えば、ＷＴＲＵ１０２ａ、１０２ｂ、１０２ｃ、１０２ｄ（これらのいずれも、「ステーション」および／または「ＳＴＡ」と呼ばれることが可能である）は、無線信号を送信および／または受信するように構成されることが可能であり、ユーザ機器（ＵＥ）、移動局、固定式または移動式のサブスクライバーユニット、サブスクリプションベースのユニット、ページャー、セルラー電話、携帯情報端末（ＰＤＡ）、スマートフォン、ラップトップ、ネットブック、パーソナルコンピュータ、無線センサ、ホットスポットまたはＭｉ−Ｆｉデバイス、インターネットオブシングス（ＩｏＴ）デバイス、腕時計またはその他のウェアラブル、ヘッドマウントディスプレイ（ＨＭＤ）、乗り物、ドローン、医療デバイスおよびアプリケーション（例えば、遠隔手術）、工業デバイスおよびアプリケーション（例えば、工業および／または自動化された処理チェーンのコンテキストにおいて動作するロボットおよび／またはその他の無線デバイス）、家庭用電子機器、商業および／または工業無線ネットワーク上で動作するデバイスなどを含むことが可能である。ＷＴＲＵ１０２ａ、１０２ｂ、１０２ｃ、および１０２ｄのいずれも、ＵＥと言い換え可能に呼ばれることが可能である。
【０００６】
通信システム１００は、基地局１１４ａおよび／または基地局１１４ｂを含むことも可能である。基地局１１４ａ、１１４ｂのそれぞれは、１つまたは複数の通信ネットワーク、例えば、ＣＮ１０６／１１５、インターネット１１０、および／またはその他のネットワーク１１２へのアクセスを容易にするために、ＷＴＲＵ１０２ａ、１０２ｂ、１０２ｃ、１０２ｄのうちの少なくとも１つとワイヤレスにインターフェース接続するように構成されている任意のタイプのデバイスであることが可能である。例えば、基地局１１４ａ、１１４ｂは、ベーストランシーバステーション（ＢＴＳ）、Ｎｏｄｅ−Ｂ、ｅＮｏｄｅ  Ｂ、ホームＮｏｄｅ  Ｂ、ホームｅＮｏｄｅ  Ｂ、ｇＮＢ、ＮＲ  ＮｏｄｅＢ、サイトコントローラ、アクセスポイント（ＡＰ）、無線ルータなどであることが可能である。基地局１１４ａ、１１４ｂは、それぞれ単一の要素として示されているが、基地局１１４ａ、１１４ｂは、任意の数の相互接続された基地局および／またはネットワーク要素を含むことが可能であるということが理解されるであろう。
【０００７】
基地局１１４ａは、ＲＡＮ１０４／１１３の一部であることが可能であり、ＲＡＮ１０４／１１３は、その他の基地局および／またはネットワーク要素（図示せず）、例えば、基地局コントローラ（ＢＳＣ）、無線ネットワークコントローラ（ＲＮＣ）、中継ノードなどを含むことも可能である。基地局１１４ａおよび／または基地局１１４ｂは、１つまたは複数のキャリア周波数上で無線信号を送信および／または受信するように構成されることが可能であり、それらのキャリア周波数は、セル（図示せず）と呼ばれることが可能である。これらの周波数は、ライセンス供与されているスペクトル、ライセンス供与されていないスペクトル、またはライセンス供与されているスペクトルと、ライセンス供与されていないスペクトルとの組合せであることが可能である。セルは、比較的固定されることが可能である、または時間とともに変わることが可能である特定の地理的エリアへの無線サービスのためのカバレッジを提供することが可能である。セルは、セルセクタへとさらに分割されることが可能である。例えば、基地局１１４ａに関連付けられているセルは、３つのセクタへと分割されることが可能である。したがって一実施形態においては、基地局１１４ａは、３つのトランシーバ、すなわち、セルのそれぞれのセクタごとに１つのトランシーバを含むことが可能である。実施形態においては、基地局１１４ａは、多入力多出力（ＭＩＭＯ）テクノロジーを採用することが可能であり、セルのそれぞれのセクタごとに複数のトランシーバを利用することが可能である。例えば、所望の空間方向において信号を送信および／または受信するためにビームフォーミングが使用されることが可能である。
【０００８】
基地局１１４ａ、１１４ｂは、エアインターフェース１１６を介してＷＴＲＵ１０２ａ、１０２ｂ、１０２ｃ、１０２ｄのうちの１つまたは複数と通信することが可能であり、エアインターフェース１１６は、任意の適切な無線通信リンク（例えば、無線周波数（ＲＦ）、マイクロ波、センチメートル波、マイクロメートル波、赤外線（ＩＲ）、紫外線（ＵＶ）、可視光など）であることが可能である。エアインターフェース１１６は、任意の適切な無線アクセステクノロジー（ＲＡＴ）を使用して確立されることが可能である。
【０００９】
より具体的には、上述されているように、通信システム１００は、マルチプルアクセスシステムであることが可能であり、１つまたは複数のチャネルアクセススキーム、例えば、ＣＤＭＡ、ＴＤＭＡ、ＦＤＭＡ、ＯＦＤＭＡ、ＳＣ−ＦＤＭＡなどを採用することが可能である。例えば、ＲＡＮ１０４／１１３における基地局１１４ａ、およびＷＴＲＵ１０２ａ、１０２ｂ、１０２ｃは、ユニバーサルモバイルテレコミュニケーションズシステム（ＵＭＴＳ）テレストリアルラジオアクセス（ＵＴＲＡ）などの無線テクノロジーを実施することが可能であり、この無線テクノロジーは、ワイドバンドＣＤＭＡ（ＷＣＤＭＡ（登録商標））を使用してエアインターフェース１１５／１１６／１１７を確立することが可能である。ＷＣＤＭＡは、ハイスピードパケットアクセス（ＨＳＰＡ）および／またはエボルブドＨＳＰＡ（ＨＳＰＡ＋）などの通信プロトコルを含むことが可能である。ＨＳＰＡは、ハイスピードダウンリンク（ＤＬ）パケットアクセス（ＨＳＤＰＡ）および／またはハイスピードＵＬパケットアクセス（ＨＳＵＰＡ）を含むことが可能である。
【００１０】
実施形態においては、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインターフェース１１６を確立することが可能であるエボルブドＵＭＴＳテレストリアルラジオアクセス（Ｅ−ＵＴＲＡ）などの無線テクノロジーを実施することが可能である。
【００１１】
実施形態においては、基地局１１４ａおよびＷＴＲＵ１０２ａ、１０２ｂ、１０２ｃは、新無線（ＮＲ）を使用してエアインターフェース１１６を確立することが可能であるＮＲ無線アクセスなどの無線テクノロジーを実施することが可能である。
【００１２】
実施形態においては、基地局１１４ａおよびＷＴＲＵ１０２ａ、１０２ｂ、１０２ｃは、複数の無線アクセステクノロジーを実施することが可能である。例えば、基地局１１４ａおよびＷＴＲＵ１０２ａ、１０２ｂ、１０２ｃは、例えばデュアル接続（ＤＣ）原理を使用して、ＬＴＥ無線アクセスおよびＮＲ無線アクセスをともに実施することが可能である。したがって、ＷＴＲＵ１０２ａ、１０２ｂ、１０２ｃによって利用されるエアインターフェースは、複数のタイプの無線アクセステクノロジー、および／または複数のタイプの基地局（例えば、ｅＮＢおよびｇＮＢ）へ／から送られる送信によって特徴付けられることが可能である。
【００１３】
他の実施形態においては、基地局１１４ａおよびＷＴＲＵ１０２ａ、１０２ｂ、１０２ｃは、無線テクノロジー、例えば、ＩＥＥＥ８０２．１１（すなわち、ＷｉＦｉ（Wireless Fidelity）、ＩＥＥＥ８０２．１６（すなわち、ＷｉＭＡＸ（Worldwide Interoperability for Microwave Access））、ＣＤＭＡ２０００、ＣＤＭＡ２０００  １Ｘ、ＣＤＭＡ２０００ＥＶ−ＤＯ、暫定標準２０００（ＩＳ−２０００）、暫定標準９５（ＩＳ−９５）、暫定標準８５６（ＩＳ−８５６）、ＧＳＭ（Global System for Mobile Communications）（登録商標）、エンハンストデータレートフォーＧＳＭエボリューション（ＥＤＧＥ）、ＧＳＭ  ＥＤＧＥ（ＧＥＲＡＮ）などを実施することが可能である。
【００１４】
図１Ａにおける基地局１１４ｂは、例えば、無線ルータ、ホームＮｏｄｅ  Ｂ、ホームｅＮｏｄｅ  Ｂ、またはアクセスポイントであることが可能であり、局所的なエリア、例えば、事業所、家庭、乗り物、キャンパス、工業施設、空中回廊（例えば、ドローンによる使用のための）、車道などにおける無線接続を容易にするために、任意の適切なＲＡＴを利用することが可能である。一実施形態においては、基地局１１４ｂおよびＷＴＲＵ１０２ｃ、１０２ｄは、無線ローカルエリアネットワーク（ＷＬＡＮ）を確立するために、ＩＥＥＥ８０２．１１などの無線テクノロジーを実施することが可能である。実施形態においては、基地局１１４ｂおよびＷＴＲＵ１０２ｃ、１０２ｄは、無線パーソナルエリアネットワーク（ＷＰＡＮ）を確立するために、ＩＥＥＥ８０２．１５などの無線テクノロジーを実施することが可能である。さらに別の実施形態においては、基地局１１４ｂおよびＷＴＲＵ１０２ｃ、１０２ｄは、ピコセルまたはフェムトセルを確立するために、セルラーベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用することが可能である。図１Ａにおいて示されているように、基地局１１４ｂは、インターネット１１０への直接接続を有することが可能である。したがって基地局１１４ｂは、ＣＮ１０６／１１５を介してインターネット１１０にアクセスすることを求められないことが可能である。
【００１５】
ＲＡＮ１０４／１１３は、ＣＮ１０６／１１５と通信状態にあることが可能であり、ＣＮ１０６／１１５は、音声、データ、アプリケーション、および／またはボイスオーバーインターネットプロトコル（ＶｏＩＰ）サービスをＷＴＲＵ１０２ａ、１０２ｂ、１０２ｃ、１０２ｄのうちの１つまたは複数に提供するように構成されている任意のタイプのネットワークであることが可能である。データは、様々なサービス品質（ＱｏＳ）要件、例えば、別々のスループット要件、待ち時間要件、エラー許容範囲要件、信頼性要件、データスループット要件、モビリティー要件などを有することが可能である。ＣＮ１０６／１１５は、呼制御、料金請求サービス、モバイル位置情報サービス、プリペイドコーリング、インターネット接続、ビデオ配信などを提供すること、および／またはハイレベルセキュリティー機能、例えばユーザ認証を実行することが可能である。図１Ａにおいては示されていないが、ＲＡＮ１０４／１１３および／またはＣＮ１０６／１１５は、ＲＡＮ１０４／１１３と同じＲＡＴまたは異なるＲＡＴを採用しているその他のＲＡＮと直接または間接の通信状態にあることが可能であるということが理解されるであろう。例えば、ＣＮ１０６／１１５は、ＮＲ無線テクノロジーを利用していることが可能であるＲＡＮ１０４／１１３に接続されていることに加えて、ＧＳＭ、ＵＭＴＳ、ＣＤＭＡ２０００、ＷｉＭＡＸ、Ｅ−ＵＴＲＡ、またはＷｉＦｉ無線テクノロジーを採用している別のＲＡＮ（図示せず）と通信状態にあることも可能である。
【００１６】
ＣＮ１０６／１１５は、ＷＴＲＵ１０２ａ、１０２ｂ、１０２ｃ、１０２ｄがＰＳＴＮ１０８、インターネット１１０、および／またはその他のネットワーク１１２にアクセスするためのゲートウェイとしての役割を果たすことも可能である。ＰＳＴＮ１０８は、単純旧式電話サービス（ＰＯＴＳ）を提供する回線交換電話ネットワークを含むことが可能である。インターネット１１０は、一般的な通信プロトコル、例えば、ＴＣＰ／ＩＰインターネットプロトコルスイートにおけるＴＣＰ、ＵＤＰ、および／またはＩＰを使用する相互接続されたコンピュータネットワークおよびデバイスからなるグローバルシステムを含むことが可能である。ネットワーク１１２は、その他のサービスプロバイダによって所有および／または運営されている有線通信ネットワークおよび／または無線通信ネットワークを含むことが可能である。例えば、ネットワーク１１２は、ＲＡＮ１０４／１１３と同じＲＡＴまたは異なるＲＡＴを採用することが可能である１つまたは複数のＲＡＮに接続されている別のＣＮを含むことが可能である。
【００１７】
通信システム１００におけるＷＴＲＵ１０２ａ、１０２ｂ、１０２ｃ、１０２ｄのうちのいくつかまたは全ては、マルチモード機能を含むことが可能である（例えば、ＷＴＲＵ１０２ａ、１０２ｂ、１０２ｃ、１０２ｄは、別々の無線リンクを介して別々の無線ネットワークと通信するために複数のトランシーバを含むことが可能である）。例えば、図１Ａにおいて示されているＷＴＲＵ１０２ｃは、セルラーベースの無線テクノロジーを採用することが可能である基地局１１４ａと、およびＩＥＥＥ８０２無線テクノロジーを採用することが可能である基地局１１４ｂと通信するように構成されることが可能である。
【００１８】
図１Ｂは、例示的なＷＴＲＵ１０２を示すシステム図である。図１Ｂにおいて示されているように、ＷＴＲＵ１０２は、数ある中でも、プロセッサ１１８、トランシーバ１２０、送受信要素１２２、スピーカー／マイクロフォン１２４、キーパッド１２６、ディスプレイ／タッチパッド１２８、非リムーバブルメモリ１３０、リムーバブルメモリ１３２、電源１３４、ＧＰＳチップセット１３６、および／またはその他の周辺機器１３８を含むことが可能である。ＷＴＲＵ１０２は、実施形態との整合性を保持しながら、上述の要素同士の任意の下位組合せを含むことが可能であるということが理解されるであろう。
【００１９】
プロセッサ１１８は、汎用プロセッサ、専用プロセッサ、従来型プロセッサ、デジタルシグナルプロセッサ（ＤＳＰ）、複数のマイクロプロセッサ、ＤＳＰコアに関連付けられている１つもしくは複数のマイクロプロセッサ、コントローラ、マイクロコントローラ、ＡＳＩＣ、ＦＰＧＡ回路、その他の任意のタイプの集積回路（ＩＣ）、状態マシンなどであることが可能である。プロセッサ１１８は、信号符号化、データ処理、電力制御、入力／出力処理、および／または、ＷＴＲＵ１０２が無線環境において動作することを可能にするその他の任意の機能を実行することが可能である。プロセッサ１１８は、トランシーバ１２０に結合されることが可能であり、トランシーバ１２０は、送受信要素１２２に結合されることが可能である。図１Ｂは、プロセッサ１１８およびトランシーバ１２０を別々のコンポーネントとして示しているが、プロセッサ１１８およびトランシーバ１２０は、電子パッケージまたはチップにおいてともに統合されることが可能であるということが理解されるであろう。
【００２０】
送受信要素１２２は、エアインターフェース１１６を介して、基地局（例えば、基地局１１４ａ）に信号を送信するように、または基地局（例えば、基地局１１４ａ）から信号を受信するように構成されることが可能である。例えば、一実施形態においては、送受信要素１２２は、ＲＦ信号を送信および／または受信するように構成されているアンテナであることが可能である。実施形態においては、送受信要素１２２は、例えば、ＩＲ信号、ＵＶ信号、または可視光信号を送信および／または受信するように構成されているエミッタ／検知器であることが可能である。さらに別の実施形態においては、送受信要素１２２は、ＲＦ信号および光信号の両方を送信および／または受信するように構成されることが可能である。送受信要素１２２は、無線信号の任意の組合せを送信および／または受信するように構成されることが可能であるということが理解されるであろう。
【００２１】
送受信要素１２２は、図１Ｂにおいては単一の要素として示されているが、ＷＴＲＵ１０２は、任意の数の送受信要素１２２を含むことが可能である。より具体的には、ＷＴＲＵ１０２は、ＭＩＭＯ技術を採用することが可能である。したがって、一実施形態においては、ＷＴＲＵ１０２は、エアインターフェース１１６を介して無線信号を送信および受信するために、２つ以上の送受信要素１２２（例えば、複数のアンテナ）を含むことが可能である。
【００２２】
トランシーバ１２０は、送受信要素１２２によって送信されることになる信号を変調するように、および送受信要素１２２によって受信される信号を復調するように構成されることが可能である。上述されているように、ＷＴＲＵ１０２は、マルチモード機能を有することが可能である。したがってトランシーバ１２０は、ＷＴＲＵ１０２が、例えばＮＲおよびＩＥＥＥ８０２．１１などの複数のＲＡＴを介して通信することを可能にするために複数のトランシーバを含むことが可能である。
【００２３】
ＷＴＲＵ１０２のプロセッサ１１８は、スピーカー／マイクロフォン１２４、キーパッド１２６、および／またはディスプレイ／タッチパッド１２８（例えば、液晶ディスプレイ（ＬＣＤ）ディスプレイユニットもしくは有機発光ダイオード（ＯＬＥＤ）ディスプレイユニット）に結合されることが可能であり、そこからユーザ入力データを受信することが可能である。プロセッサ１１８は、ユーザデータをスピーカー／マイクロフォン１２４、キーパッド１２６、および／またはディスプレイ／タッチパッド１２８へ出力することも可能である。加えて、プロセッサ１１８は、任意のタイプの適切なメモリ、例えば、非リムーバブルメモリ１３０および／またはリムーバブルメモリ１３２からの情報にアクセスすること、およびそれらのメモリにデータを格納することが可能である。非リムーバブルメモリ１３０は、ＲＡＭ、ＲＯＭ、ハードディスク、またはその他の任意のタイプのメモリストレージデバイスを含むことが可能である。リムーバブルメモリ１３２は、ＳＩＭカード、メモリスティック、ＳＤメモリカードなどを含むことが可能である。その他の実施形態においては、プロセッサ１１８は、ＷＴＲＵ１０２上に物理的に配置されていない、例えば、サーバまたはホームコンピュータ（図示せず）上のメモリからの情報にアクセスすること、およびそのメモリにデータを格納することが可能である。
【００２４】
プロセッサ１１８は、電源１３４から電力を受け取ることが可能であり、ＷＴＲＵ１０２におけるその他のコンポーネントへの電力を分配および／または制御するように構成されることが可能である。電源１３４は、ＷＴＲＵ１０２に電力供給するための任意の適切なデバイスであることが可能である。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことが可能である。
【００２５】
プロセッサ１１８は、ＧＰＳチップセット１３６に結合されることも可能であり、ＧＰＳチップセット１３６は、ＷＴＲＵ１０２の現在の位置に関する位置情報（例えば、経度および緯度）を提供するように構成されることが可能である。ＷＴＲＵ１０２は、ＧＰＳチップセット１３６からの情報に加えて、またはその情報の代わりに、基地局（例えば、基地局１１４ａ、１１４ｂ）からエアインターフェース１１６を介して位置情報を受信すること、および／または２つ以上の近隣の基地局から受信されている信号のタイミングに基づいてその位置を決定することが可能である。ＷＴＲＵ１０２は、実施形態との整合性を保持しながら、任意の適切な位置決定方法を通じて位置情報を取得することが可能であるということが理解されるであろう。
【００２６】
プロセッサ１１８は、その他の周辺機器１３８にさらに結合されることが可能であり、その他の周辺機器１３８は、さらなる特徴、機能性、および／または有線接続もしくは無線接続を提供する１つまたは複数のソフトウェアモジュールおよび／またはハードウェアモジュールを含むことが可能である。例えば、周辺機器１３８は、加速度計、ｅコンパス、衛星トランシーバ、デジタルカメラ（写真および／またはビデオ用）、ＵＳＢポート、振動デバイス、テレビジョントランシーバ、ハンドフリーヘッドセット、Ｂｌｕｅｔｏｏｔｈ（登録商標）モジュール、周波数変調（ＦＭ）ラジオユニット、デジタルミュージックプレーヤ、メディアプレーヤ、ビデオゲームプレーヤモジュール、インターネットブラウザ、仮想現実および／または拡張現実（ＶＲ／ＡＲ）デバイス、アクティビティートラッカーなどを含むことが可能である。周辺機器１３８は、１つまたは複数のセンサを含むことが可能であり、それらのセンサは、ジャイロスコープ、加速度計、ホール効果センサ、磁力計、方位センサ、プロキシミティーセンサ、温度センサ、時間センサ、ジオロケーションセンサ、高度計、光センサ、タッチセンサ、磁力計、バロメータ、ジェスチャーセンサ、バイオメトリックセンサ、および／または湿度センサのうちの１つまたは複数であることが可能である。
【００２７】
ＷＴＲＵ１０２は、（例えば、ＵＬ（例えば、送信用）およびダウンリンク（例えば、受信用）の両方に関して特定のサブフレームに関連付けられている）信号のうちのいくつかまたは全ての送信および受信が並列および／または同時であることが可能である全二重無線を含むことが可能である。全二重無線は、ハードウェア（例えば、チョーク）、またはプロセッサを介した（例えば、別個のプロセッサ（図示せず）もしくはプロセッサ１１８を介した）信号処理を介して自己干渉を減らすおよび／または実質的になくすための干渉管理ユニット１３９を含むことが可能である。実施形態において、ＷＴＲＵ１０２は、（例えば、（例えば、送信のための）ＵＬかまたは（例えば、受信のための）ダウンリンクかのどちらかに関して特定のサブフレームに関連する）信号の一部または全ての送信および受信が並列に発生および／または同時に発生し得ない半二重無線を含み得る。
【００２８】
図１Ｃは、実施形態によるＲＡＮ１０４およびＣＮ１０６を示すシステム図である。上述されているように、ＲＡＮ１０４は、エアインターフェース１１６を介してＷＴＲＵ１０２ａ、１０２ｂ、１０２ｃと通信するためにＥ−ＵＴＲＡ無線テクノロジーを採用することが可能である。ＲＡＮ１０４は、ＣＮ１０６と通信状態にあることも可能である。
【００２９】
ＲＡＮ１０４は、ｅＮｏｄｅ−Ｂ１６０ａ、１６０ｂ、１６０ｃを含むことが可能であるが、ＲＡＮ１０４は、実施形態との整合性を保持しながら、任意の数のｅＮｏｄｅ−Ｂを含むことが可能であるということが理解されるであろう。ｅＮｏｄｅ−Ｂ１６０ａ、１６０ｂ、１６０ｃはそれぞれ、エアインターフェース１１６を介してＷＴＲＵ１０２ａ、１０２ｂ、１０２ｃと通信するために１つまたは複数のトランシーバを含むことが可能である。一実施形態においては、ｅＮｏｄｅ−Ｂ１６０ａ、１６０ｂ、１６０ｃは、ＭＩＭＯ技術を実施することが可能である。したがってｅＮｏｄｅ−Ｂ１６０ａは、例えば、ＷＴＲＵ１０２ａに無線信号を送信するために、および／またはＷＴＲＵ１０２ａから無線信号を受信するために、複数のアンテナを使用することが可能である。
【００３０】
ｅＮｏｄｅ−Ｂ１６０ａ、１６０ｂ、１６０ｃのそれぞれは、特定のセル（図示せず）に関連付けられることが可能であり、無線リソース管理の決定、ハンドオーバーの決定、ＵＬおよび／またはＤＬにおけるユーザのスケジューリングなどを取り扱うように構成されることが可能である。図１Ｃにて示されているように、ｅＮｏｄｅ−Ｂ１６０ａ、１６０ｂ、１６０ｃは、Ｘ２インターフェースを介して互いに通信することが可能である。
【００３１】
図１Ｃにおいて示されているＣＮ１０６は、モビリティー管理エンティティー（ＭＭＥ）１６２、サービングゲートウェイ（ＳＧＷ）１６４、およびパケットデータネットワーク（ＰＤＮ）ゲートウェイ（またはＰＧＷ）１６６を含むことが可能である。上述の要素のうちのそれぞれは、ＣＮ１０６の一部として示されているが、これらの要素のうちのいずれかが、ＣＮオペレータ以外のエンティティーによって所有および／または運営されることが可能であるということが理解されるであろう。
【００３２】
ＭＭＥ１６２は、Ｓ１インターフェースを介してＲＡＮ１０４におけるｅＮｏｄｅ−Ｂ１６２ａ、１６２ｂ、１６２ｃのそれぞれに接続されることが可能であり、制御ノードとしての役割を果たすことが可能である。例えば、ＭＭＥ１６２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃの最初の接続中に特定のサービングゲートウェイを選択することなどを担当することが可能である。ＭＭＥ１６２は、ＲＡＮ１０４と、ＧＳＭおよび／またはＷＣＤＭＡなどのその他の無線テクノロジーを採用しているその他のＲＡＮ（図示せず）との間における切り替えを行うための制御プレーン機能を提供することが可能である。
【００３３】
ＳＧＷ１６４は、Ｓ１インターフェースを介してＲＡＮ１０４におけるｅＮｏｄｅ  Ｂ１６０ａ、１６０ｂ、１６０ｃのそれぞれに接続されることが可能である。ＳＧＷ１６４は一般に、ユーザデータパケットをＷＴＲＵ１０２ａ、１０２ｂ、１０２ｃへ／ＷＴＲＵ１０２ａ、１０２ｂ、１０２ｃからルーティングおよび転送することが可能である。ＳＧＷ１６４は、その他の機能、例えば、ｅＮｏｄｅ  Ｂ間でのハンドオーバー中にユーザプレーンを固定すること、ＷＴＲＵ１０２ａ、１０２ｂ、１０２ｃにとってＤＬデータが利用可能である場合にページングをトリガーすること、ＷＴＲＵ１０２ａ、１０２ｂ、１０２ｃのコンテキストを管理および格納することなどを実行することが可能である。
【００３４】
ＳＧＷ１６４は、ＰＧＷ１６６に接続されることが可能であり、ＰＧＷ１６６は、ＷＴＲＵ１０２ａ、１０２ｂ、１０２ｃと、ＩＰ対応デバイスとの間における通信を容易にするために、インターネット１１０などのパケット交換ネットワークへのアクセスをＷＴＲＵ１０２ａ、１０２ｂ、１０２ｃに提供することが可能である。
【００３５】
ＣＮ１０６は、その他のネットワークとの通信を容易にすることが可能である。例えば、ＣＮ１０６は、ＷＴＲＵ１０２ａ、１０２ｂ、１０２ｃと、従来の地上通信線通信デバイスとの間における通信を容易にするために、ＰＳＴＮ１０８などの回線交換ネットワークへのアクセスをＷＴＲＵ１０２ａ、１０２ｂ、１０２ｃに提供することが可能である。例えば、ＣＮ１０６は、ＣＮ１０６とＰＳＴＮ１０８との間におけるインターフェースとしての役割を果たすＩＰゲートウェイ（例えば、ＩＰマルチメディアサブシステム（ＩＭＳ）サーバ）を含むことが可能であり、またはそうしたＩＰゲートウェイと通信することが可能である。加えて、ＣＮ１０６は、その他のネットワーク１１２へのアクセスをＷＴＲＵ１０２ａ、１０２ｂ、１０２ｃに提供することが可能であり、その他のネットワーク１１２は、その他のサービスプロバイダによって所有および／または運営されているその他の有線ネットワークおよび／または無線ネットワークを含むことが可能である。
【００３６】
ＷＴＲＵは、図１Ａ〜図１Ｄにおいては無線端末として記述されているが、特定の代表的な実施形態においては、そのような端末は、通信ネットワークとの有線通信インターフェースを（例えば、一時的にまたは永久に）使用することが可能であると想定される。
【００３７】
代表的な実施形態においては、その他のネットワーク１１２は、ＷＬＡＮであることが可能である。
【００３８】
インフラストラクチャーベーシックサービスセット（ＢＳＳ）モードにおけるＷＬＡＮは、ＢＳＳ用のアクセスポイント（ＡＰ）と、ＡＰに関連付けられている１つまたは複数のステーション（ＳＴＡ）とを有することが可能である。ＡＰは、ＢＳＳとの間で出入りするトラフィックを搬送する配信システム（ＤＳ）または別のタイプの有線／無線ネットワークへのアクセスまたはインターフェースを有することが可能である。ＢＳＳの外部から生じるＳＴＡへのトラフィックは、ＡＰを通じて着信することが可能であり、ＳＴＡへ配信されることが可能である。ＳＴＡからＢＳＳの外部の宛先へ生じるトラフィックは、ＡＰへ送られて、それぞれの宛先へ配信されることが可能である。ＢＳＳ内のＳＴＡ同士の間におけるトラフィックは、例えば、ソースＳＴＡがトラフィックをＡＰへ送ることが可能であり、ＡＰがそのトラフィックを宛先ＳＴＡへ配信することが可能である場合には、ＡＰを通じて送られることが可能である。ＢＳＳ内のＳＴＡ同士の間におけるトラフィックは、ピアツーピアトラフィックとみなされること、および／または呼ばれることが可能である。ピアツーピアトラフィックは、ダイレクトリンクセットアップ（ＤＬＳ）を用いてソースＳＴＡと宛先ＳＴＡとの間において（例えば、間において直接）送られることが可能である。特定の代表的な実施形態においては、ＤＬＳは、８０２．１１ｅ  ＤＬＳまたは８０２．１１ｚトンネルドＤＬＳ（ＴＤＬＳ）を使用することが可能である。独立ＢＳＳ（ＩＢＳＳ）モードを使用するＷＬＡＮは、ＡＰを有さないことが可能であり、ＩＢＳＳ内のまたはＩＢＳＳを使用するＳＴＡ（例えば、ＳＴＡのうちの全て）は、互いに直接通信することが可能である。通信のＩＢＳＳモードは、本明細書においては、時には通信の「アドホック」モードと呼ばれることが可能である。
【００３９】
オペレーションの８０２．１１ａｃインフラストラクチャーモードまたはオペレーションの同様のモードを使用する場合には、ＡＰは、プライマリーチャネルなどの固定されたチャネル上でビーコンを送信することが可能である。プライマリーチャネルは、固定された幅（例えば、２０ＭＨｚの幅の帯域幅）またはシグナリングを介した動的に設定される幅であることが可能である。プライマリーチャネルは、ＢＳＳの動作チャネルであることが可能であり、ＡＰとの接続を確立するためにＳＴＡによって使用されることが可能である。特定の代表的な実施形態においては、例えば８０２．１１システムにおいて、搬送波感知多重アクセス／衝突回避方式（ＣＳＭＡ／ＣＡ）が実施されることが可能である。ＣＳＭＡ／ＣＡに関しては、ＡＰを含むＳＴＡ（例えば、あらゆるＳＴＡ）は、プライマリーチャネルを感知することが可能である。特定のＳＴＡによってプライマリーチャネルが感知／検知され、および／またはビジーであると決定された場合には、その特定のＳＴＡは、引き下がることが可能である。１つのＳＴＡ（例えば、１つのステーションのみ）が、所与のＢＳＳにおいて任意の所与の時点で送信を行うことが可能である。
【００４０】
高スループット（ＨＴ）ＳＴＡは、例えば、プライマリー２０ＭＨｚチャネルと、隣り合っているまたは隣り合っていない２０ＭＨｚのチャネルとの組合せを介して、通信のために４０ＭＨｚの幅のチャネルを使用して、４０ＭＨｚの幅のチャネルを形成することが可能である。
【００４１】
超高スループット（ＶＨＴ）ＳＴＡは、２０ＭＨｚ、４０ＭＨｚ、８０ＭＨｚ、および／または１６０ＭＨｚの幅のチャネルをサポートすることが可能である。４０ＭＨｚのチャネル、および／または８０ＭＨｚのチャネルは、隣接している２０ＭＨｚのチャネル同士を組み合わせることによって形成されることが可能である。１６０ＭＨｚのチャネルは、８つの隣接している２０ＭＨｚのチャネルを組み合わせることによって、または２つの隣接していない８０ＭＨｚのチャネルを組み合わせること（これは、８０＋８０構成と呼ばれることが可能である）によって形成されることが可能である。８０＋８０構成に関しては、データは、チャネルエンコーディングの後に、セグメントパーサに通されることが可能であり、セグメントパーサは、そのデータを２つのストリームへと分割することが可能である。逆高速フーリエ変換（ＩＦＦＴ）処理、および時間ドメイン処理が、それぞれのストリーム上で別々に行われることが可能である。それらのストリームは、２つの８０ＭＨｚのチャネル上にマップされることが可能であり、データは、送信側ＳＴＡによって送信されることが可能である。受信側ＳＴＡの受信機においては、８０＋８０構成に関する上述のオペレーションは、逆にされることが可能であり、組み合わされたデータは、媒体アクセス制御（ＭＡＣ）へ送られることが可能である。
【００４２】
オペレーションのサブ１ＧＨｚモードが、８０２．１１ａｆおよび８０２．１１ａｈによってサポートされている。チャネル動作帯域幅、およびキャリアは、８０２．１１ａｆおよび８０２．１１ａｈにおいては、８０２．１１ｎおよび８０２．１１ａｃにおいて使用されるものに比べて低減される。８０２．１１ａｆは、ＴＶホワイトスペース（ＴＶＷＳ）スペクトルにおける５ＭＨｚ、１０ＭＨｚ、および２０ＭＨｚの帯域幅をサポートし、８０２．１１ａｈは、非ＴＶＷＳスペクトルを使用する１ＭＨｚ、２ＭＨｚ、４ＭＨｚ、８ＭＨｚ、および１６ＭＨｚの帯域幅をサポートする。代表的な実施形態によれば、８０２．１１ａｈは、マクロカバレッジエリアにおけるＭＴＣデバイスなど、メータタイプ制御／マシンタイプ通信をサポートすることが可能である。ＭＴＣデバイスは、特定の能力、例えば、特定のおよび／または限られた帯域幅に関するサポートを（例えば、それらに関するサポートのみを）含む限られた能力を有することが可能である。ＭＴＣデバイスは、（例えば、非常に長いバッテリー寿命を保持するために）しきい値を上回るバッテリー寿命を有するバッテリーを含むことが可能である。
【００４３】
複数のチャネル、およびチャネル帯域幅、例えば、８０２．１１ｎ、８０２．１１ａｃ、８０２．１１ａｆ、および８０２．１１ａｈをサポートすることが可能なＷＬＡＮシステムは、プライマリーチャネルとして指定されることが可能なチャネルを含む。プライマリーチャネルは、ＢＳＳにおける全てのＳＴＡによってサポートされている最大の共通動作帯域幅に等しい帯域幅を有することが可能である。プライマリーチャネルの帯域幅は、ＢＳＳにおいて動作している全てのＳＴＡのうちで、最小の帯域幅動作モードをサポートしているＳＴＡによって設定および／または制限されることが可能である。８０２．１１ａｈの例においては、たとえＡＰ、およびＢＳＳにおけるその他のＳＴＡが、２ＭＨｚ、４ＭＨｚ、８ＭＨｚ、１６ＭＨｚ、および／またはその他のチャネル帯域幅動作モードをサポートしても、１ＭＨｚモードをサポートする（例えば、サポートするだけである）ＳＴＡ（例えば、ＭＴＣタイプデバイス）に関しては、プライマリーチャネルは、１ＭＨｚの幅であることが可能である。キャリア感知および／またはネットワーク割り当てベクトル（ＮＡＶ）設定は、プライマリーチャネルのステータスに依存する場合がある。例えば（１ＭＨｚの動作モードだけをサポートする）ＳＴＡがＡＰへの送信を行っていることに起因して、プライマリーチャネルがビジーである場合には、利用可能な周波数帯域の全体は、たとえそれらの周波数帯域の大部分がアイドルのままであって利用可能である可能性があっても、ビジーとみなされる場合がある。
【００４４】
米国においては、８０２．１１ａｈによって使用されることが可能な利用可能な周波数帯域は、９０２ＭＨｚから９２８ＭＨｚまでである。韓国においては、利用可能な周波数帯域は、９１７．５ＭＨｚから９２３．５ＭＨｚまでである。日本においては、利用可能な周波数帯域は、９１６．５ＭＨｚから９２７．５ＭＨｚまでである。８０２．１１ａｈにとって利用可能な合計の帯域幅は、国コードに応じて６ＭＨｚから２６ＭＨｚである。
【００４５】
図１Ｄは、実施形態によるＲＡＮ１１３およびＣＮ１１５を示すシステム図である。上述されているように、ＲＡＮ１１３は、エアインターフェース１１６を介してＷＴＲＵ１０２ａ、１０２ｂ、１０２ｃと通信するためにＮＲ無線テクノロジーを採用することが可能である。ＲＡＮ１１３は、ＣＮ１１５と通信状態にあることも可能である。
【００４６】
ＲＡＮ１１３は、ｇＮＢ１８０ａ、１８０ｂ、１８０ｃを含むことが可能であるが、ＲＡＮ１１３は、実施形態との整合性を保持しながら、任意の数のｇＮＢを含むことが可能であるということが理解されるであろう。ｇＮＢ１８０ａ、１８０ｂ、１８０ｃはそれぞれ、エアインターフェース１１６を介してＷＴＲＵ１０２ａ、１０２ｂ、１０２ｃと通信するために１つまたは複数のトランシーバを含むことが可能である。一実施形態においては、ｇＮＢ１８０ａ、１８０ｂ、１８０ｃは、ＭＩＭＯ技術を実施することが可能である。例えば、ｇＮＢ１８０ａ、１８０ｂは、ｇＮＢ１８０ａ、１８０ｂ、１８０ｃへ信号を送信するために、および／またはｇＮＢ１８０ａ、１８０ｂ、１８０ｃから信号を受信するために、ビームフォーミングを利用することが可能である。したがって、ｇＮＢ１８０ａは、例えば、ＷＴＲＵ１０２ａへ無線信号を送信するために、および／またはＷＴＲＵ１０２ａから無線信号を受信するために、複数のアンテナを使用することが可能である。実施形態においては、ｇＮＢ１８０ａ、１８０ｂ、１８０ｃは、キャリアアグリゲーションテクノロジーを実施することが可能である。例えば、ｇＮＢ１８０ａは、複数のコンポーネントキャリアをＷＴＲＵ１０２ａ（図示せず）へ送信することが可能である。これらのコンポーネントキャリアのサブセットが、ライセンス供与されていないスペクトル上にあることが可能であり、その一方で残りのコンポーネントキャリアが、ライセンス供与されているスペクトル上にあることが可能である。実施形態においては、ｇＮＢ１８０ａ、１８０ｂ、１８０ｃは、協調マルチポイント（ＣｏＭＰ）テクノロジーを実施することが可能である。例えば、ＷＴＲＵ１０２ａは、ｇＮＢ１８０ａおよびｇＮＢ１８０ｂ（および／またはｇＮＢ１８０ｃ）から協調送信を受信することが可能である。
【００４７】
ＷＴＲＵ１０２ａ、１０２ｂ、１０２ｃは、スケーラブルなニューメロロジーに関連付けられている送信を使用して、ｇＮＢ１８０ａ、１８０ｂ、１８０ｃと通信することが可能である。例えば、ＯＦＤＭシンボルスペーシングおよび／またはＯＦＤＭサブキャリアスペーシングは、別々の送信、別々のセル、および／または無線送信スペクトルの別々の部分ごとに異なることが可能である。ＷＴＲＵ１０２ａ、１０２ｂ、１０２ｃは、様々なまたはスケーラブルな長さのサブフレームまたは送信タイムインターバル（ＴＴＩ）（例えば、様々な数のＯＦＤＭシンボルおよび／または持続する様々な長さの絶対時間を含む）を使用して、ｇＮＢ１８０ａ、１８０ｂ、１８０ｃと通信することが可能である。
【００４８】
ｇＮＢ１８０ａ、１８０ｂ、１８０ｃは、スタンドアロンの構成および／またはスタンドアロンではない構成でＷＴＲＵ１０２ａ、１０２ｂ、１０２ｃと通信するように構成されることが可能である。スタンドアロンの構成においては、ＷＴＲＵ１０２ａ、１０２ｂ、１０２ｃは、その他のＲＡＮ（例えば、ｅＮｏｄｅ−Ｂ１６０ａ、１６０ｂ、１６０ｃなど）にアクセスすることも伴わずに、ｇＮＢ１８０ａ、１８０ｂ、１８０ｃと通信することが可能である。スタンドアロンの構成においては、ＷＴＲＵ１０２ａ、１０２ｂ、１０２ｃは、ｇＮＢ１８０ａ、１８０ｂ、１８０ｃのうちの１つまたは複数をモビリティーアンカーポイントとして利用することが可能である。スタンドアロンの構成においては、ＷＴＲＵ１０２ａ、１０２ｂ、１０２ｃは、ライセンス供与されていない帯域における信号を使用してｇＮＢ１８０ａ、１８０ｂ、１８０ｃと通信することが可能である。スタンドアロンではない構成においては、ＷＴＲＵ１０２ａ、１０２ｂ、１０２ｃは、ｇＮＢ１８０ａ、１８０ｂ、１８０ｃと通信する／それらに接続する一方で、ｅＮｏｄｅ−Ｂ１６０ａ、１６０ｂ、１６０ｃなどの別のＲＡＮと通信すること／それらに接続することも可能である。例えば、ＷＴＲＵ１０２ａ、１０２ｂ、１０２ｃは、ＤＣ原理（DC principle）を実施して、１つまたは複数のｇＮＢ１８０ａ、１８０ｂ、１８０ｃおよび１つまたは複数のｅＮｏｄｅ−Ｂ１６０ａ、１６０ｂ、１６０ｃと実質的に同時に通信することが可能である。スタンドアロンではない構成においては、ｅＮｏｄｅ−Ｂ１６０ａ、１６０ｂ、１６０ｃは、ＷＴＲＵ１０２ａ、１０２ｂ、１０２ｃのためのモビリティーアンカーとしての役割を果たすことが可能であり、ｇＮＢ１８０ａ、１８０ｂ、１８０ｃは、ＷＴＲＵ１０２ａ、１０２ｂ、１０２ｃにサービス提供するためのさらなるカバレッジおよび／またはスループットを提供することが可能である。
【００４９】
ｇＮＢ１８０ａ、１８０ｂ、１８０ｃのそれぞれは、特定のセル（図示せず）に関連付けられることが可能であり、無線リソース管理の決定、ハンドオーバーの決定、ＵＬおよび／またはＤＬにおけるユーザのスケジューリング、ネットワークスライシングのサポート、デュアル接続、ＮＲとＥ−ＵＴＲＡとの間におけるインターワーキング、ユーザプレーン機能（ＵＰＦ）１８４ａ、１８４ｂへのユーザプレーンデータのルーティング、アクセスおよびモビリティー管理機能（ＡＭＦ）１８２ａ、１８２ｂへの制御プレーン情報のルーティングなどを取り扱うように構成されることが可能である。図１Ｄにおいて示されているように、ｇＮＢ１８０ａ、１８０ｂ、１８０ｃは、Ｘｎインターフェースを介して互いに通信することが可能である。
【００５０】
図１Ｄにおいて示されているＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、および場合によってはデータネットワーク（ＤＮ）１８５ａ、１８５ｂを含むことが可能である。上述の要素のうちのそれぞれは、ＣＮ１１５の一部として示されているが、これらの要素のうちのいずれかが、ＣＮオペレータ以外のエンティティーによって所有および／または運営されることが可能であるということが理解されるであろう。
【００５１】
ＡＭＦ１８２ａ、１８２ｂは、Ｎ２インターフェースを介してＲＡＮ１１３におけるｇＮＢ１８０ａ、１８０ｂ、１８０ｃのうちの１つまたは複数に接続されることが可能であり、制御ノードとしての役割を果たすことが可能である。例えば、ＡＭＦ１８２ａ、１８２ｂは、ＷＴＲＵ１０２ａ、１０２ｂ、１０２ｃのユーザを認証すること、ネットワークスライシングに関するサポート（例えば、別々の要件を伴う別々のＰＤＵセッションを取り扱うこと）、特定のＳＭＦ１８３ａ、１８３ｂを選択すること、登録エリアの管理、ＮＡＳシグナリングの終了、モビリティー管理などを担当することが可能である。ネットワークスライシングは、ＷＴＲＵ１０２ａ、１０２ｂ、１０２ｃによって利用されているサービスのタイプに基づいてＷＴＲＵ１０２ａ、１０２ｂ、１０２ｃのためにＣＮサポートをカスタマイズするためにＡＭＦ１８２ａ、１８２ｂによって使用されることが可能である。例えば、超高信頼低遅延（ＵＲＬＬＣ）アクセスに依存するサービス、拡張大容量モバイルブロードバンド（ｅＭＢＢ）アクセスに依存するサービス、マシンタイプ通信（ＭＴＣ）アクセスに関するサービス等などの別々の使用事例に関して、別々のネットワークスライスが確立されることが可能である。ＡＭＦ１６２は、ＲＡＮ１１３と、ＬＴＥ、ＬＴＥ−Ａ、ＬＴＥ−Ａ  Ｐｒｏなどのその他の無線テクノロジー、および／またはＷｉＦｉなどの非３ＧＰＰアクセステクノロジーを採用しているその他のＲＡＮ（図示せず）との間において切り替えを行うための制御プレーン機能を提供することが可能である。
【００５２】
ＳＭＦ１８３ａ、１８３ｂは、Ｎ１１インターフェースを介してＣＮ１１５におけるＡＭＦ１８２ａ、１８２ｂに接続されることが可能である。ＳＭＦ１８３ａ、１８３ｂは、Ｎ４インターフェースを介してＣＮ１１５におけるＵＰＦ１８４ａ、１８４ｂに接続されることも可能である。ＳＭＦ１８３ａ、１８３ｂは、ＵＰＦ１８４ａ、１８４ｂを選択および制御すること、並びにＵＰＦ１８４ａ、１８４ｂを通るトラフィックのルーティングを構成することが可能である。ＳＭＦ１８３ａ、１８３ｂは、その他の機能、例えば、ＵＥ  ＩＰアドレスを管理することおよび割り当てること、ＰＤＵセッションを管理すること、ポリシー施行およびＱｏＳを制御すること、ダウンリンクデータ通知を提供することなどを実行することが可能である。ＰＤＵセッションタイプは、ＩＰベース、非ＩＰベース、イーサネットベースなどであることが可能である。
【００５３】
ＵＰＦ１８４ａ、１８４ｂは、Ｎ３インターフェースを介してＲＡＮ１１３におけるｇＮＢ１８０ａ、１８０ｂ、１８０ｃのうちの１つまたは複数に接続されることが可能であり、Ｎ３インターフェースは、ＷＴＲＵ１０２ａ、１０２ｂ、１０２ｃとＩＰ対応デバイスとの間における通信を容易にするために、インターネット１１０などのパケット交換ネットワークへのアクセスをＷＴＲＵ１０２ａ、１０２ｂ、１０２ｃに提供することが可能である。ＵＰＦ１８４、１８４ｂは、その他の機能、例えば、パケットをルーティングおよび転送すること、ユーザプレーンポリシーを施行すること、マルチホームＰＤＵセッションをサポートすること、ユーザプレーンＱｏＳを取り扱うこと、ダウンリンクパケットをバッファリングすること、モビリティーアンカリングを提供することなどを実行することが可能である。
【００５４】
ＣＮ１１５は、その他のネットワークとの通信を容易にすることが可能である。例えば、ＣＮ１１５は、ＣＮ１１５とＰＳＴＮ１０８との間におけるインターフェースとしての役割を果たすＩＰゲートウェイ（例えば、ＩＰマルチメディアサブシステム（ＩＭＳ）サーバ）を含むことが可能であり、またはそうしたＩＰゲートウェイと通信することが可能である。加えて、ＣＮ１１５は、その他のネットワーク１１２へのアクセスをＷＴＲＵ１０２ａ、１０２ｂ、１０２ｃに提供することが可能であり、その他のネットワーク１１２は、その他のサービスプロバイダによって所有および／または運営されているその他の有線ネットワークおよび／または無線ネットワークを含むことが可能である。一実施形態においては、ＷＴＲＵ１０２ａ、１０２ｂ、１０２ｃは、ＵＰＦ１８４ａ、１８４ｂへのＮ３インターフェース、およびＵＰＦ１８４ａ、１８４ｂとローカルデータネットワーク（ＤＮ）１８５ａ、１８５ｂとの間におけるＮ６インターフェースを介して、ＵＰＦ１８４ａ、１８４ｂを通じてＤＮ１８５ａ、１８５ｂに接続されることが可能である。
【００５５】
図１Ａ〜図１Ｄ、および図１Ａ〜図１Ｄの対応する説明を考慮すると、ＷＴＲＵ１０２ａ〜ｄ、基地局１１４ａ〜ｂ、ｅＮｏｄｅ−Ｂ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、および／または本明細書において記述されているその他の任意のデバイスのうちの１つまたは複数に関連して本明細書において記述されている機能のうちの１つもしくは複数または全ては、１つまたは複数のエミュレーションデバイス（図示せず）によって実行されることが可能である。エミュレーションデバイスは、本明細書において記述されている機能のうちの１つもしくは複数または全てをエミュレートするように構成されている１つまたは複数のデバイスであることが可能である。例えば、エミュレーションデバイスは、その他のデバイスをテストするために、並びに／またはネットワークおよび／もしくはＷＴＲＵ機能をシミュレートするために使用されることが可能である。
【００５６】
エミュレーションデバイスは、ラボ環境において、および／またはオペレータネットワーク環境においてその他のデバイスの１つまたは複数のテストを実施するように設計されることが可能である。例えば、１つまたは複数のエミュレーションデバイスは、有線および／または無線の通信ネットワーク内のその他のデバイスをテストするためにその通信ネットワークの一部として全体的にまたは部分的に実装および／または展開されている間に、１つもしくは複数のまたは全ての機能を実行することが可能である。１つまたは複数のエミュレーションデバイスは、有線および／または無線の通信ネットワークの一部として一時的に実装および／または展開されている間に、１つもしくは複数のまたは全ての機能を実行することが可能である。エミュレーションデバイスは、テスティングの目的のために別のデバイスに直接結合されることが可能であり、および／またはオーバージエア無線通信を使用してテスティングを実行することが可能である。
【００５７】
１つまたは複数のエミュレーションデバイスは、有線および／または無線の通信ネットワークの一部として実装および／または展開されていない間に、全ての機能を含む１つまたは複数の機能を実行することが可能である。例えば、エミュレーションデバイスは、１つまたは複数のコンポーネントのテスティングを実施するために、テスティングラボラトリー並びに／または展開されていない（例えば、テスティングの）有線および／もしくは無線の通信ネットワークにおけるテスティングシナリオにおいて利用されることが可能である。１つまたは複数のエミュレーションデバイスは、テスト機器であることが可能である。直接ＲＦ結合、および／または、ＲＦ回路（例えば、１つもしくは複数のアンテナを含むことが可能である）を介した無線通信が、エミュレーションデバイスによってデータを送信および／または受信するために使用されることが可能である。
【００５８】
インフラストラクチャーベーシックサービスセット（ＢＳＳ）モードにおいて動作するＷＬＡＮは、ＢＳＳ用のアクセスポイント（ＡＰ／ＰＣＰ）と、ＡＰ／ＰＣＰに関連付けられている１つまたは複数のステーション（ＳＴＡ）とを含むことが可能である。ＡＰ／ＰＣＰは、典型的には、ＢＳＳとの間で出入りするトラフィックを搬送する配信システム（ＤＳ）または別のタイプの有線／無線ネットワークへのアクセス、またはそれらとのインターフェースを有する。ＢＳＳの外部から生じるＳＴＡへのトラフィックは、ＡＰ／ＰＣＰを通じて着信することが可能であり、ＳＴＡへ配信されることが可能である。ＳＴＡからＢＳＳの外部の宛先へ生じるトラフィックは、ＡＰ／ＰＣＰへ送られて、それぞれの宛先へ配信されることが可能である。ＢＳＳ内のＳＴＡ同士の間におけるトラフィックは、ソースステーション（ＳＴＡ）がトラフィックをＡＰ／ＰＣＰへ送り、ＡＰ／ＰＣＰがそのトラフィックを宛先ＳＴＡへ配信する場合には、ＡＰ／ＰＣＰを通じて送られることも可能である。ＢＳＳ内のＳＴＡ同士の間におけるそのようなトラフィックは、ピアツーピアトラフィックと呼ばれることが可能である。ピアツーピアトラフィックは、８０２．１１ｅダイレクトリンクセットアップ（ＤＬＳ）または８０２．１１ｚトンネルドＤＬＳ（ＴＤＬＳ）を使用するＤＬＳを用いてソースＳＴＡと宛先ＳＴＡとの間において直接送られることも可能である。独立ＢＳＳ（ＩＢＳＳ）モードにおいて動作するＷＬＡＮは、ＡＰ／ＰＣＰを含まず、ＳＴＡ同士が互いに直接通信することが可能である。通信のこのモードは、通信の「アドホック」モードと呼ばれることが可能である。
【００５９】
オペレーションの８０２．１１ａｃインフラストラクチャーモードを使用して、ＡＰ／ＰＣＰは、固定されたチャネル、通常はプライマリーチャネル上でビーコンを送信することが可能である。このチャネルは、２０ＭＨｚの幅であることが可能であり、ＢＳＳの動作チャネルであることが可能である。このチャネルは、ＡＰ／ＰＣＰとの接続を確立するためにＳＴＡによって使用されることも可能である。８０２．１１システムにおける基本的なチャネルアクセスメカニズムは、搬送波感知多重アクセス／衝突回避方式（ＣＳＭＡ／ＣＡ）である。オペレーションのこのモードにおいては、あらゆるＳＴＡ（ＡＰ／ＰＣＰを含む）が、プライマリーチャネルを感知することになる。チャネルがビジーであるとＳＴＡが検知した場合には、ＳＴＡは引き下がる。したがって１つのＳＴＡのみが、所与のＢＳＳにおいて任意の所与の時点で送信を行うことが可能である。
【００６０】
８０２．１１ａｄは、ＷＬＡＮ標準に対する改正であり、この改正は、ＭＡＣおよび物理（ＰＨＹ）レイヤ６０ＧＨｚ帯域を指定する。
【００６１】
８０２．１１ａｄは、７Ｇｂｉｔ／ｓまでのデータレートをサポートし、シングルキャリアおよびスプレッドスペクトルを伴う制御ＰＨＹと、シングルキャリアＰＨＹと、直交周波数分割多重化（ＯＦＤＭ）ＰＨＹとを含む３つの異なる変調モードをサポートし、世界的に利用可能である６０ＧＨｚのライセンス供与されていない帯域を使用する。６０ＧＨｚにおいては、波長は５ｍｍであり、それは、コンパクトおよびアンテナまたはアンテナアレイを可能にする。そのようなアンテナは、送信機および受信機の両方において狭ＲＦビームを作成することが可能であり、それは、効果的にカバレッジレンジを増やし、干渉を減らす。
【００６２】
図２は、ビーコンヘッダインターバル（ＢＨＩ）２１０と、データ送信インターバル（ＤＴＩ）とを含む例示的なＩＥＥＥ８０２．１１ａｄ、ビーコンインターバル（ＢＩ）２００を示す信号図である。ＢＨＩは、ビーコン送信インターバル（ＢＴＩ）２１０、アソシエーションビームフォーミングトレーニング（Ａ−ＢＦＴ）インターバル２２０、およびアナウンスメント送信インターバル（ＡＴＩ）２３０を含む。ＢＴＩ２１０は、複数のビーコンフレームを含み、それらはそれぞれ、全ての可能な送信方向をカバーするためにＰＣＰ／ＡＰによってその１つまたは複数のアンテナの別々のセクタ上で送信される。ＢＴＩ２１０は、ネットワークアナウンスメント、およびＰＣＰ／ＡＰのアンテナセクタのビームフォーミングトレーニングのために使用されることが可能である。ステーションは、Ａ−ＢＦＴ中にＰＣＰ／ＡＰとの通信のために自分のアンテナセクタをトレーニングする。ＰＣＰ／ＡＰは、ＡＴＩ中に、関連付けられているビームトレーニングされているステーションとの間で管理情報をやり取りする。
【００６３】
ＢＩ２００はまた、データ送信インターバル（ＤＴＩ）２４０を含む。ＤＴＩ２４０は、１つまたは複数のコンテンションベースのアクセスピリオド（ＣＢＡＰ）、および／またはステーション同士がデータフレームをやり取りするスケジュールされたサービスピリオド（ＳＰ）を含む。それぞれのＣＢＡＰにおいては、複数のステーションが、ＩＥＥＥ８０２．１１拡張分散調整機能（ＥＤＣＦ）に従ってチャネルを求めて競合する可能性がある。サービスピリオド（ＳＰ）は、コンテンションフリーピリオドとして、ノード同士の専用ペアの間における通信のためにＤＴＩにおいて割り振られることが可能である。
【００６４】
８０２．１１ａｄのフレーム構造は、ビームフォーミングトレーニングに関するメカニズム（ディスカバリーおよびトラッキング）を容易にする。ビームフォーミングトレーニングプロトコルは、セクタレベルスイープ（ＳＬＳ）手順およびビームリファインメントプロトコル（ＢＲＰ）手順という２つのコンポーネントを含むことが可能である。ＳＬＳ手順は、送信ビームフォーミングトレーニングのために使用されることが可能であり、ＢＲＰ手順は、受信ビームフォーミングトレーニング、並びに送信ビームおよび受信ビームの両方の反復リファインメントのために使用されることが可能である。
【００６５】
図３は、イニシエータ３０５とレスポンダ３１０との間における例示的なＳＬＳトレーニング手順３００を示す信号図である。ＳＬＳトレーニング手順３００は、イニシエータセクタスイープ（ＩＳＳ）３１５およびレスポンダセクタスイープ（ＲＳＳ）３２０を含む。ＩＳＳ３１５中に、イニシエータ３０５は、セクタスイープ（ＳＳ）フレーム３２５をレスポンダ３１０へ送信し、ＲＳＳ３２０中に、レスポンダ３１０は、ＳＳフレーム３３０をイニシエータ３０５へ送信する。ＳＳフレーム３２５および３３０は、ビーコンフレームまたはＳＳＷフレームを使用して実施されることが可能である。ビーコンフレームがＳＬＳトレーニングのために使用される場合には、ＡＰ／ＰＣＰ（このケースにおいてはイニシエータ）が、それぞれのビーコンインターバル（ＢＩ）内で複数のビーム／セクタにわたってビーコンフレームを繰り返し、複数のＳＴＡ（このケースにおいてはレスポンダ）が同時にＢＦトレーニングを実行することが可能である。しかしながら、ビーコンフレームのサイズに起因して、ＡＰ／ＰＣＰが１つのＢＩ内で全てのセクタ／ビームをスイープすることが可能であるということは保証されていない。したがってＳＴＡは、イニシャルセクタスイープ（ＩＳＳ）トレーニングを完了するために複数のＢＩを待つ必要がある場合があり、待ち時間が問題となる場合がある。ＳＳＷフレームは、ポイントからポイントへのＢＦトレーニングのために利用されることが可能であり、制御ＰＨＹを使用して送信されることが可能である。
【００６６】
図４は、オクテットによる例示的なＳＳＷフレームフォーマット４００を示すビットマップである。ＳＳＷフレームフォーマット４００は、フレーム制御フィールド４１０、持続時間フィールド４２０、ＲＡフィールド４３０、ＴＡフィールド４４０、ＳＳＷフィールド４５０、ＳＳＷフィードバックフィールド４６０、およびＦＣＳ４７０を含む。図５は、ビットによる例示的なＳＳＷフィールドフォーマット５００を示すビットマップである。ＳＳＷフィールドフォーマット５００は、方向フィールド５１０、カウントダウン（ＣＤＯＷＮ）フィールド５２０、セクタＩＤフィールド５３０、ＤＭＧアンテナＩＤフィールド５４０、およびＲＸＳＳ長さフィールド５５０を含む。ＳＳＷフィールドフォーマット５００は、ＳＳＷフレームフォーマット４００のＳＳＷフィールド４５０のために使用されることが可能である。
【００６７】
図６は、ビットによるＳＳＷフレームの例示的なＳＳＷフィードバックフィールドフォーマット６００を示すビットマップであり、この場合、ＳＳＷフレームは、ＩＳＳの一部として送信される。ＳＳＷフィードバックフィールドフォーマット６００は、「ＩＳＳにおける合計セクタ」フィールド６１０、「ＲＸ  ＤＭＧアンテナの数」フィールド６２０、予備フィールド６３０、「必要とされるポーリング」フィールド６４０、および予備フィールド６５０を含む。ＳＳＷフィードバックフィールドフォーマット６００は、ＳＳＷフレームフォーマット４００のＳＳＷフィードバックフィールド４６０のために使用されることが可能である。
【００６８】
図７は、ビットによるＳＳＷフレームの例示的なＳＳＷフィードバックフィールドフォーマット７００を示すビットマップであり、この場合、ＳＳＷフレームは、ＩＳＳの一部として送信されない。ＳＳＷフィードバックフィールドフォーマット７００は、セクタ選択フィールド７１０、ＤＭＧアンテナ選択フィールド７２０、ＳＮＲ報告フィールド７３０、「必要とされるポーリング」フィールド７４０、および予備フィールド７５０を含む。ＳＳＷフィードバックフィールドフォーマット７００は、ＳＳＷフレームフォーマット４００のＳＳＷフィードバックフィールド４６０のために使用されることが可能である。
ビームリファインメントは、ＳＴＡが送信および／または受信のための自分のアンテナ構成（例えば、アンテナウェイトベクトル）を改善することが可能であるプロセスである。例示的なビームリファインメント手順においては、ＳＴＡの受信機および送信機アンテナをトレーニングするためにＢＲＰパケットが使用される。ＢＲＰ−ＲＸパケットおよびＢＲＰ−ＴＸパケットという２つのタイプのＢＲＰパケットがあり得る。ＢＲＰパケットは、自動利得制御（ＡＧＣ）フィールドと送信機または受信機トレーニングフィールドとを含むトレーニングフィールドによって後続される指向性マルチギガビット（ＤＭＧ）物理レイヤコンバージェンス手順（ＰＬＣＰ）プロトコルデータユニット（ＰＰＤＵ）によって搬送されることが可能である。図８は、例示的なＤＭＧ  ＰＬＣＰ  ＰＰＤＵ８００を示すブロック図であり、このＤＭＧ  ＰＬＣＰ  ＰＰＤＵ８００は、ＢＲＰ  ＭＡＣボディー８３０によって後続されており、ＡＧＣ８５０によって後続されており、ＢＲＰ受信および／または送信トレーニング（ＴＲＮ−Ｒ／Ｔ）フィールド８８０によって後続されている。Ｎは、ヘッダフィールド８００において与えられているトレーニング長さを表し、それは、ＡＧＣフィールド８５０が４Ｎ個のサブフィールドを有しているということ、およびＴＲＮ−Ｒ／Ｔフィールド８８０が５Ｎ個のサブフィールドを有しているということを示している。ＡＧＣフィールド８５０のそれぞれのサブフィールドは、５つのゴレイシーケンスを含むことが可能であり、それぞれのゴレイシーケンスは、６４というサイズを有することが可能である。ＴＲＮ−Ｒ／Ｔフィールド８８０のそれぞれのサブフィールドは、チャネル推定（ＣＥ）サブフィールドまたは５つのゴレイシーケンスを含むことが可能であり、この場合、それぞれのゴレイシーケンスは、１２８というサイズを有することが可能である。ＣＥサブフィールド８８１は、前のセクションにおいて記述されているプリアンブルと同じまたは同様であることが可能である。ＴＲＮ−Ｒ／Ｔフィールド８８０における全てのサブフィールドは、回転π／２−ＢＰＳＫ変調を使用して送信される。ＢＲＰ  ＭＡＣボディー８３０は、アクションＮｏ  ＡＣＫフレームであり、これは、次のフィールド、すなわち、カテゴリー、保護されていないＤＭＧアクション、ダイアログトークン、ＢＲＰ要求フィールド、ＤＭＧビームリファインメント要素、およびチャネル測定フィードバック要素１からチャネル測定フィードバック要素ｋのためのフィールドを含む。
【００６９】
図９は、イニシエータ９０５とレスポンダ９１０との間における例示的なＳＵ−ＭＩＭＯビームフォーミングトレーニング手順９００を示す信号図である。Ｉ−ＴＸＳＳフェーズ９２０において、イニシエータ９０５は、ショートＳＳＷフレーム９２２、９２４、．．．、９２６をレスポンダ９１０へ送信する。Ｒ−ＴＸＳＳフェーズ９３０において、レスポンダ９１０は、ショートＳＳＷフレーム９３２、９３４、．．．、９３６をイニシエータ９０５へ送信する。ＳＩＳＯフィードバックフェーズ９４０において、イニシエータ９０５は、ＢＲＰフレーム９５０を送信し、レスポンダ９１０は、ＢＲＰフレーム９６０を送信する。ＢＲＰフレーム９５０は、ＳＳＷフレーム９３２、９３４、．．．、９３６を最も良好に受信したイニシエータ９０５のＲＸセクタに基づいてレスポンダ９１０の最も良好なＴＸセクタを示すＣＤＯＷＮフィールドを含む。ＢＲＰフレーム９６０は、ＳＳＷフレーム９２２、９２４、．．．、９２６を最も良好に受信したレスポンダ９１０のＲＸセクタに基づいてイニシエータ９０５の最も良好なＴＸセクタを示すＣＤＯＷＮフィールドを含む。
【００７０】
マルチユーザＭＩＭＯ（ＭＵ−ＭＩＭＯ）ビームフォーミングトレーニングにおいて生じる可能性がある第１の問題は、ＳＳＷまたはショートＳＳＷフレームがビームフォーミングトレーニングフレームとして使用される可能性がある場合に、ＢＲＰフレームが、セクタレベルスイープに関するチャネル情報をフィードバックするために使用される可能性があるということである。この問題は、セットアップを伴わないＢＲＰフィードバックの問題と呼ばれることが可能である。
【００７１】
いくつかの例においては、ビームリファインメントは、要求／応答ベースのプロセスであることが可能である。そのケースにおいては、ＳＳＷまたはショートＳＳＷフレームは、どんなフィードバックタイプが必要であるかまたは選択されるかをシグナリングするための能力を有していない（例えば、利用可能なフィールドを有していない）場合がある。既存のスキームは、カウントダウン（ＣＤＯＷＮ）値および対応する信号対雑音比（ＳＮＲ）のフィードバックを必要とする。ここでは、ＣＤＯＷＮは、いくつかのビームフォーミングトレーニングフレームにおけるサブフィールドであり、これは、カウントダウン数を提供し、それによってＳＴＡは、いくつのトレーニングフレームが残されているかを決定することが可能である。
【００７２】
ＣＤＯＷＮの値およびＳＮＲのフィードバックは、ビームフォーミングトレーニングオーバーヘッドおよび／またはＭＩＭＯスループットの点で最も良好なフィードバックを提供しない場合がある。実施態様に応じて、完全な／部分的なＭＩＭＯチャネルを入手するために使用されることが可能であるチャネル状態情報（ＣＳＩ）が、フィードバックのために使用されることが可能である。そのケースにおいては、その後のＭＩＭＯトレーニングフェーズは、低減されること（例えば、切り捨てられること）または必要とされないことが可能である。
【００７３】
ショートＳＳＷフレームが、例えば、ＩＥＥＥ８０２．１１ａｙにおいて定義されているように、拡張指向性マルチギガビット（ＥＤＭＧ）セクタレベルトレーニングのために使用される場合にＭＵ−ＭＩＭＯビームフォーミングトレーニングにおいて生じる可能性がある第２の問題。この問題は、マルチチャネルセクタレベルトレーニングに関するショートＳＳＷフレームの問題と呼ばれることが可能である。制御モードＰＰＤＵを使用して送信される既存のショートＳＳＷフレームフォーマットは、チャネル帯域幅情報を搬送しない。しかしながら、ショートＳＳＷフレームは、マルチチャネルセクタレベルトレーニングのために使用される場合がある。したがって、マルチチャネル情報を提供するためのメカニズムが使用されることが可能である。
【００７４】
いくつかの実施態様において、ＡＰ／ＰＣＰが、ＭＵ−ＭＩＭＯビームフォーミングプロトコルを実行する前にＥＤＭＧグループＩＤセット要素を送信することを必要とされる可能性があることに起因して、ＤＴＩにおいて定義されているＭＵ−ＭＩＭＯ  ＢＦトレーニング手順の前にＭＵ−ＭＩＭＯユーザグルーピングが実行されることが必要となる可能性がある場合にＭＵ−ＭＩＭＯビームフォーミングトレーニングにおいて生じる可能性がある第３の問題。この問題は、ＭＵ−ＭＩＭＯユーザグルーピングの問題と呼ばれることが可能である。この方法においては、ＭＵ−ＭＩＭＯグルーピングは、ＢＴＩにおいて実行されるＳＬＳに純粋に基づいて実行されることが可能であり、この場合、最も良好なビーム／セクタは、ＳＳＷまたはショートＳＳＷフレームによってＳＴＡからＡＰへフィードバックされることが可能である。しかしながら、最も良好なビーム／セクタに関する情報は、ＭＵ−ＭＩＭＯ  ＳＴＡ同士の間におけるユーザ間干渉を最小化するのに十分ではない場合がある。
【００７５】
ＭＵ−ＭＩＭＯビームフォーミングトレーニングにおいて生じる可能性がある第４の問題は、いくつかの実施態様において、レスポンダがすぐにＢＲＰフレームに応答する用意ができていない場合にそれによってサービス品質（ＱｏＳ）ヌルフレームが送られる可能性があるということである。この問題は、ＢＲＰフィードバックに関するインターフレームスペーシング（ＩＦＳ）ネゴシエーションの問題と呼ばれることが可能である。しかしながら、現在のＱｏＳヌルフレームは、単一のチャネルを介して送信されることが可能である。したがって、マルチチャネルＢＲＰトレーニングをサポートするための拡張が選択されることが可能である。
【００７６】
ＱｏＳヌルフレームは、ＢＲＰフレームの前に繰り返されることおよび送信されることが可能である。いくつかの実施態様においては、ＢＲＰフィードバックフレームがＱｏＳヌルフレーム送信中に送信する用意ができている場合には、レスポンダは、ＢＲＰフレームを送信する前にＱｏＳヌルフレームの完了を待つことが必要となる可能性がある。いくつかの実施態様においては、ＱｏＳヌルフレームの完了を待つことは効率的ではない場合がある。
【００７７】
ＭＵ−ＭＩＭＯビームフォーミングトレーニングにおいて生じる可能性がある第５の問題は、ＢＲＰ  ＴＸＳＳ手順に関連している。ＢＲＰフレームは、セクタレベルスイープのために使用されることが可能であり、ＢＲＰ  ＴＸＳＳ手順は、この目的のために定義されることが可能である。しかしながら、イニシエータＴＸＳＳおよびレスポンダＴＸＳＳの両方を含むＢＲＰ  ＴＸＳＳにおいては、アンテナレシプロシティーを伴ってさらに効率的なトレーニングをサポートするためのメカニズムがない。これは、アンテナレシプロシティーの問題と呼ばれることが可能である。
【００７８】
ＭＵ−ＭＩＭＯビームフォーミングトレーニングにおいて生じる可能性がある第６の問題は、ＳＬＳ手順に関連している。図３２は、受信アンテナ表示を含む例示的なＳＬＳ手順３２００を示す信号図である。この例においては、イニシエータ３２０５が、ＳＳＷ３２２０中にＳＳＷフレームをレスポンダ３２１０へ送信する。レスポンダ３２１０は、ＳＳＷ３２３０中にＳＳＷフレームをイニシエータ３２３０へ送信する。レスポンダ３２１０は、イニシエータ３２０５の最も良好なＴｘセクタｘをそのＲｘアンテナおよび／またはＲＦチェーン１に基づいて選択する。レスポンダ３２１０は、このセクタをＳＳＷ３２３０のフレームにおけるＣＤＯＷＮフィールドにおいてイニシエータ３２０５に示す。しかしながらイニシエータ３２０５は、レスポンダのアンテナ２の最も良好なＴｘセクタｙをそのＲＸアンテナおよび／またはＲＦチェーン２に基づいて選択する。イニシエータ３２０５は、このセクタをＳＳＷ−ＦＢＣＫフレーム３２４０におけるＣＤＯＷＮフィールドにおいてレスポンダ３２１０に示す。ＳＳＷフレームおよびＳＳＷ−ＦＢＣＫフレーム３２４０において搬送されるＣＤＯＷＮフィールドは、送信セクタを選択するためにどの受信アンテナが使用されたかを示さない。これは、ＴＸアンテナとＲＸアンテナとの間におけるミスマッチをもたらす可能性があり、レスポンダが送信および受信のために別々のアンテナを有するようにさせる可能性がある。これは、アンテナミスマッチの問題と呼ばれることが可能である。
【００７９】
レスポンダ３２１０は、ＳＳＷ  ＡＣＫフレームにおいて、レスポンダのＲｘアンテナ２に関するイニシエータの最も良好なＴｘセクタｚを示すことができる。しかしながら、ＳＳＷ  ＡＣＫが失われているか、またはコリジョンに直面している場合には、イニシエータは、Ｔｘセクタｘを使用してＳＳＷフィードバックの送信を繰り返すことが可能であり、このＴｘセクタは、レスポンダのアンテナ２によって聞かれないことが可能である。
【００８０】
セットアップを伴わないＢＲＰフィードバックの問題および／またはマルチチャネルセクタレベルトレーニングに関するショートＳＳＷフレームの問題に対処するためにＭＩＭＯトレーニングおよびセットアップアプローチが使用されることが可能である。
【００８１】
いくつかの実施態様においては、ＥＤＭＧ  ＳＴＡが複数の受信（Ｒｘ）ＲＦチェーンを同時に動作させることが可能であると想定すると、グラントまたはグラントＡＣＫフレームの拡張スケジュール要素におけるビームフォーミング（ＢＦ）制御フィールドが、割り当てに関するトレーニング設定を伝達するように拡張されることが可能である。例えば、ＢＦ制御フィールドは、ＳＬＳがＭＩＭＯトレーニングの単一入力単一出力（ＳＩＳＯ）フェーズとして実行されることになることを示すように拡張されることが可能である。
【００８２】
第１の例においては、ＢＦトレーニングが、２つ以上の非ＡＰ  ＳＴＡの間にあり、ＢＴＩを通じてセットアップされている場合には、ＡＰが、ビーコンフレームにおけるレガシーのまたは強化された拡張スケジュール要素を使用して、ＭＩＭＯマルチチャネルＢＦトレーニング情報を搬送することが可能であり、サービスピリオドコンテンションベースのアクセスピリオド（ＳＰ／ＣＢＡＰ）を２つの（またはより多くの）非ＡＰ  ＳＴＡに割り振ることが可能である。ＡＰは、ＳＰ／ＣＢＡＰがＭＩＭＯおよび／またはマルチチャネルＢＦトレーニングのために使用されることが可能であるということを決定することが可能であり、示すことが可能である。拡張スケジュール要素は、ＢＦトレーニングのタイプ、フィードバック要求、および／またはその他の関連した情報を搬送することが可能である。非ＡＰ  ＳＴＡは、ＳＰにおいてＳＬＳを開始するためにこの設定を使用することが可能である。
【００８３】
第２の例においては、ＢＦトレーニングが、複数のチャネルを介してＡＰと非ＡＰ  ＳＴＡとの間にあり、ＢＴＩを通じてセットアップされている場合には、ＡＰは、ビーコンフレームにおけるレガシーのまたは強化された拡張スケジュール要素を使用して、ＭＩＭＯマルチチャネルＢＦトレーニング情報を搬送することが可能であり、１つまたは複数のチャネル（例えば、ＢＴＩ中にＢＦトレーニングが実行されないことが可能である非プライマリーチャネルを含む）を介したＡＰと１つまたは複数の非ＡＰ  ＳＴＡとの間における通信のためにＳＰ／ＣＢＡＰを割り振ることが可能である。ＡＰは、ＳＰ／ＣＢＡＰがＭＩＭＯおよび／またはマルチチャネルＢＦトレーニングのために使用されることが可能であるということを決定することが可能であり、示すことが可能である。拡張スケジュール要素は、ＢＦトレーニングのタイプ、フィードバック要求を搬送することが可能であり、および／またはその他の関連した情報が搬送されることが可能である。非ＡＰ  ＳＴＡは、ＳＰにおけるＳＬＳのためにこの設定を使用することが可能である。
【００８４】
第３の例においては、ＢＦトレーニングが、２つ以上の非ＡＰ  ＳＴＡの間にあり、ＡＴＩを通じてセットアップされている場合には、ＡＰが、ＡＴＩにおけるレガシーのまたは強化された拡張スケジュール要素および／またはグラントフレームを使用して、ＭＩＭＯマルチチャネルＢＦトレーニング情報を搬送することが可能であり、ＳＰ／ＣＢＡＰを２つの（またはより多くの）非ＡＰ  ＳＴＡに割り振ることが可能である。ＡＴＩ中には複数の送信があり得るということに留意されたい。例えば、ＡＰは、トレーニングされた指向性送信を使用して第１のＳＴＡへ送信を行うことが可能であり、そのＳＴＡは、応答することが可能である。ＡＰは、その後に、トレーニングされた指向性送信を使用して第２のＳＴＡへ送信を行うことが可能であり、そのＳＴＡは、応答することが可能である。ＡＰは、ＳＰ／ＣＢＡＰがＭＩＭＯおよび／またはマルチチャネルＢＦトレーニングのために使用されることが可能であるということを決定することが可能であり、示すことが可能である。ＡＴＩにおける拡張スケジュール要素および／またはグラントフレームは、ＢＦトレーニングのタイプ、フィードバック要求、および／またはその他の関連した情報を含むことが可能である。非ＡＰ  ＳＴＡは、ＳＰにおいてＳＬＳを開始するためにこの設定を使用することが可能である。
【００８５】
第４の例においては、ＢＦトレーニングが、複数のチャネルを介してＡＰと非ＡＰ  ＳＴＡとの間にあり、ＡＴＩを通じてセットアップされている場合には、ＡＰは、ＡＴＩにおけるレガシーのまたは強化された拡張スケジュール要素および／またはグラントフレームを使用して、ＭＩＭＯマルチチャネルＢＦトレーニング情報を搬送することが可能であり、１つまたは複数のチャネル（ＢＴＩ中にＢＦトレーニングが実行されないことが可能である非プライマリーチャネルを含む）を介したＡＰと１つまたは複数の非ＡＰ  ＳＴＡとの間における通信のためにＳＰ／ＣＢＡＰを割り振ることが可能である。この送信は、プライマリーチャネルを介してＢＴＩにおいてトレーニングされたＢＦセクタ／ビームを使用して、指向性であることが可能である。ＡＰは、ＳＰ／ＣＢＡＰがＭＩＭＯおよび／またはマルチチャネルＢＦトレーニングのために使用されることが可能であるということを決定することが可能であり、示すことが可能である。ＡＴＩにおける拡張スケジュール要素および／またはグラントフレームは、ＢＦトレーニングのタイプ、フィードバック要求、およびその他の関連した情報を搬送することが可能である。非ＡＰ  ＳＴＡは、ＳＰにおけるＳＬＳのためにこの設定を使用することが可能である。
【００８６】
第５の例においては、ＢＦトレーニングが、２つ以上の非ＡＰ  ＳＴＡの間にあり、ＤＴＩを通じてセットアップされている場合には、ＳＰ／ＣＢＡＰのイニシエータは、ＭＩＭＯマルチチャネルＢＦトレーニング情報を搬送するためにＳＰ／ＣＢＡＰの始まりにおいてグラントフレームを使用することが可能である。ＣＢＡＰのケースにおいては、ＳＴＡが、コンテンションを通じてチャネルを取得してイニシエータになることが可能であり、その一方でＳＰのケースにおいては、ＳＴＡは、イニシエータとして割り振られることが可能であるということに留意されたい。レスポンダは、設定の受信を確認するためにグラントＡＣＫフレームを用いて返答することが可能である。イニシエータは、その後にＳＬＳトレーニングを開始することが可能である。この手順においては、イニシエータは、ＳＰ／ＣＢＡＰがＭＩＭＯおよび／またはマルチチャネルＢＦトレーニングのために使用されることが可能であるということを決定することが可能であり、示すことが可能であるということに留意されたい。グラントフレームは、ＢＦトレーニングのタイプ、フィードバック要求、およびその他の関連した情報を搬送することが可能である。その他のいずれの組合せも除外することなく、第５の例は、第１の例と組み合わされることが可能であり、この場合、ＭＩＭＯマルチチャネルＢＦトレーニングセットアップは、ＢＴＩおよびＤＴＩの両方において実行されることが可能であるということに留意されたい。その他のいずれの組合せも除外することなく、第５の例は、第３の例と組み合わされることが可能であり、この場合、ＭＩＭＯマルチチャネルＢＦトレーニングセットアップは、ＡＴＩおよびＤＴＩの両方において実行されることが可能であるということにも留意されたい。
【００８７】
第６の例においては、ＢＦトレーニングが、複数のチャネルを介してＡＰと非ＡＰ  ＳＴＡとの間にあり、ＤＴＩを通じてセットアップされている場合には、ＡＰは、ＳＰ／ＣＢＡＰのイニシエータであることが可能である。ＣＢＡＰのケースにおいては、ＡＰは、コンテンションを通じてチャネルを取得することが可能であり、その一方でＳＰのケースにおいては、ＡＰは、イニシエータとして割り振られることが可能である。ＡＰは、１つまたは複数のチャネル（例えば、ＢＴＩ中にＢＦトレーニングが実行されないことが可能である非プライマリーチャネルを含む）を介してＡＰと１つまたは複数の非ＡＰ  ＳＴＡとの間においてＭＩＭＯマルチチャネルＢＦトレーニング情報を搬送するために、ＳＰ／ＣＢＡＰにおけるグラントフレームを使用することが可能である。グラントおよびグラントＡＣＫフレームの送信は、プライマリーチャネルを介してＢＴＩにおいてトレーニングされたＢＦセクタ／ビーム、または複数のチャネルを介した複製モードを使用して、指向性であることが可能である。ＡＰは、ＳＰがＭＩＭＯおよび／またはマルチチャネルＢＦトレーニングのために使用されることが可能であるということを決定することが可能であり、示すことが可能である。グラント／グラントＡＣＫフレームは、ＢＦトレーニングのタイプ、フィードバック要求、およびその他の関連した情報を搬送することが可能である。非ＡＰ  ＳＴＡは、ＳＰ／ＣＢＡＰにおけるＳＬＳのためにこの設定を使用することが可能である。その他のいずれの組合せも除外することなく、第６の例は、第２の例と組み合わされることが可能であり、この場合、ＭＩＭＯマルチチャネルＢＦトレーニングセットアップは、ＢＴＩおよびＤＴＩの両方において実行されることが可能であるということに留意されたい。その他のいずれの組合せも除外することなく、第６の例は、第４の例と組み合わされることが可能であり、この場合、ＭＩＭＯマルチチャネルＢＦトレーニングセットアップは、ＡＴＩおよびＤＴＩの両方において実行されることが可能であるということにも留意されたい。
【００８８】
ＡＰ／ＰＣＰが、グラントフレームの制御トレーラ、拡張スケジュール要素、またはＥＤＭＧ拡張スケジュール要素を使用してチャネル測定フィードバックを要求した場合には、ＳＵ−ＭＩＭＯ  ＢＦトレーニング手順のＳＩＳＯフィードバックサブフェーズにおけるＢＲＰフレームは、チャネル測定値のリストを含むことが可能である。レスポンダは、イニシエータからのＢＲＰフレームの受信からショートインターフレームスペース（ＳＩＦＳ）だけ後にＢＲＰフレームをイニシエータへ送ることが可能であり、それは、最後のイニシエータ送信セクタスイープ（ＴＸＳＳ）中に受信された送信セクタのＣＤＯＷＮの値およびＳＮＲのリストを含むことが可能である。ＡＰ／ＰＣＰが、グラントフレームの制御トレーラ、拡張スケジュール要素、またはＥＤＭＧ拡張スケジュール要素を使用してチャネル測定フィードバックを要求した場合には、ＢＲＰフレームは、チャネル測定値のリストを含むことも可能である。ＴＸＳＳのために使用されたチャネル番号／インデックスが、グラントフレーム、拡張スケジュール要素、またはＥＤＭＧ拡張スケジュール要素によって搬送された場合には、フィードバックは、そのチャネル番号／インデックスによって示されているチャネル上の測定値に基づくことが可能である。
【００８９】
ＳＵ−ＭＩＭＯ  ＢＦトレーニング手順のＳＩＳＯフィードバックサブフェーズがチャネル測定フィードバックを提供する場合には、ＭＩＭＯサブフェーズは省略されることが可能である。グラントフレーム、拡張スケジュール要素、またはＥＤＭＧ拡張スケジュール要素においてＮｏ−ｒｅｐ  ＴＸＳＳフィールドが１に設定されている場合には、イニシエータＴＸＳＳおよびレスポンダＴＸＳＳは、あたかも、最後のネゴシエートされた「ＲＸ  ＤＭＧアンテナの数」フィールドがイニシエータおよびレスポンダの両方から１に等しくなるように実行されることが可能である。
【００９０】
図１０は、例示的な修正されたＢＦ制御フィールドフォーマット１０００を示すビットマップである。ＢＦ制御フィールドフォーマット１０００は、ビームフォーミングトレーニングサブフィールド１０１０、ＩｓＩｎｉｔｉａｔｏｒＴＸＳＳサブフィールド１０２０、ＩｓＲｅｓｐｏｎｄｅｒＴＸＳＳサブフィールド１０３０、ＲＸＳＳ長さサブフィールド１０４０、ＲＸＳＳＴｘＲａｔｅサブフィールド１０５０、「要求されているチャネル測定」サブフィールド１０６０、「要求されているタップの数」サブフィールド１０７０、ＴＸＳＳチャネルインデックスサブフィールド１０８０、およびＮｏ−ｒｅｐ  ＴＸＳＳサブフィールド１０９０を含む。
【００９１】
ＢＦ制御フィールドフォーマット１０００は、例えば、ＩｓＩｎｉｔｉａｔｏｒＴＸＳＳサブフィールド１０２０およびＩｓＲｅｓｐｏｎｄｅｒＴＸＳＳサブフィールド１０３０の両方が１に等しい場合、ビームフォーミングトレーニングサブフィールド１０１０が１に等しい場合、並びに／またはＢＦ制御フィールドが割り当てフィールドにおいて送信される場合に使用されることが可能である。フォーマット１０００を有するＢＦ制御フィールドが割り当てフィールドにおいて送信される場合、並びにＩｓＩｎｉｔｉａｔｏｒＴＸＳＳ１０２０およびＩｓＲｅｓｐｏｎｄｅｒＴＸＳＳ１０３０サブフィールドの両方が１に等しい場合、並びに／またはビームフォーミングトレーニングフィールド１０１０が１に等しい場合には、「要求されているチャネル測定」サブフィールド１０６０は、チャネル測定サブフィールドがＳＩＳＯフェーズにおけるＭＩＭＯ  ＢＦトレーニングフィードバックの一部として要求されていると示すために１に設定されることが可能である。それら以外の場合には、「要求されているチャネル測定」サブフィールド１０６０は、０に設定される。ここでは、本明細書の全体を通じて、ビット値は例示的であるということに留意されたい。異なる例においては、所望の情報を伝達するために任意の適切なビットマッピングまたはビットの組合せが使用されることが可能である。例えば、例示的な実施態様において特定の情報を表すために１に設定されるものとして表されているビットは、その他の実施態様において同じ情報を表すために０に設定されることが可能である。
【００９２】
フォーマット１０００を有するＢＦ制御フィールドが割り当てフィールドにおいて送信される場合、並びにＩｓＩｎｉｔｉａｔｏｒＴＸＳＳサブフィールド１０２０およびＩｓＲｅｓｐｏｎｄｅｒＴＸＳＳサブフィールド１０３０の両方が１に等しい場合、並びにビームフォーミングトレーニングフィールド１０１０が１に等しい場合には、「要求されているタップの数」サブフィールド１０７０は、それぞれのチャネル測定において要求されているタップの数に設定されることが可能である。このサブフィールドは、「要求されているチャネル測定」１０６０サブフィールドが０に設定されている場合には、予備とされることが可能である。
【００９３】
フォーマット１０００を有するＢＦ制御フィールドが割り当てフィールドにおいて送信される場合、並びにＩｓＩｎｉｔｉａｔｏｒＴＸＳＳサブフィールド１０２０およびＩｓＲｅｓｐｏｎｄｅｒＴＸＳＳサブフィールド１０３０の両方が１に等しい場合、並びにビームフォーミングトレーニングフィールドが１に等しい場合には、ｉという値を有するＴＸＳＳチャネルインデックスサブフィールド１０８０は、割り当てのｉ＋１番目に低いチャネル番号が、ＴＸＳＳのために使用されるチャネルであることが可能であるということを示す。
【００９４】
ＢＦ制御フィールドが割り当てフィールドにおいて送信される場合、並びにＩｓＩｎｉｔｉａｔｏｒＴＸＳＳサブフィールド１０２０およびＩｓＲｅｓｐｏｎｄｅｒＴＸＳＳサブフィールド１０３０の両方が１に等しい場合、並びにビームフォーミングトレーニングフィールド１０１０が１に等しい場合には、Ｎｏ−ｒｅｐ  ＴＸＳＳサブフィールド１０９０は、ＴＸＳＳが、あたかも、最後のネゴシエートされた「ＲＸ  ＤＭＧアンテナの数」フィールドがイニシエータおよびレスポンダの両方から１に等しくなるように実行されることになると示すために１に設定されることが可能である。それら以外の場合には、Ｎｏ−ｒｅｐ  ＴＸＳＳサブフィールド１０９０は、０に設定される。
【００９５】
修正されたＢＦ制御フィールドフォーマット１０００のビットの数および開始ビットは、図１０において示されているのと厳密に同じでなくてもよいということに留意されたい。修正されたＢＦ制御フィールドフォーマット１０００は、グラントフレーム、ＳＰＲフレーム、拡張スケジュール要素、および／またはＤＭＧ  ＴＳＰＥＣ要素のために使用されることが可能である。
【００９６】
Ｎｏ−ｒｅｐ  ＴＸＳＳサブフィールド１０９０のビットがグラントおよび／またはグラントＡＣＫフレームにおいて１に設定されている場合には、そのグラントおよび／またはグラントＡＣＫフレームにもともと含まれている「ＲＸ  ＤＭＧアンテナの数」フィールドは、無視されることまたは予備とされることが可能であるということに留意されたい。Ｎｏ−ｒｅｐ  ＴＸＳＳサブフィールド１０９０のビットは、ＳＴＡまたはレスポンダ側においていくつのＲＸアンテナが利用可能であるかにかかわらずＲＸアンテナに関してＴＸＳＳが繰り返されないことが可能であるということを示すためにＡＰまたはイニシエータによって使用されることが可能である。
【００９７】
ＴＸＳＳチャネルインデックスを使用する代わりに、ＢＦ制御フィールド１０００がビームフォーミングトレーニングフィールド１０１０を１に設定されている場合には、ＡＰまたはＳＴＡは、ＢＷフィールドを、単一の２．１６ＧＨｚチャネルを示すように設定することが可能であるということに留意されたい。これは、どのチャネル上でＳＬＳがスケジュール／要求されるかに関するあいまいさを回避することが可能である。
【００９８】
いくつかの実施態様においては、修正された制御トレーラが使用されることが可能である。例えば図１１は、制御トレーラに加えられることが可能である例示的なフィールドを記述している表である。ビットの数および開始ビットは、図１１の表において示されているのと厳密に同じでなくてもよいということに留意されたい。上述の制御トレーラフィールドは、例えば、制御トレーラを伴ってグラントフレーム、ＳＰＲフレーム、ＲＴＳフレーム、および／またはＣＴＳ−２−Ｓｅｌｆフレームにおいて使用されることが可能である。
【００９９】
いくつかの実施態様においては、修正されたＢＲＰフレームが使用されることが可能である。修正されたＢＲＰフレームを使用することによって、ＢＲＰフレームにおいて帯域幅表示および／またはチャネル番号情報を加えることが可能である場合がある。例示的な修正は、フィードバック要求に関するチャネル表示／帯域幅表示、またはフィードバックタイプに関するチャネル表示／帯域幅表示を含むことが可能である。
【０１００】
図１２は、例示的な修正されたＤＭＧビームリファインメント要素フォーマット１２００を示すビットマップである。ＤＭＧビームリファインメント要素フォーマット１２００は、要素ＩＤフィールド１２０３、長さフィールド１２０５、イニシエータフィールド１２０７、ＴＸトレーニング応答フィールド１２１０、ＲＸトレーニング応答フィールド１２１３、ＴＸ−ＴＲＮ−ＯＫフィールド１２１５、ＴＸＳＳ−ＦＢＣＫ−ＲＥＱフィールド１２１７、ＢＳ−ＦＢＣＫフィールド１２２０、ＢＳ−ＦＢＣＫアンテナＩＤフィールド１２２３、ＦＢＣＫ−ＲＥＱフィールド１２２５、ＦＢＣＫ−ＴＹＰＥフィールド１２２７、ＭＩＤ拡張フィールド１２３０、能力要求フィールド１２３３、ＦＢＣＫ−ＲＥＱ−ＢＷフィールド１２３５、ＢＳ−ＦＢＣＫ  ＭＳＢフィールド１２３７、ＢＳ−ＦＢＣＫアンテナＩＤ  ＭＳＢフィールド１２４０、測定の数ＭＳＢ１２４３、ＥＤＭＧ拡張フラグフィールド１２４５、「存在しているＥＤＭＧチャネル測定」フィールド１２４７、「使用されているショートＳＳＷパケット」フィールド１２５０、ＢＲＰ−ＴＸＳＳ−ＯＫフィールド１２５３、ＢＲＰ−ＴＸＳＳ応答フィールド１２５５、およびＦＢＣＫ−ＴＹＰＥ−ＢＷフィールド１２５７を含む。
【０１０１】
ＢＲＰフレームにおけるＤＭＧビームリファインメント要素は、下記の方法のうちの１つまたは複数で修正されることが可能である。ＦＢＣＫ−ＲＥＱ−ＢＷ１２３５は、フィードバックに関して要求されるチャネルインデックスまたは帯域幅表示を示すために使用されることが可能である。ＦＢＣＫ−ＴＹＰＥ−ＢＷ１２５７は、現在のＢＲＰフレームにおいて伝達されるフィードバックに関するチャネルインデックスまたは帯域幅表示を示すために使用されることが可能である。いくつかの実施態様においては、情報は、２つの要素／フィールドにおいて搬送されることが可能であり、例えば、フィードバック要求に関するチャネル表示／帯域幅表示は、ＥＤＭＧ  ＢＲＰ要求要素において搬送されることが可能であり、フィードバックタイプに関するチャネル表示／帯域幅表示は、ＥＤＭＧチャネル測定フィードバック要素において搬送されることが可能である。いくつかの実施態様においては、チャネル表示／帯域幅表示は、要素ＩＤ拡張フィールドの直後の要素の始まりに加えられることが可能である。
【０１０２】
ＢＲＰフレームは、追加として、または代替として、Ｎｏ−ｒｅｐ  ＴＸＳＳフィールドを含むように修正されることが可能である。Ｎｏ−ｒｅｐ  ＴＸＳＳは、ＴＸＳＳが、あたかも、最後のネゴシエートされた「ＲＸ  ＤＭＧアンテナの数」フィールドがイニシエータおよびレスポンダの両方から１に等しくなるように実行されるべきであるということを示すために１に設定されることが可能である。そうでない場合には、Ｎｏ−ｒｅｐ  ＴＸＳＳは、０に設定されることが可能である。ＢＲＰフレームにおけるこのフィールド（例えば、ビット）は、ＢＲＰ  ＴＸＳＳ手順に関するセットアップを可能にするために使用されることが可能である。この手順においては、ＢＲＰフレームは、ＴＸＳＳ手順をセットアップするために使用されることが可能である。
【０１０３】
いくつかの実施態様は、完全なＣＳＩフィードバックを伴うＭＩＭＯトレーニング手順を提供する。ＤＴＩにおけるＢＴＩ、ＡＴＩ、またはグラント／グラントＡＣＫフレームにおいてＭＩＭＯマルチチャネルＢＦセットアップが実行されることが可能であると想定するいくつかの実施態様においては、ＣＳＩまたはチャネル測定が要求されることが可能である。このケースにおいては、簡略化されたＭＩＭＯ  ＢＦトレーニング手順が適用されることが可能である。
【０１０４】
図１３は、イニシエータ１３０５とレスポンダ１３１０との間における簡略化された例示的なＭＩＭＯ  ＢＦトレーニング手順１３００を示す信号図である。例示的な手順は、セットアップサブフェーズ、イニシエータＴＸＳＳ（Ｉ−ＴＸＳＳ）サブフェーズ１３３５、レスポンダ（Ｒ−ＴＸＳＳ）サブフェーズ１３５５、およびＳＩＳＯフィードバックサブフェーズ１３７５を含む。
【０１０５】
セットアップサブフェーズにおいては、イニシエータが、拡張スケジュール要素などのスケジューリング要素を使用するＡＰによるＭＩＭＯ  ＢＦトレーニングセットアップを使用してメディアを取得することが可能である。あるいは、イニシエータは、ＭＩＭＯ  ＢＦトレーニングの前にグラントまたはグラントのようなフレームを使用してＭＩＭＯ  ＢＦトレーニングをセットアップすることが可能である。ＭＩＭＯトレーニングセットアップに関して例示的な詳細なＭＩＭＯ  ＢＦ設定手順が上述されている。例えば、例示的な設定は、下記を含むことができる。拡張スケジュール要素において、ＢＦ制御フィールドは、次のように設定されることができる。ＩｓＩｎｉｔｉａｔｏｒＴＸＳＳおよびＩｓＲｅｓｐｏｎｄｅｒＴＸＳＳサブフィールドの両方が、１に設定されることが可能であり、「要求されているチャネル測定」サブフィールドは、チャネル測定サブフィールドがＳＩＳＯフェーズにおけるＭＩＭＯ  ＢＦトレーニングフィードバックの一部として要求されていると示すために１に設定されることが可能である。「要求されているタップの数」サブフィールドは、それぞれのチャネル測定において要求されているタップの数に設定されることが可能である。Ｎｏ−ｒｅｐ  ＴＸＳＳフィールドは、受信機が変更を行って別の受信アンテナをトレーニングするためにＴＸＳＳを繰り返す必要はないということを示すために１に設定されることが可能である。拡張スケジュール要素設定に対する代替として、グラントフレームにおいて、制御トレーラは、次のように設定されることが可能である。ＩｓＩｎｉｔｉａｔｏｒＴＸＳＳおよびＩｓＲｅｓｐｏｎｄｅｒＴＸＳＳサブフィールドの両方が、１に設定されることが可能である。「要求されているチャネル測定」フィールドは、チャネル測定サブフィールドが要求されていると示すために１に設定されることが可能である。「要求されているタップの数」サブフィールドは、それぞれのチャネル測定において要求されているタップの数に設定されることが可能である。Ｎｏ−ｒｅｐ  ＴＸＳＳは、受信機が変更を行って別の受信アンテナをトレーニングするためにＴＸＳＳを繰り返す必要はないということを示すために１に設定されることが可能である。
【０１０６】
あるいは、セットアップサブフェーズは、次のように実行されることが可能である。ＭＩＭＯ受信を実行することができる可能性があるＳＴＡが、ＢＦトレーニングのケースにおいて、例えば、ＣＳＩフィードバックがイニシエータによって要求されている場合に、受信のために完全なＲＦチェーンを使用することが可能である。イニシエータは、例えば、ＳＳＷフレーム、ショートＳＳＷフレーム、および／またはＢＲＰフレームを使用して、トレーニング手順におけるＭＩＭＯ  ＢＦトレーニングの詳細をセットアップすることが可能である。
【０１０７】
Ｉ−ＴＸＳＳサブフェーズ１３３５において、イニシエータ１３０５は、別々のアンテナおよびビームを使用してショートＳＳＷフレーム１３３７、１３４０、．．．、１３４３を送信することによってイニシエータセクタレベルスイープを開始することが可能である。イニシエータ１３０５は、直交しているトレーニングされたビーム同士を選ぶことが可能である。イニシエータ１３０５および／またはレスポンダ１３１０は、物理チャネルを再構築するためにチャネル測定値を使用することが可能である。いくつかの実施態様においては、要求されているフィードバックタイプを示すために、ショートＳＳＷフレーム１３３７、１３４０、．．．、１３４３におけるフィールド（例えば、ビット）が使用されることが可能である。例えば、そのビットが１に設定されている場合には、それは、ＳＮＲフィードバックを示すことが可能であり、その一方でそのビットが０に設定されている場合には、それは、完全なチャネル状態情報（ＣＳＩ）フィードバックを示すことが可能である。いくつかの実施態様においては、ＭＩＭＯマルチチャネルＢＦセットアップは、Ｉ−ＴＸＳＳサブフェーズ１３３５の前に実行されることが可能であり、詳細なフィードバック要求が、イニシエータ１３０５とレスポンダ１３１０との間においてセットアップされることが可能である。それぞれのサブフェーズ内のショートＳＳＷフレーム１３３７、１３４０、．．．、１３４３の間においては、事前に定義されたインターフレームスペーシングが使用される。この例においては、ショートインターフレームスペーシング（ＳＩＦＳ）が示されているが、いかなる適切な任意の事前に定義されたインターフレームスペーシングも使用されることが可能である。
【０１０８】
レスポンダ１３１０は、イニシエータ１３０５から送信されたＩ−ＴＸＳＳショートＳＳＷフレーム１３３７、１３４０、．．．、１３４３を受信することが可能である。いくつかの実施態様においては、レスポンダは、（例えば、ＢＴＩ、ＡＴＩ、および／またはＤＴＩにおけるＭＩＭＯトレーニングセットアップを通じて）ＭＩＭＯ  ＢＦトレーニング用に意図されているＩ−ＴＸＳＳショートＳＳＷフレーム１３３７、１３４０、．．．、１３４３を識別することが可能である。したがってレスポンダ１３１０は、受信を行うために全て（またはいくつかの）受信チェーンを使用することが可能である。いくつかの実施態様においては、レスポンダ１３１０は、ＭＩＭＯ  ＢＦトレーニング中に、自分の受信ビームをトレーニングしないことが可能であり、受信を行うために準無指向性ビームを使用することが可能である。例えば、準無指向性ビームは、それぞれのＲＦチェーン上で形成されることが可能である。いくつかの実施態様においては、レスポンダ１３１０は、ＭＩＭＯ  ＢＦトレーニングの前に自分の受信ビームをトレーニングしておくことが可能であり、したがってそれは、トレーニングされたビームを受信のために使用することが可能である。それぞれのショートＳＳＷフレーム１３３７、１３４０、．．．、１３４３に関して、レスポンダ１３１０は、観察されるチャネル（すなわち、対応するＴｘおよびＲｘビームを使用する送信機と受信との間におけるチャネル）を測定するために自分の受信チェーンのうちの全て（またはいくつか）を使用することが可能である。時間ドメインチャネル測定が利用される場合には、それぞれの受信チェーンに関するマルチタップチャネルに関してＮｔａｐ個のチャネル測定値が入手されることが可能である。したがって、Ｎ個の連続したショートＳＳＷフレームおよびＮｒ個の受信チェーンに関して、レスポンダ１３１０は、Ｎ×Ｎｒ×Ｎｔａｐ個のチャネル測定値を有することが可能である。レスポンダ１３１０は、チャネル測定値をイニシエータ１３０５へフィードバックする準備を行うことが可能である。あるいは、イニシエータ側において使用されている送信ビームをレスポンダ１３１０が識別した場合には、レスポンダ１３１０は、イニシエータとレスポンダ１３１０との間におけるＮ×Ｎｒ個の物理ＭＩＭＯチャネルを再構築することが可能であり、それによってＮｒ個までのビームフォーミング重みが入手されることが可能である。それぞれのビームフォーミング重みは、Ｎｔ＿ｅｌｅｍｅｎｔ個の複素数を含むことが可能である。ここでＮｔ＿ｅｌｅｍｅｎｔは、イニシエータ側においてサポートされているアンテナ要素の合計数であることが可能である。ここで、例示的な目的のために、イニシエータ側においてＮｔ個の送信アンテナがあると想定されることが可能であり、この場合、それぞれの送信アンテナは、複数のアンテナ要素をサポートすることが可能である。したがってＮｔ＿ｅｌｅｍｅｎｔ≧Ｎｔである。完全なチャネルを正確に取得するためには、送信されるトレーニングフレーム、例えば、ショートＳＳＷフレームの数、Ｎは、Ｎｔ以上であることが可能である。レスポンダ１３１０は、Ｎｒ個のビームフォーミング重みをフィードバックすることが可能である。いくつかの実施態様においては、レスポンダ１３１０は、Ｎｒ個のビームフォーミング重みによって入手されたＮｒ個のフェーズシフタセットをフィードバックすることが可能である。フェーズシフタは、ビームフォーミング重みにおけるそれぞれの複素数のフェーズを含むことが可能である。
【０１０９】
Ｒ−ＴＸＳＳサブフェーズ１３５５において、レスポンダ１３１０は、別々のアンテナおよびビームを使用してショートＳＳＷフレーム１３６０、．．．、１３６３を送信することによってレスポンダセクタレベルスイープを開始することが可能である。イニシエータ１３０５は、直交しているトレーニングされたビーム同士を選ぶことが可能である。したがって、イニシエータおよび／またはレスポンダ１３１０は、物理チャネルを再構築するためにチャネル測定値を使用することが可能である。いくつかの実施態様においては、Ｒ−ＴＸＳＳにおけるレスポンダ１３１０およびイニシエータ１３０５の手順は、それぞれＩ−ＴＸＳＳにおけるイニシエータ１３０５およびレスポンダ１３１０の手順と同じであることが可能である。いくつかの実施態様においては、レスポンダ１３１０は、複数のレスポンダビームをスイープすることを使用して応答リンクをトレーニングしないことが可能であり、その代わりに、前のＩ−ＴＸＳＳにおいて観察された最も良好なＴＸビームをフィードバックするために１つのショートＳＳＷフレーム１３５７をイニシエータ１３０５へ送信することが可能である。ショートＳＳＷフレームにおいて、レスポンダは、前のＩ−ＴＸＳＳにおいて観察された最も良好なＳＩＳＯセクタを示すことが可能であり、それは、イニシエータ１３０５からレスポンダ１３１０への次なる送信が指向性であることを可能にすることができる。それぞれのサブフェーズの間においては（例えば、ショートＳＳＷ１３４３と１３５７との間においては）、事前に定義されたインターフレームスペーシングが使用される。この例においては、ミディアムビームフォーミングインターフレームスペーシング（ＭＢＩＦＳ）が示されているが、いかなる適切な任意の事前に定義されたインターフレームスペーシングも使用されることが可能である。
【０１１０】
ＳＩＳＯフィードバックサブフェーズ１３７５において、イニシエータ１３０５は、ＢＲＰフレーム１３８０をレスポンダへ送信することが可能である。ＢＲＰフレームは、Ｒ−ＴＸＳＳサブフェーズ１３５５において、以前に受信されたショートＳＳＷフレーム１３５７、１３６０、．．．、１３６３からフィードバックされたＳＩＳＯセクタを使用して送信されることが可能である。イニシエータ１３０５は、ＣＳＩまたはチャネル測定がＭＩＭＯトレーニングセットアップを通じてレスポンダ１３１０によって要求されているということを識別することが可能である。次の情報のうちのいくつかまたは全てが、ＢＲＰフレーム１３８０において搬送されることが可能である。要求されているチャネル測定、Ｒ−ＴＸＳＳにおいて観察された最も良好なＳＩＳＯセクタ／アンテナ、チャネル測定フィードバック要素（この要素においては、測定されたチャネルもしくは処理されたプリコーディング重みがフィードバックされることが可能である）、および／またはＥＤＭＧチャネル測定フィードバック要素。レスポンダ１３１０は、ＢＲＰフレーム１３９０をイニシエータへ送信することが可能である。ＢＲＰフレーム１３９０は、イニシエータ１３０５から送信された、以前に受信されたＢＲＰフレーム１３８０からフィードバックされたＳＩＳＯセクタを使用して送信されることが可能である。レスポンダ１３１０は、ＣＳＩまたはチャネル測定が、ＭＩＭＯトレーニングセットアップ、またはイニシエータ１３０５から送信された、以前に受信されたＢＲＰフレーム１３８０を通じてイニシエータ１３０５によって要求されているということを識別することが可能である。ＢＲＰフレーム１３９０において、次の情報のうちのいくつかまたは全てが搬送されることが可能である。チャネル測定フィードバック要素（この要素においては、測定されたチャネルまたは処理されたプリコーディング重みがフィードバックされることが可能である）、ＥＤＭＧチャネル測定フィードバック要素。
【０１１１】
上述のＭＩＭＯ  ＢＦトレーニングの後に、イニシエータ１３０５は、（例えば、フィードバックから）重みのセットを入手することが可能であり、それは、より高いランクのＭＩＭＯ送信を提供するために使用されることが可能である。イニシエータ１３０５は、フィードバックに基づいて、（例えば、重みが、イニシエータ１３０５とレスポンダ１３１０との間における高いランクの（例えば、複数のデータストリームの）通信を提供するのに十分である場合には）ＭＩＭＯフェーズトレーニングを省略してＭＩＭＯ送信を直接実行することを決定することが可能である。レスポンダ１３１０は、自分の受信アンテナが以前にトレーニングされていない場合には、ＭＩＭＯ送信を受信するためにそれらの受信アンテナの全ての上で準無指向性モードを使用することが可能である。
【０１１２】
いくつかの実施態様においては、イニシエータ１３０５およびレスポンダ１３１０は、指向性受信ビームをトレーニングするためにＭＩＭＯトレーニングを実行することを決定することが可能である。いくつかの実施態様においては、レスポンダ１３１０は、ＢＲＰフィードバックフェーズにおいてさらなるＭＩＭＯトレーニングを示唆することが可能である。いくつかの実施態様においては、イニシエータ１３０５は、レスポンダ１３１０からのフィードバックに基づいて、さらなるＭＩＭＯトレーニングを実行するかどうかを決定することが可能である。ＭＩＭＯトレーニングに関して、イニシエータ１３０５は、ＴＸビームのセットまたはＴＸの組合せのセット（すなわち、ＴＸビームおよびＡＶＷのセット）を選択することが可能であり、それは、振幅ベクトル重み（ＡＶＷ）のセットによって形成されることが可能である。ＡＶＷは、ＳＬＳのために使用されるビームのサブセットであることが可能であり、またはそうでないことも可能である。例えば、ＡＶＷは、入手されたＭＩＭＯチャネル上で特異値分解（ＳＶＤ）を実行することによって形成されることが可能である。イニシエータ１３０５は、ＭＩＭＯフェーズを使用して、選択されたＴＸビームの組合せを送信することを繰り返すことが可能であり、それによってレスポンダ１３１０は、受信ビームのセットを使用してスイープを行うことが可能である。レスポンダ１３１０は、さらなるＭＩＭＯ受信のためにレスポンダビームのうちの１つまたはセットを選択することが可能である。いくつかの実施態様においては、レスポンダ１３１０は、直交している受信ビームのセットをスイープすることを選ぶことが可能である。受信ビームを使用してチャネル応答を測定することによって、レスポンダ１３１０は、Ｎｔ×Ｎｒ＿ｃｏｍｐｏｎｅｎｔ個のチャネルを入手することが可能である。ここでＮｒ＿ｃｏｍｐｏｎｅｎｔは、受信アンテナ要素の合計数であることが可能である。受信アンテナウェイトベクトル（ＡＷＶ）は、Ｎｔ×Ｎｒ＿ｃｏｍｐｏｎｅｎｔ個のチャネルを使用することによって、例えば、チャネル上でＳＶＤを実行してＡＷＶのセットを入手することによって形成されることが可能である。
【０１１３】
複数のチャネル上でのＳＬＳを可能にするための手順が提供されることが可能である。ショートＳＳＷフレームおよびＳＳＷフレームの両方が、制御モードを伴って送信されることが可能である。制御モードは、帯域幅を示すことが可能ではない場合がある。非プライマリーチャネル上でのＳＳＷおよび／またはショートＳＳＷフレームを伴うＳＬＳを可能にするために、ＭＩＭＯトレーニングセットアップが要求されることが可能である。
【０１１４】
ＴＸＳＳ中に、およびＴＸＳＳのために使用されるチャネルがグラントフレーム、拡張スケジュール要素、またはＥＤＭＧ拡張スケジュール要素によって提供された場合には、イニシエータおよびレスポンダは、チャネル上でＳＳＷフレームまたはショートＳＳＷフレームを送ることが可能である。イニシエータは、複製された送信がＤＭＧチャネルアクセスルールによって必要とされる場合には、ＴＸＳＳのために使用されているチャネルに加えてチャネル上で複製のＳＳＷフレームまたは複製のショートＳＳＷフレームを送ることが可能である。
【０１１５】
図１４は、セカンダリーチャネル上での例示的なＳＬＳ手順１４００を示す信号図である。この例においては、チャネル１（Ｃｈ１）がプライマリーチャネルであり、チャネル２（Ｃｈ２）がセカンダリーチャネルである。
【０１１６】
ＡＰであることが可能であるイニシエータ１４０５が、前述されているものなどの修正されたフレーム、フィールド、およびシグナリングを使用することによって、ＢＴＩまたはＡＴＩを含むビーコンヘッダインターバル１４１５においてＭＩＭＯマルチチャネルＢＦトレーニングをセットアップすることが可能である。この例においては、イニシエータ１４０５は、Ｃｈ２におけるショートＳＳＷフレームを使用してＳＬＳの割り当てを示すことが可能である。例示的なセットアップ情報が、拡張スケジュール要素に、またはグラントフレームに含まれることが可能である。拡張スケジュール要素において、ＢＦ制御フィールドは、次のように設定されることが可能である。ＩｓＩｎｉｔｉａｔｏｒＴＸＳＳおよびＩｓＲｅｓｐｏｎｄｅｒＴＸＳＳサブフィールドの両方が、１に設定されることが可能であり、ＴＸＳＳチャネルインデックスフィールドが、チャネルインデックスに設定されることが可能である。この例においては、チャネルインデックスは、Ｃｈ２を示すことが可能である。グラントフレームにおいて、制御トレーラは、次のように設定されることが可能である。ＩｓＩｎｉｔｉａｔｏｒＴＸＳＳおよびＩｓＲｅｓｐｏｎｄｅｒＴＸＳＳサブフィールドの両方が、１に設定されることが可能であり、ＴＸＳＳチャネルインデックスフィールドが、チャネルインデックスに設定されることが可能である。この例においては、チャネルインデックスは、Ｃｈ２を示すことが可能である。
【０１１７】
イニシエータ１４０５は、Ｃｈ２上でＩ−ＴＸＳＳ１４２０を実行することが可能であり、その一方でレスポンダ１４１０は、Ｃｈ２上でＩ−ＴＸＳＳ１４２０の受信を行うことが可能である。レスポンダ１４１０は、Ｃｈ２上でＲ−ＴＸＳＳ１４２５を実行することが可能であり、その一方でイニシエータ１４０５は、Ｃｈ２上でＲ−ＴＸＳＳ１４２５を受信することが可能である。Ｒ−ＴＸＳＳ１４２５において送信されたＳＳＷフレームまたはショートＳＳＷフレームにおいては、前のＩ−ＴＸＳＳ１４２０において観察された最も良好なＴＸセクタ／アンテナが含まれてイニシエータ１４０５にフィードバックされることが可能であるということに留意されたい。フィードバック情報は、ＳＳＷフレームまたはショートＳＳＷフレームが送信されることが可能である同じチャネル上で測定されることが可能である。この例においては、ショートＳＳＷフレームは、Ｃｈ２を介して送信されることが可能であり、したがってフィードバック情報は、Ｃｈ２に基づいて測定されることが可能である。
【０１１８】
フィードバックサブフェーズ１４３０において、いくつかの実施態様においては、イニシエータ１４０５は、ＳＳＷフィードバックフレーム（この例においてはＢＲＰフレーム１４３５）をレスポンダへ送信することが可能であり、レスポンダは、ＳＳＷ  ＡＣＫフレーム（この例においてはＢＲＰフレーム１４４０）をイニシエータへ送信することが可能である。これらのフレームのやり取りを使用して、フィードバック情報は、ＳＳＷフレームまたはショートＳＳＷフレームが送信されることが可能である同じチャネル上で測定されることが可能である。この例においては、ショートＳＳＷフレームは、Ｃｈ２を介して送信されることが可能であり、したがってフィードバック情報は、Ｃｈ２に基づいて測定されることが可能である。ＳＩＳＯフィードバックに関して、イニシエータ１４０５は、ＳＳＷフィードバックフレームをＢＲＰフレーム１４３５としてレスポンダ１４１０へ送信することが可能であり、レスポンダ１４１０は、ＳＳＷフィードバックフレームをＢＲＰフレーム１４４０としてイニシエータへ送信することが可能である。ＢＲＰフレームの送信は、プライマリーチャネル（Ｃｈ１）上で実行されることが可能であり、フィードバック情報は、別のチャネル、例えばＣｈ２上で測定されることが可能である。
【０１１９】
手順１４００においては、イニシエータ１４０５は、ＡＰであることが可能である。しかしながら、いくつかの実施態様においては、手順は、２つの非ＡＰ  ＳＴＡを使用して実施されることが可能である。そのケースにおいては、ＡＰは、ＢＴＩまたはＡＴＩを使用してセカンダリーチャネル上でＭＩＭＯトレーニングをセットアップすることが可能であり、その一方で非ＡＰ  ＳＴＡは、イニシエータおよびレスポンダであることが可能である。いくつかの実施態様においては、複数のチャネルに関するＳＬＳが、下記の修正のうちの１つまたは複数を伴って、例えば、ＩＥＥＥ８０２．１１ａｙにおいて定義されているように、ＢＲＰ  ＴＸＳＳ手順を使用して実行されることが可能である。ＢＲＰ  ＴＸＳＳをセットアップするために使用されることが可能であるＢＲＰフレームにおいては、フィードバックにおいて測定および報告されたチャネル番号またはチャネル測定値もしくはＳＮＲの帯域幅を示すためにフィードバックＲｅｑ  ＢＷおよび／またはフィードバックタイプＢＷフィールドが含まれることが可能である。ＢＲＰ  ＴＸＳＳトレーニングのために使用されることが可能であるＢＲＰフレームにおいては、フィードバックにおいて測定および報告されたチャネル番号またはチャネル測定値もしくはＳＮＲの帯域幅を示すためにフィードバックＲｅｑ  ＢＷおよび／またはフィードバックタイプＢＷフィールドが含まれることが可能である。ＢＲＰフレームは、複数のチャネル上で複製モードを使用して送信されることが可能である。プライマリーチャネル上で、ＢＲＰフレームは、トレーニングされた指向性ビームを（利用可能な場合には）使用して送信されることが可能である。１つまたは複数の非プライマリーチャネル上で、ＢＲＰフレームは、ＳＬＳ／ビームフォーミングトレーニングが前に実行されていない場合には、準無指向性方向を使用して送信されることが可能である。トレーニング（ＴＲＮ）フィールドは、チャネルボンディングまたはチャネルアグリゲーションを使用して付加されることが可能である。レスポンダは、プライマリーチャネル上でＢＲＰフレームを受信することが可能であり、フィードバックＲｅｑ  ＢＷフィールドにおいて示されているチャネル上でＴＲＮフィールドを使用してチャネル測定を実行することが可能である。ＢＲＰ  ＴＸＳＳフィードバックを搬送するために使用されることが可能であるＢＲＰフレームにおいては、フィードバックにおいて測定および報告されたチャネル番号またはチャネル測定値もしくはＳＮＲの帯域幅を示すためにフィードバックＲｅｑ  ＢＷおよび／またはフィードバックタイプＢＷフィールドが含まれることが可能である。
【０１２０】
例えば、ＭＵ−ＭＩＭＯユーザグルーピングの問題に対処するためのＳＬＳベースのＭＵ  ＭＩＭＯグルーピングメカニズムが提供されることが可能である。例えば、ＡＰが、ＭＩＭＯ  ＢＦトレーニングを実行する前にＥＤＭＧグループ管理ＩＤを送信することが可能である。したがってＡＰは、どのＳＴＡがグループ化されることが可能であるかを決定するために、さらに多くの情報を必要とする場合がある。この例に関しては、ＡＰはＳＴＡとの間でＳＬＳを実行しておくことが可能であり、ＳＬＳトレーニングからのフィードバックに基づいてユーザをグループ化することが可能であると想定されることが可能である。いくつかの例においては、ＳＬＳがＳＳＷフレームを使用して実行されることが可能であり、かつフィードバックが、ＳＳＷフィードバックフィールドを伴うＳＳＷフレームを使用している可能性があるケースにおいては、セクタスイープフィードバックフィールドは、例えば、図１５において示されているように、最悪のセクタ情報を搬送するように修正されることが可能である。
【０１２１】
図１５は、例示的なセクタスイープフィードバックフィールド１５００を示すビットマップである。セクタスイープフィードバックフィールド１５００は、セクタ選択フィールド１５０５、ＤＭＧアンテナ選択フィールド１５１０、ＳＮＲ報告フィールド１５１５、「必要とされるポーリング」フィールド１５２０、およびセクタ選択ＭＳＢフィールド１５２５、予備フィールド１５３０およびＥＤＭＧ拡張フラグフィールド１５３５を含む。
【０１２２】
図１５において示されているように、ＥＤＭＧ拡張フラグフィールド１５３５が０に設定されているケースにおいては、セクタ選択ＭＳＢフィールド１５２５および予備フィールド１５３０に取って代わる６ビットのウィークセクタフィールド１５４０が、ＳＳＷフィードバックフィールド１５００において示されることが可能である。ウィークセクタフィールド１５４０は、例えば、ごくわずかな（例えば、しきい値を下回る）エネルギーをＳＴＡが検知しているセクタを示すことが可能である。ＡＰは、このセクタを使用して、その他のＳＴＡへの送信を行うことが可能であり、ＳＴＡは、著しい干渉を観察しないことが可能である。この情報をＡＰ側において用意させることは、ＡＰがユーザをグループ化すること、および／またはそれらの間における干渉を最小化することを容易にすることが可能である。
【０１２３】
いくつかの例示的な実施態様においては、ビームフォーミングトレーニング割り当て手順において、例えば、ＩＥＥＥ８０２．１１ａｙにおいて定義されているように、それぞれのＳＴＡに関する最も良好な送信セクタが、スロットベースのフィードバック送信によって黙示的に示されることが可能である。
【０１２４】
例えば、ＳｅｃｔｏｒＩＤ＝Ｋに関連付けられているスロットにおいてＳＴＡが送信を行う場合には、それは、ＴＸセクタＫがそのＳＴＡにとって（例えば、ＳＴＡ測定に基づいて）最も良好なセクタであるということを黙示的に示すことが可能である。いくつかの実施態様においては、ＳＳＷフレームまたはショートＳＳＷフレームが、フィードバックフレームとして使用されることが可能である。したがって、ビームフォーミングＳＰにおけるＳＳＷまたはショートＳＳＷフレームにおけるセクタＩＤフィールドは、ＳＴＡによって示唆されたウィークセクタとして再解釈されることが可能である。あるいは、ビームフォーミングＳＰにおけるＳＳＷまたはショートＳＳＷフレームにおけるセクタＩＤフィールドは、ＳＴＡによって示唆された２番目に強いセクタとして再解釈されることが可能である。
【０１２５】
図１６は、ビームフォーミングＳＰ１６００中のビームフォーミングトレーニング割り当てにおける非対称リンクに関するビームフォーミングトレーニングを示す信号図である。ＳＰ１６００中に、ＥＤＭＧ  ＡＰ／ＰＣＰ１６５０が、自分の受信アンテナセクタのうちのそれぞれの上でＳＳＷを探してスキャンを行う。例えば、スロット１６０５中に、ＥＤＭＧ  ＡＰ／ＰＣＰ１６５０は、いくつかのスペースタイムスロット１６０６、１６０７、１６０８、１６０９のそれぞれにおいてセクタ０（ＳｅｃｔｏｒＩＤ＝０）上でスキャンを行う。スロット１６０５中に、ＥＤＭＧ  ＳＴＡ１６６０が、自分の選択された送信セクタを使用してショートＳＳＷ１６２０を送信する。スペースタイムスロット１６０７中に、ＥＤＭＧ  ＳＴＡ１６６０の送信アンテナパターンが、ショートＳＳＷ１６２０を受信するＥＤＭＧ  ＡＰ／ＰＣＰ１６５０の受信アンテナパターン（すなわち、この例においてはスロット０）と揃えられている。
【０１２６】
同様に、スロット１６２５中に、ＥＤＭＧ  ＡＰ／ＰＣＰ１６５０は、いくつかのスペースタイムスロット１６２６、１６２７、１６２８、１６２９のそれぞれにおいてセクタ１（ＳｅｃｔｏｒＩＤ＝１）上でスキャンを行う。いくつかの例においては、スロット１６２５は、スロット１６０５が終了した後に１つのショートビームフォーミングインターフレームスペース（ＳＢＩＦＳ）を開始する。スロット１６２５中に、ＥＤＭＧ  ＳＴＡ１６６０が、自分の選択された送信セクタ上でショートＳＳＷ１６３０を送信する。スペースタイムスロット１６２６中に、ＥＤＭＧ  ＳＴＡ１６７０の送信アンテナパターンが、ショートＳＳＷ１６３０を受信するＥＤＭＧ  ＡＰ／ＰＣＰ１６５０の受信アンテナパターン（すなわち、この例においてはスロット１）と揃えられている。
【０１２７】
ＥＤＭＧ  ＡＰ／ＰＣＰ１６５０は、ＡＣＫスロット１６４０まで自分のその他のセクタ上で引き続きスキャンを行う。ＡＣＫスロット１６４０中に、ＥＤＭＧ  ＡＰ／ＰＣＰ１６５０は、スペースタイムスロット１６４１、１６４２、１６４３、１６４４、．．．、１６４５、１６４６において自分のセクタのうちのそれぞれに関してショートＳＳＷ  ＡＣＫ信号を送信する。例えば、ＥＤＭＧ  ＡＰ／ＰＣＰ１６５０は、ショートＳＳＷ１６２０の受信を確認するショートＳＳＷ  ＡＣＫ信号１６４７をスロット１６４１中にＥＤＭＧ  ＳＴＡ１６６０へ送信する。ＡＣＫスロット１６４０中に、ＥＤＭＧ  ＳＴＡ１６６０は、自分の最も強いビーム１６９０上で受信を行っており、それは、ショートＳＳＷフレーム１６２０を送信するために使用された送信ビームに対応する受信ビームである。スロット１６４１中にＥＤＭＧ  ＳＴＡ１６６０によってショートＳＳＷ  ＡＣＫ信号１６４７を受信することは、ＥＤＭＧ  ＳＴＡ１６６０の最も強い送信セクタが、それがショートＳＳＷ１６２０を送信した送信セクタであるということを暗示する。最も強い送信セクタが暗示されているので、ＥＤＭＧ  ＳＴＡ１６６０によって示唆されたウィークセクタ、または２番目に強いセクタ、またはその他の情報をシグナリングするためにショートＳＳＷフレーム１６２０におけるセクタＩＤフィールドが使用されることが可能である。
【０１２８】
同様に、ＥＤＭＧ  ＡＰ／ＰＣＰ１６５０は、ショートＳＳＷ１６３０の受信を確認するショートＳＳＷ  ＡＣＫ信号１６４８をスロット１６４２中にＥＤＭＧ  ＳＴＡ１６７０へ送信する。ＡＣＫスロット１６４０中に、ＥＤＭＧ  ＳＴＡ１６７０は、自分の最も強いビーム１６９５上で受信を行っており、それは、ショートＳＳＷフレーム１６３０を送信するために使用された送信ビームに対応する受信ビームである。スロット１６４２中にＥＤＭＧ  ＳＴＡ１６７０によってショートＳＳＷ  ＡＣＫ信号１６４８を受信することは、ＥＤＭＧ  ＳＴＡ１６７０の最も強い送信セクタが、それがショートＳＳＷ１６３０を送信した送信セクタであるということを暗示する。最も強い送信セクタが暗示されているので、ＥＤＭＧ  ＳＴＡ１６７０によって示唆されたウィークセクタ、または２番目に強いセクタ、またはその他の情報をシグナリングするためにショートＳＳＷフレーム１６３０におけるセクタＩＤフィールドが使用されることが可能である。
【０１２９】
いくつかの例においては、前で論じられているＢＲＰフィードバックの問題に対処するためにＩＦＳネゴシエーションが提供されることが可能である。いくつかの実施態様においては、送信を可能にするために複製制御モードを使用してＱｏＳヌルフレームが送信されることが可能である。例えば、非拡張指向性マルチギガビット（非ＥＤＭＧ）複製制御モードを可能にするために、物理レイヤ（ＰＨＹ）の送信フォーマットが提供されることが可能であり、それは、２．１６ＧＨｚの非ＥＤＭＧ送信を２つ以上の２．１６ＧＨｚチャネルにおいて複製し、それらの２．１６ＭＨｚチャネルのうちの任意の１つの上での非ＥＤＭＧベーシックサービスセット（ＢＳＳ）内のステーション（ＳＴＡ）がその送信を受信することを可能にし、それによって、単一のチャネル上で検知を行うことができる可能性があるＳＴＡがその送信を理解する。ＡＰが複数のチャネルをサポートしている場合には、複製の送信は、プライマリーチャネル上の送信を複製することが可能である。例示的な非ＥＤＭＧ複製フォーマットは、下記のうちの１つを含むことが可能である。４．３２ＧＨｚの非ＥＤＭＧ複製：  ２．１６ＧＨｚの非ＥＤＭＧ送信を２つの隣り合った２．１６ＧＨｚチャネルにおいて複製するＰＨＹの送信フォーマット。６．４８ＧＨｚの非ＥＤＭＧ複製：  ２．１６ＧＨｚの非ＥＤＭＧ送信を３つの隣り合った２．１６ＧＨｚチャネルにおいて複製するＰＨＹの送信フォーマット。８．６４ＧＨｚの非ＥＤＭＧ複製：  ２．１６ＧＨｚの非ＥＤＭＧ送信を４つの隣り合った２．１６ＧＨｚチャネルにおいて複製するＰＨＹの送信フォーマット。２．１６＋２．１６ＧＨｚの非ＥＤＭＧ複製：  ２．１６ＧＨｚの非ＥＤＭＧ送信を１つの２．１６ＧＨｚチャネルの２つの周波数セグメントにおいて複製するＰＨＹの送信フォーマット。４．３２＋４．３２ＧＨｚの非ＥＤＭＧ複製：  ２．１６ＧＨｚの非ＥＤＭＧ送信を２つの隣り合った２．１６ＧＨｚチャネルの２つの周波数セグメントにおいて複製するＰＨＹの送信フォーマット、この場合、チャネルのそれらの２つの周波数セグメントは必ずしも隣り合っているとは限らない。
【０１３０】
いくつかの実施態様においては、ＥＤＭＧ  ＳＴＡに宛てられて非ＥＤＭＧ複製フォーマットで搬送されたＲＴＳフレームを送信するＥＤＭＧ  ＳＴＡは、ＴＸＶＥＣＴＯＲパラメータＣＨ＿ＢＡＮＤＷＩＤＴＨを、選択されたチャネル帯域幅に設定することになる。完全な帯域幅シグナリング情報およびＭＩＭＯ表示を提供するために、ＥＤＭＧ  ＳＴＡは、送信されるＲＴＳフレームに制御トレーラを含めることが可能である。
【０１３１】
さらなる制御シグナリングを提供するために、制御トレーラが制御モードＰＰＤＵに挿入されることが可能である。ＥＤＭＧ  ＳＴＡは、制御モードＰＰＤＵにおける制御トレーラの存在を示すためにＴＸＶＥＣＴＯＲパラメータＣＯＮＴＲＯＬ＿ＴＲＡＩＬＥＲを「あり」に設定することになり、ＰＰＤＵに含まれることになる制御トレーラのタイプを示すためにＴＸＶＥＣＴＯＲパラメータＣＴ＿ＴＹＰＥを設定することが可能である。
【０１３２】
いくつかの例においては、例えば、前で論じられているＢＲＰフィードバックに関するＩＦＳネゴシエーションの問題に対処するために、ＱｏＳヌルフレームが複数のデリミタによって後続されることが可能であり、その後にフィードバック（ＦＢ）フレームが送信されることが可能である。ＢＲＰを実行する際に、応答側ＳＴＡが、要求側ＳＴＡからのビームリファインメントトレーニング要求への応答としてＢＲＰフレームを送信するためにＳＩＦＳよりも長い時間を必要とする場合には、応答側ＳＴＡは、要求側ＳＴＡへ１つまたは複数のＰＰＤＵを送信することによって、ＩＦＳをビームリファインメントプロトコルインターフレームスペーシング（ＢＲＰＩＦＳ）以下に保つことが可能である。これは、送るためのＭＳＤＵをＤＭＧ  ＳＴＡが有していない場合にビームリンクメンテナンスタイマーが切れるのを防止するために行われることも可能である。このケースにおいては、ＤＭＧ  ＳＴＡは、ビームフォーミングされたリンクを保持するためにＱｏＳヌルフレームを送信することが可能である。それぞれのＱＯＳヌルフレームは、少なくとも３０オクテットのサイズであることが可能である（例えば、図１７および図１８）。遅延の量子化を低減するために、繰り返されるＱＯＳヌルフレームが送られることになるレガシーの方法よりもむしろ、ＱＯＳヌルフレームの後に、情報が送信される用意ができるまで、４オクテットのサイズの複数のＤＭＧ  ＭＰＤＵデリミタが送られることが可能である。
【０１３３】
図１７は、例示的なデータフレーム１７００を示すビットマップである。例示的なデータフレーム１７００は、フレーム制御フィールド１７０５、持続時間フィールド１７１０、アドレス１フィールド１７１５、アドレス２フィールド１７２０、アドレス３フィールド１７２５、シーケンス制御フィールド１７３０、アドレス４フィールド１７３５、ＱｏＳ制御フィールド１７４０、ＨＴ制御フィールド１７４５、およびＦＣＳフィールド１７５５を含む。この例においては、フレーム制御フィールド１７０５、持続時間フィールド１７１０、アドレス１フィールド１７１５、アドレス２フィールド１７２０、アドレス３フィールド１７２５、シーケンス制御フィールド１７３０は、全てのデータフレームサブタイプにおいて存在する。アドレス４フィールド１７３５の存在は、フレーム制御フィールド１７０５の「ＤＳへ」および「ＤＳから」サブフィールドの設定によって決定される。ＱｏＳ制御フィールド１７４０が存在するかどうかは、フレーム制御フィールド１７０５のサブタイプのＱｏＳサブフィールド（例えば、そのＱｏＳサブフィールドが１に設定されている場合）に基づいて決定される。フレーム制御フィールド１７０５、持続時間フィールド１７１０、アドレス１フィールド１７１５、アドレス２フィールド１７２０、アドレス３フィールド１７２５、シーケンス制御フィールド１７３０、アドレス４フィールド１７３５、ＱｏＳ制御フィールド１７４０、およびＨＴ制御フィールド１７４５が、データフレーム１７００のＭＡＣヘッダを構成している。
【０１３４】
図１８は、例示的なＱｏＳデータフレーム１８００および例示的なＱｏＳヌルフレーム１８５０を示すビットマップである。例示的なＱｏＳデータフレーム１８００は、ＴＩＤフィールド１８０５、ＥＯＳＰフィールド１８１０、ＡＣＫポリシーフィールド１８１５、「存在しているＡ−ＭＳＤＵ」フィールド１８２０、Ａ−ＭＳＤＵタイプフィールド１８２５、「ＲＤＧ／さらなるＰＰＤＵ」フィールド１８３０、「バッファリングされているＡＣ」フィールド１８３５、予備フィールド１８４０、およびＡＣ制約フィールド１８４５を含む。例示的なＱｏＳヌルフレーム１８５０は、ＴＩＤフィールド１８０５、ＥＯＳＰフィールド１８１０、ＡＣＫポリシーフィールド１８１５、予備フィールド１８５５、予備フィールド１８６０、「ＲＤＧ／さらなるＰＰＤＵ」フィールド１８３０、「バッファリングされているＡＣ」フィールド１８３５、予備フィールド１８４０、およびＡＣ制約フィールド１８４５を含む。
【０１３５】
ＭＰＤＵデリミタは、４オクテットの長さであることが可能である。図１９は、ＤＭＧまたはＥＤＭＧ  ＳＴＡによって送信される場合のＭＰＤＵデリミタフィールドに関する例示的な構造を表す例示的なＭＰＤＵデリミタフィールド１９００を示すビットマップである。ＭＰＤＵデリミタフィールド１９００は、予備フィールド１９０５、ＭＰＤＵ長さフィールド１９１０、巡回冗長検査（ＣＲＣ）フィールド１９１５、およびデリミタ署名フィールド１９２０を含む。この例においては、ＭＰＤＵ長さフィールド１９１０は、プレースホルダであるデリミタに関してはゼロに設定されることが可能である。
【０１３６】
図２０は、ＢＲＰ中にデリミタを使用して実現されることが可能である例示的なオーバーヘッド節減を示す信号図である。この例においては、オーバーヘッド節減とは、ＳＴＡが無用にメディアを確保する必要がある時間の量における低減を表している。第１の手順２０００において、ＱｏＳヌルフレーム２０１０が、応答側ＳＴＡによって送信される。この例においては、ＱｏＳヌルフレーム２０１０は、３０オクテットの長さである。この例においては、応答側ＳＴＡは、ＱｏＳヌルフレーム２０１０を送信した後に送信するために利用可能なＢＲＰフィードバックをまだ有していない。したがって、第２のＱｏＳヌルフレーム２０２０が、応答側ＳＴＡによって送信される。第２のＱｏＳヌルフレーム２０２０も、３０オクテットの長さである。この例においては、ＢＲＰフィードバック情報は、応答側ＳＴＡがＱｏＳヌルフレーム２０２０の送信中に送信するために利用可能になる。したがって、ＢＲＰフィードバック２０３０が、応答側ＳＴＡによってＱｏＳヌルフレーム２０２０に続いて送信される。
【０１３７】
第２の手順２０５０において、ＱｏＳヌルフレーム２０６０が、応答側ＳＴＡによって送信される。この例においては、ＱｏＳヌルフレーム２０６０は、３０オクテットの長さである。この例においては、応答側ＳＴＡは、ＱｏＳヌルフレーム２０６０を送信した後に送信するために利用可能なＢＲＰフィードバックをまだ有していない。したがって、ＤＭＧ  ＭＰＤＵデリミタ２０７０が、応答側ＳＴＡによって送信される。ＤＭＧ  ＭＰＤＵデリミタ２０７０は、４オクテットの長さである。この例においては、応答側ＳＴＡは、ＱｏＳヌルフレーム２０６０を送信した後に送信するために利用可能なＢＲＰフィードバックをまだ有していない。したがって、ＤＭＧ  ＭＰＤＵデリミタ２０８０が、応答側ＳＴＡによって送信される。ＤＭＧ  ＭＰＤＵデリミタ２０８０も、４オクテットの長さである。この例においては、ＢＲＰフィードバック情報は、応答側ＳＴＡがＤＭＧ  ＭＰＤＵデリミタ２０８０の送信中に送信するために利用可能になる。したがって、ＢＲＰフィードバック２０９０が、応答側ＳＴＡによってＤＭＧ  ＭＰＤＵデリミタ２０８０に続いて送信される。
【０１３８】
例示的な手順２０５０においては、応答側ＳＴＡは、最初のＱＯＳヌルを送信し、次いでその後に、フィードバック情報が送られる用意ができるまでＡ−ＭＰＤＵデリミタを送信する。したがって応答側ＳＴＡは、手順２０００と比較されると、手順２０５０においては２２オクテット早くＢＲＰフィードバックを送信することを開始する。これは、この方法においてＤＭＧ  ＭＰＤＵデリミタを使用することの利点を示している。
【０１３９】
いくつかの例においては、ＢＲＰフィードバック送信の前に送信されるＤＭＧ  ＭＰＤＵデリミタは、次なる送信が非ゼロパケットであるということを示すことが可能である。
【０１４０】
図２１Ａおよび図２１Ｂは、イニシエータ２１０５とレスポンダ２１１０との間における例示的な修正されたＢＲＰ  ＴＸＳＳ手順２１００を示す信号図である。ＢＲＰフレーム２１１５が、ＢＲＰ  ＴＸＳＳをセットアップするためにイニシエータ２１０５からレスポンダ２１１０へ送信されることが可能である。ＢＲＰフレーム２１１５は、ＴＸＳＳ−ＲＥＣＩＰＲＯＣＡＬおよびＴＸＳＳ−ＲＥＳＰＯＮＤＥＲという２つのフィールドを含むことが可能である。同じフレームのＥＤＭＧ  ＢＲＰ要求要素におけるＴＸＳＳ−ＲＥＣＩＰＲＯＣＡＬサブフィールドが１に設定されていて、かつＢＲＰ  ＴＸＳＳを開始するＢＲＰフレームのＥＤＭＧ  ＢＲＰ要求要素におけるＴＸＳＳ−ＲＥＳＰＯＮＤＥＲサブフィールドが１に等しい場合には、チャネルレシプロシティーを使用する手順が適用されることが可能である。ＢＲＰ  ＴＸＳＳを開始するＢＲＰフレームのＥＤＭＧ  ＢＲＰ要求要素におけるＴＸＳＳ−ＲＥＳＰＯＮＤＥＲサブフィールドが１に等しい場合には、手順は、イニシエータＢＲＰ  ＴＸＳＳおよびレスポンダＢＲＰ  ＴＸＳＳを含むことが可能であり、それは、この例に関して想定されている。ＢＲＰフレーム２１２０は、ＢＲＰフレーム２１１５と同じまたは同様のフィールドを使用してレスポンダ２１１０からイニシエータ２１０５へセットアップ情報を搬送する。
【０１４１】
イニシエータＴＸＳＳにおいて、レスポンダ２１１０は、複数のＲＸアンテナ上で順次または同時に受信を行うことが可能である。この例においては、レスポンダ２１１０は、イニシエータ２１０５が送信セクタスイープを実行している間に順次ＤＭＧアンテナ１からＤＭＧアンテナＮresp,RXを使用して検知を行う。レスポンダ２１１０がそれぞれのＤＭＧアンテナを用いて検知を行っている時間中に、イニシエータ２１０５は、自分のＤＭＧ送信アンテナのうちのそれぞれを介してＥＤＭＧ  ＢＲＰ−ＴＸパケット２１２５、２１３０、２１３５、２１４０を送信する。いくつかの実施態様においては、ＥＤＭＧ  ＢＲＰ−ＴＸパケットの代わりにＥＤＭＧ  ＢＲＰ−ＲＸパケットが使用されることが可能であるということに留意されたい。
【０１４２】
それぞれのＲＸアンテナは、準無指向性ビームまたは指向性ビームを形成することが可能である。イニシエータＴＸＳＳ中に、レスポンダは、１つまたは複数のＲＸアンテナが残りのものよりも良好に機能するということを観察することが可能である。アンテナの性能は、ＳＮＲ、ＳＩＮＲ、ＲＳＳＩなどによって測定されることが可能である。
【０１４３】
レスポンダＴＸＳＳにおいて、レスポンダ２１１０は、レスポンダＴＸＳＳのために送信を行うためにイニシエータＴＸＳＳ（すなわち、ＥＤＭＧ  ＢＲＰ−ＴＸパケット２１２５、２１３０、２１３５、２１４０）を受信する際にその他のものよりも（例えば、ＳＮＲ、ＳＩＮＲ、ＲＳＳＩ、またはその他の適切なメトリックの点で）良好に機能する１つまたは複数のＲＸアンテナを使用することを（例えば、レスポンダの受信アンテナとのアンテナレシプロシティーの想定に基づいて）決定することが可能である。手順２１００においては、レスポンダＴＸＳＳを実行するために、Ｎ＿ｓｅｌ＿１からＮ＿ｓｅｌ＿ｎのアンテナが選ばれる。レスポンダ２１１０は、ＥＤＭＧＢ  ＲＰ−ＴＸパケット２１４５、２１５０、２１５５、２１６０、．．．２１６５、２１７０をＮ＿ｓｅｌ＿１からＮ＿ｓｅｌ＿ｎのアンテナのそれぞれからイニシエータ２１０５へ送信し、その一方でイニシエータ２１０５は、それぞれ自分のＤＭＧアンテナ１からＤＭＧアンテナＮinit,RXのそれぞれの上で受信を行う。
【０１４４】
レスポンダＴＸＳＳにおいて送信されるそれぞれのＥＤＭＧ  ＢＲＰ  ＴＸパケットのＢＲＰ  ＣＤＯＷＮフィールドは、レスポンダ２１１０によって送信されることになる残りのＥＤＭＧ  ＢＲＰ  ＴＸパケットの数を示すことが可能である。
【０１４５】
イニシエータＴＸＳＳおよびレスポンダＴＸＳＳフェーズの後に、１つまたは複数の最も良好な（例えば、ＳＮＲ、ＳＩＮＲ、ＲＳＳＩ、またはその他の適切なメトリックの点で）セクタの識別情報が、受信機から送信機へフィードバックされることが可能である。例えば、イニシエータ２１０５は、ＢＲＰ２１７５をレスポンダ２１１０へ送信し、レスポンダ２１１０は、ＢＲＰ２１８０をイニシエータ２１０５へ送信する。
【０１４６】
ＢＲＰパケットが前のイニシエータＴＸＳＳにおいて使用されている場合には、フィードバックセクタは、ＢＲＰ  ＣＤＯＷＮの値およびＡＷＶフィードバックＩＤを使用して識別されることが可能である。ＢＲＰ、ＣＤＯＷＮ、およびＡＷＶフィードバックＩＤをＢＲＰフィードバックフレームに含めるために、ＢＲＰフレームは、ＥＤＭＧチャネル測定フィードバック要素を含むことが可能である。ＥＤＭＧチャネル測定フィードバック要素が存在していないケースにおいては、ＢＲＰフレームにおける１つまたは複数のその他の要素および／またはフィールドが、ＢＲＰ  ＣＤＯＷＮの数を含むように修正されることが可能である。
【０１４７】
例えば、前で論じられている、レスポンダが送信および受信のために別々のアンテナを有する結果となるＳＳＷフィードバックの問題に対処するために、受信アンテナ表示を伴うＳＬＳが実施されることが可能である。いくつかの実施形態においては、ＲＳＳメッセージが、最も良好な受信品質（例えば、ＳＮＲ、ＳＩＮＲ、ＲＳＳＩ、またはその他の適切なメトリックの点で）を有する選択されたセクタおよび／またはＣＤＯＷＮを受信したＲｘアンテナおよび／またはＲＦチェーンのアイデンティティーを示すことが可能である。この表示に基づいて、イニシエータは、後続のフィードバックメッセージにおいて、示されているレスポンダアンテナ／ＲＦチェーンに対応するレスポンダセクタおよび／またはＣＤＯＷＮを選択することが可能であり、それによって、フィードバックメッセージを受信した後のレスポンダの送信アンテナおよび受信アンテナが、同じであるかまたはマッチされていることになる。
【０１４８】
いくつかの実施態様においては、現在の送信アンテナ（またはＲＦチェーン）が、最も良好な品質を有するＳＳＷフィードバックフィールド（またはショートＳＳＷフィードバックフィールド）において示されている選択されたセクタを受信したアンテナ（またはＲＦチェーン）であるということを示す目的で、ＲＳＳを実行するために使用されるショートＳＳＷパケット、ＳＳＷフレーム、またはその他の任意のパケットにビットが加えられることが可能である。
【０１４９】
例示的な実施態様においては、ビットは、ＲＳＳのために使用されるショートＳＳＷパケットおよび／もしくはＳＳＷフレームに、またはＢＲＰ  ＴＸＳＳパケットに含まれることが可能である。イニシエータは、後続のフィードバックメッセージ（例えば、ＳＳＷフィードバック）において最も良好なＲｘ品質を有するレスポンダのアンテナに対応するセクタを選択することおよび示すことが可能である。最も良好なＲｘ品質を有するアンテナは、ＲＳＳメッセージ／パケットに加えられる１つまたは複数のビットによって示されることが可能である。イニシエータは、ＲＳＳにおいてレスポンダによって選択されたイニシエータセクタのイニシエータアンテナおよび／またはＲＦチェーンの受信された信号強度および／または品質に基づいてレスポンダセクタを選択することが可能である。例えば、イニシエータは、レスポンダセクタを選ぶためにＲＳＳにおいてレスポンダによって選択されたイニシエータセクタのＲＦチェーンおよび／またはアンテナからの受信された信号品質のみを使用することが可能である。ビットがショートＳＳＷパケットに含まれる場合には、それは、方向フィールドが１に等しいショートＳＳＷパケットにおける予備ビットのうちの１つに取って代わることが可能である。ビットがＳＳＷフレームに含まれる場合には、それは、ＢＲＰ要求フィールドにおける予備ビットのうちの１つに取って代わることが可能である。
【０１５０】
図２２は、方向フィールドが１である例示的なショートＳＳＷパケットフォーマット２２００を示すビットマップである（Ｒ−ＴＸＳＳ）。ショートＳＳＷパケットフォーマット２２００は、パケットタイプフィールド２２０５、方向フィールド２２１０（この例においては１に設定されている）、「最も良好なＲｘ  ＲＦチェーン」フィールド２２１５、ソースＡＩＤフィールド２２２０、宛先ＡＩＤフィールド２２２５、ＣＤＯＷＮフィールド２２３０、ＲＦチェーンＩＤフィールド２２３５、ショートＳＳＷフィードバックフィールド２２４０およびＦＣＳフィールド２２４５を含む。ここで、「最も良好なＲｘ  ＲＦチェーンフィールド」２２１５は、全ての受信ＲＦチェーン／アンテナを使用して全ての受信セクタの中から最も良好な品質を有する選択されたセクタを受信したＲＦチェーンまたは受信アンテナのアイデンティティーを示すために使用されることが可能である。
【０１５１】
図２３は、例示的なＢＲＰ要求フィールドフォーマット２３００を示すビットマップである。ＢＲＰ要求フィールドフォーマット２３００は、Ｌ−ＲＸフィールド２３０５、ＴＸ−ＴＲＮ−ＲＥＱフィールド２３１０、ＭＩＤ−ＲＥＱフィールド２３１５、ＢＣ−ＲＥＱフィールド２３２０、ＭＩＤグラントフィールド２３２５、ＢＣグラントフィールド２３３０、Ｃｈａｎ−ＦＢＣＫ−ＣＡＰフィールド２３３５、ＴＸセクタＩＤフィールド２３４０、Ｏｔｈｅｒ＿ＡＩＤフィールド２３４５、ＴＸアンテナＩＤフィールド２３５０、「要求されているさらなるフィードバック」フィールド２３５５、「最も良好なＲｘアンテナ」フィールド２３６０、および予備フィールド２３６５を含む。ここで、「最も良好なＲｘアンテナ」フィールド２３６０は、全ての受信アンテナの中から最も良好な品質を有する選択されたセクタを受信したアンテナのアイデンティティーを示すために使用されることが可能である。
【０１５２】
いくつかの実施態様においては、選択および／またはフィードバックされるセクタおよび／またはＣＤＯＷＮは、ＲＳＳパケットを送信するアンテナおよび／またはＲＦチェーンに依存することが可能である。ＳＳＷフィードバックフィールド、ショートＳＳＷフィードバックフィールドにおいて、またはＲＳＳパケットのその他の任意のフィードバックフィールドにおいて選択される／示されるセクタ／ＣＤＯＷＮは、レスポンダの別々のアンテナ／ＲＦチェーンごとに異なることが可能である。
【０１５３】
例えば、特定のＲＦチェーンおよび／またはアンテナを使用してレスポンダによって送信されたＲＳＳパケットにおいては、イニシエータの選択されるＣＤＯＷＮ／セクタは、そのアンテナを使用するＩＳＳ中の受信強度および／または品質に基づいて選ばれることが可能である（例えば、このレスポンダアンテナ／ＲＦチェーンを使用して受信される最も良好なイニシエータセクタ）。
【０１５４】
イニシエータが、ＲＳＳメッセージの１つにおいて選択されたおよび／または示されたＴＸセクタｘを使用して後続のフィードバックメッセージ（例えばＳＳＷフィードバック）を送信した場合には、そのフィードバックメッセージは、レスポンダアンテナおよび／またはＲＦチェーンｊを使用するレスポンダセクタおよび／またはＣＤＯＷＮを選択することが可能であり、その一方でイニシエータセクタｘは、レスポンダアンテナ／ＲＦチェーンｊを使用して送信されたＲＳＳメッセージにおいて選択される／示される。
【０１５５】
イニシエータは、最も良好な品質のＲＳＳメッセージを受信するイニシエータアンテナおよび／またはＲＦチェーンｉを決定することが可能である。それは、アンテナおよび／またはＲＦチェーンｉを使用するイニシエータセクタを示すおよび／または選択する１つまたは複数のＲＳＳメッセージを決定することが可能である。次いでイニシエータは、後続のフィードバックメッセージ（例えばＳＳＷフィードバック）において、これらのＲＳＳメッセージのセクタｉｄおよび／またはＣＤＯＷＮに基づいてレスポンダセクタを選択する。
【０１５６】
イニシエータは、選択されたレスポンダセクタから送信されたＲＳＳメッセージにおいて示されているイニシエータセクタを使用して後続のフィードバックメッセージ（例えばＳＳＷフィードバック）を送信することが可能である。例えば、レスポンダが、別々のレスポンダアンテナから送信された別々のＲＳＳメッセージにおいて複数のイニシエータセクタを選択していることに起因して、レスポンダは、後続のフィードバックメッセージ（例えばＳＳＷフィードバック）を送信するためにどのイニシエータセクタが使用されるか、およびどんな対応するＲｘアンテナをレスポンダが使用するべきであるかが分からない場合がある。レスポンダは、フィードバックメッセージを受信するために、複数のＲＦチェーンおよび／またはアンテナ上でリッスンすることが可能である。
【０１５７】
あるいは、イニシエータは、レスポンダが複数のアンテナを同時に使用してフィードバックメッセージを受信することはできないという知識を有することが可能である。このケースにおいては、イニシエータは、事前に合意されたレスポンダアンテナｘからのセクタをフィードバックメッセージにおいて選択することのみが可能であり、レスポンダは、フィードバックメッセージを受信するために、およびフィードバックメッセージのＡＣＫを送信するためにアンテナｘを使用することのみが可能である。事前に選択されるアンテナは、イニシエータおよびレスポンダの両方によって合意されることが可能であり、送信の前に指定またはシグナリングされることが可能である。
【０１５８】
レスポンダがフィードバックメッセージを受信した後に、それは、そのフィードバックメッセージにおいて選択されているセクタｉｄおよび／またはＣＤＯＷＮに基づいて、その後の通信のために使用されることになるＴｘおよび／またはＲｘアンテナを決定することが可能である。レスポンダは、その他のＲＦチェーンおよび／またはアンテナをオフに切り替えることが可能である。
【０１５９】
いくつかの実施態様においては、レスポンダは、イニシエータからのフィードバックメッセージにおいて選択されているレスポンダセクタに基づいて、異なるアンテナ／ＲＦチェーンへ切り替えることが可能である。例えば、イニシエータがフィードバックメッセージにおいて（例えば、ＳＳＷフィードバックにおいて）レスポンダセクタを示していて、かつその示されているレスポンダセクタが、レスポンダがフィードバックメッセージを受信するために使用しているアンテナｙとは異なるアンテナｘに対応する場合には、レスポンダは、フィードバックメッセージへのＡＣＫ（例えば、ＳＳＷ  ＡＣＫ）を送信するためにアンテナｙからｘへ切り替えることが可能である。
【０１６０】
ＡＣＫメッセージのフィードバックフィールド（例えば、ＳＳＷ  ＡＣＫのＳＳＷフィードバックフィールド）において、レスポンダは、アンテナｘによって受信された最も良好なイニシエータセクタが、ＲＳＳメッセージにおいてレスポンダによって選ばれたイニシエータセクタｚ（すなわち、レスポンダＴＸセクタスイープにおいて使用されたメッセージにおいて示されているイニシエータセクタ）に対応する同じイニシエータアンテナのセクタではない場合には、（レスポンダアンテナｘによって受信された）この最も良好なイニシエータセクタを示さないことを選ぶことが可能である。レスポンダは、セクタｚと同じアンテナ／ＲＦチェーンを使用するイニシエータセクタを選ぶことが可能である。
【０１６１】
図３３は、このコンセプトを示す、イニシエータ３３０５とレスポンダ３３１０との間における例示的なＳＬＳ手順３３００の信号図である。例えば、図３３においては、セクタスイープ３３１５中にレスポンダ３３１０によって全体で最も良好に受信されたＳＳＷフレームは、そのイニシエータセクタをＣＤＯＷＮ＝１（すなわち、セクタｚ）として示しており、レスポンダ３３１０のアンテナｙによって受信された。レスポンダ３３１０のレスポンダアンテナｘによって測定される場合には、最も良好なイニシエータセクタは、ＣＤＯＷＮ＝Ｎによって示されているイニシエータセクタであるように見えるであろう。しかしながら、ＣＤＯＷＮ＝Ｎによって示されているイニシエータセクタは、レスポンダ３３１０によって受信された全体で最も良好なイニシエータセクタではない。
【０１６２】
レスポンダ３３１０は、セクタスイープ３３２０中にＳＳＷフレームをイニシエータ３３０５へ送信し、それは、それぞれのＳＳＷフレームのセクタ選択を１に等しく設定することによって、全体で最も良好なイニシエータセクタ、ＣＤＯＷＮ＝１を示す。ＳＳＷ３３２０中にイニシエータ３３０５によってレスポンダ３３１０から全体で最も良好に受信されたＳＳＷフレームは、ＣＤＯＷＮ＝１を使用するレスポンダセクタを示す。このセクタは、レスポンダアンテナｘに対応する。
【０１６３】
全体で最も良好なイニシエータセクタがレスポンダアンテナｙによって受信されたので、レスポンダ３３１０は、ＳＳＷ−ＦＢＣＫメッセージ３３２５を受信するためにアンテナｙを使用する。ＳＳＷ−ＦＢＣＫメッセージ３３２５を受信することによって、レスポンダ３３１０は、ＣＤＯＷＮ＝１を伴うレスポンダセクタをイニシエータが選択したということを知らされ、それは、レスポンダアンテナｘに属する。したがってレスポンダは、ＳＳＷ−ＡＣＫメッセージ３３３０を送るためにアンテナｙからアンテナｘへ切り替える。しかしながら、レスポンダアンテナｘによって送信されたＳＳＷ−ＡＣＫメッセージ３３３０において、レスポンダ３３１０は、ＣＤＯＷＮ＝Ｎを伴うイニシエータセクタ（すなわち、レスポンダアンテナｘによって受信された最も良好なイニシエータセクタ）を示さず（または選択せず）、むしろ（セクタ選択を０に等しく設定することによって）ＣＤＯＷＮ＝０を伴うイニシエータセクタを示し、それは、ＣＤＯＷＮ＝１を伴うイニシエータセクタ（すなわち、セクタｚ）を送信する同じイニシエータアンテナに対応する。
【０１６４】
この例においては、イニシエータ３３０５は、ＳＳＷ−ＦＢＣＫメッセージ３３２５においてＣＤＯＷＮ＝１／アンテナｘに対応するレスポンダセクタを選択した。なぜなら、それは、報告された最も良好なイニシエータセクタがレスポンダアンテナｙによって測定されたことを知らなかったからである。ＳＳＷ−ＡＣＫメッセージ３３３０においてＣＤＯＷＮ＝０を選択することによって、レスポンダ３３１０は、イニシエータ３３０５が別のアンテナへ切り替える必要性をなくし、両方の側における繰り返されるアンテナ切り替えを回避する。
【０１６５】
いくつかの実施態様においては、ＳＴＡが、別々のアンテナを使用してＴｘおよびＲｘを実行する能力を有することが可能である。例えば、ＳＬＳ手順の前または最中に能力が示されることが可能であり、それによってイニシエータおよび／またはレスポンダは、別々のＴｘアンテナおよびＲｘアンテナをもたらすセクタ選択を回避するために上述の実施態様のうちの１つまたは複数が必要とされるかどうかを知ることになる。
【０１６６】
能力表示は、ＥＤＭＧ能力要素に含まれること、およびその他の能力とともにやり取りされることが可能である。イニシエータとレスポンダとの間における最初のＳＬＳは、この能力のやり取りに関するその後の通信を容易にするために、単一のＲＸアンテナ／ＲＦチェーンのみを用いて実行されることが可能である。能力は、ＳＬＳパケットそのものに含まれることが可能であり、それによってそれは、事前の能力のやり取りを伴わずにＳＬＳプロセスから知られる。
【０１６７】
いくつかの実施態様は、複数の送信アンテナおよび受信アンテナを使用するＳＬＳに関する手順を含むことが可能である。図２４は、イニシエータ２４０５とレスポンダ２４１０との間における例示的なＳＬＳ通信２４００を示す信号図である。イニシエータ２４０５は、それぞれがＮ個のセクタを伴うＮｔｘ個の送信アンテナを使用し、レスポンダ２４１０は、それぞれがＭ個のセクタを伴うＮｒｘ個の受信アンテナを使用する。
【０１６８】
オペレーションの第１のフェーズにおいて、イニシエータ２４０５は、Ｍａｘ（ＣＤＯＷＮ）＝（Ｎ×Ｎｔｘ）個のセクタにわたってフレーム２４１５、２４１６においてレスポンダ２４１０へ測定値を送信する。フレーム２４１５、２４１６は、ＳＳＷフレーム、ショートＳＳＷフレーム、または、ＳＬＳに適しているその他の任意のタイプのフレームであることが可能である。それぞれの数字は、セクタを使用して送信されるフレームに対応する。したがって、フェーズ１においては、２Ｎ個のフレームが送信される。フレーム２４１５、２４１６のセットにおけるそれぞれのフレームは、ＣＤＯＷＮを含む。いくつかの例においては、ＣＤＯＷＮパラメータは、イニシエータ２４０５におけるセクタの合計数にわたってカウントされることが可能である。このケースにおいては、ＣＤＯＷＮパラメータが送信アンテナにおけるセクタの数よりも大きい場合には、レスポンダ２４１０（送信機）は、受信されたＣＤＯＷＮフィードバックに基づいて送信アンテナのインデックス（例えば、ｆｌｏｏｒ（ＣＤＯＷＮ／Ｎｓｅｃｔｏｒｓ））を黙示的に推定することが可能である。いくつかの例においては、ＣＤＯＷＮパラメータは、イニシエータ２４０５におけるそれぞれの送信アンテナにわたってカウントされることが可能である。このケースにおいては、イニシエータ２４０５は、送信アンテナインデックスを送信することも可能であり、それによってレスポンダ２４１０は、使用されている特定の送信アンテナを識別することが可能である。
【０１６９】
イニシエータ２４０５は、ＣＤＯＷＮパラメータを伴うフレームをＮ＿ｒｅｐｅｔｉｔｉｏｎ回送信することが可能である。レスポンダ２４１０が一度に１つのアンテナ上で受信を行うことが可能であるケースにおいては、Ｎ＿ｒｅｐｅｔｉｔｉｏｎは、レスポンダ２４１０の受信アンテナの数に等しいことが可能である。レスポンダ２４１０が一度にＮ＿ｃｏｎｃｕｒｒｅｎｔ＿ａｎｔｅｎｎａｓ個のアンテナ（すなわち、アンテナグループ）上で受信を行うことが可能であるケースにおいては、Ｎ＿ｒｅｐｅｔｉｔｉｏｎは、Ｎ＿ｒｘ／Ｎ＿ｃｏｎｃｕｒｒｅｎｔ＿ａｎｔｅｎｎａｓ（またはｃｅｉｌ（Ｎ＿ｒｘ／Ｎ＿ｃｏｎｃｕｒｒｅｎｔ＿ａｎｔｅｎｎａｓ））に等しいことが可能である。受信中に、レスポンダ２４１０のそれぞれの受信アンテナは、準無指向性受信アンテナビームに設定されることが可能である。例示的なＳＬＳ通信２４００においては、Ｎ＿ｒｅｐｅｔｉｔｉｏｎ＝２であり、フレーム２４１６は、フレーム２４１５の繰り返しとみなされることが可能である。
【０１７０】
レスポンダ２４１０の受信アンテナ（またはアンテナグループ）とイニシエータ２４０５の送信フレームとの間における同期化（すなわち、レスポンダの受信アンテナが、イニシエータの送信フレームが想定するアンテナへ切り替えられるという意味で同期化されること）を容易にするために、下記のアプローチのうちの１つまたは複数が実施されることが可能である。ＣＤＯＷＮパラメータに加えて、繰り返し回数パラメータが、測定フレームのそれぞれのセクションにおいて送信されることが可能である。受信アンテナ（またはアンテナグループ）における変更が実行されるべきであるということを示すための信号が、測定フレームのそれぞれの繰り返しの間に送信されることが可能である。その信号は、例えば、既知のシーケンスを有する信号、既知のシーケンスおよび良好な自己／相互相関プロパティーを有する信号、または測定グループのインデックスを明示的に示す信号などの「ダミー」信号であることが可能である。送信アンテナ／セクタは、測定フレームを送信する際に使用される第１の送信アンテナ／セクタに設定されることが可能である。ダミー信号は、アンテナを切り替えるための信号をＳＴＡが受信することを確実にするために、対応する送信電力（例えばブーストされた電力）を用いてアンテナパターン／アンテナパターンのセットを使用して送信されることが可能であり、その場合、送信機は、準無指向性送信アンテナへ切り替えることが可能であり、または（例えば、オーバーヘッドを低減するために短い持続時間の信号を用いて）全ての送信アンテナ／セクタの全体をスイープすることが可能である。
【０１７１】
例示的なＳＬＳ通信２４００において、イニシエータ２４０５は、第１の繰り返しの後に（すなわち、フレーム２４１５の後に）ダミー信号２４１９をレスポンダ２４１０へ送信し、レスポンダ２４１０は、第１の受信アンテナ（Ｒｘ１）２４２０上で受信を行うことから、第２の受信アンテナ（Ｒｘ２）２４２５上で受信を行うことへ切り替える。
【０１７２】
オペレーションの第２のフェーズにおいて、イニシエータおよびレスポンダの役割は、イニシエータが受信を行うように設定されることが可能であり、かつレスポンダが送信を行うように設定されることが可能であるという意味で、逆にされることが可能である。ここでレスポンダは、レスポンダのＲｘアンテナに対応する最も良好なアンテナ（またはアンテナグループ）と、イニシエータへの送信におけるイニシエータセクタに対応するＣＤＯＷＮインデックスとを示すことも可能である。
【０１７３】
例示的なＳＬＳ通信２４００において、レスポンダ２４１０は、フレーム２４３５、２４３６において測定値をイニシエータ２４０５へ送信する。レスポンダ２４１０は、第１の繰り返しの後に（すなわち、フレーム２４３５の後に）ダミー信号２４３９をイニシエータ２４０５へ送信し、イニシエータ２４０５は、第１の受信アンテナ（Ｒｘ１）２４４０上で受信を行うことから、第２の受信アンテナ（Ｒｘ２）２４４５上で受信を行うことへ切り替える。
【０１７４】
オペレーションの第３のフェーズにおいて、イニシエータは、イニシエータのＲｘアンテナに対応するレスポンダの最も良好なＴｘアンテナ（またはアンテナグループ）を示す、かつレスポンダへの送信におけるレスポンダセクタに対応するＣＤＯＷＮインデックスを示すＳＳＷフィードバックを、例えばＳＳＷ−ＦＢＣＫフレームを使用して、送ることが可能である。
【０１７５】
例示的なＳＬＳ通信２４００において、イニシエータ２４０５は、イニシエータ２４０５のＲｘアンテナのうちの１つまたは複数への送信を行うためのレスポンダ２４１０のＴｘアンテナセクタを示すＳＳＷ−ＦＢＣＫ２４５０をレスポンダ２４１０へ送信する。レスポンダ２４１０の示されるＴｘアンテナセクタは、ＣＤＯＷＮおよびＮ＿ｒｅｐｅｔｉｔｉｏｎの関数として計算されることが可能である。例えば、最も良好なセクタは、繰り返しｍにおけるＣＤＯＷＮの数ｋとして示されることが可能である。
【０１７６】
オペレーションの第４のフェーズにおいて、レスポンダは、例えばＳＳＷ−ＡＣＫフレームを使用して、ＳＳＷフィードバックの受信を確認するメッセージをイニシエータへ送り返すことが可能である。例示的なＳＬＳ通信２４００において、レスポンダ２４１０は、この目的のためにＳＳＷ−ＡＣＫフレーム２４６０をイニシエータ２４０５へ送信する。イニシエータまたはレスポンダに関して送信アンテナおよび受信アンテナにおいてミスマッチがある場合には、ＳＴＡ（イニシエータまたはレスポンダ）が別々のアンテナ上で送信および受信を行うことが可能であるならば、手順は完了である。
【０１７７】
オペレーションの第５のフェーズにおいて、ＳＴＡ（イニシエータまたはレスポンダ）が別々のアンテナ上で送信および受信を行うことが可能でないならば、ＳＳＷ  ＡＣＫフレームは、さらなるＴｘまたはＲｘ  ＳＳＷを求める要求を含むことが可能である。いくつかの例においては、ＳＴＡは、Ｒｘ  ＳＳＷを要求すること、および受信アンテナを、最も良好なＴｘセクタに対応するアンテナに固定することが可能であり、ＳＴＡは、Ｔｘ  ＳＳＷを要求すること、およびＴｘセクタ（またはアンテナ）を、最も良好な送信に対応するセクタ（またはアンテナ）に固定することが可能であり、ＳＴＡは、フィードバックが、オペレーションの第２のフェーズにおける前のフィードバックに対応するアンテナに限定されることを要求することが可能であり、またはセクタおよびアンテナは、最も良好なセットを探して送信および受信アンテナ／セクタにわたって網羅的に探索を行うためにビーム結合ベースのＢＲＰ手順への入力として使用されることが可能である。
【０１７８】
例示的なＳＬＳ通信２４００において、ＳＳＷ−ＡＣＫフレーム２４６０は、Ｒｘ１上に固定されているイニシエータ２４０５の受信アンテナを用いたそのＴｘアンテナのさらなるＳＳＷを求めるレスポンダ２４１０からイニシエータ２４０５への要求を含む。その後に、レスポンダ２４１０は、フレーム２４７５および２４７６を、それぞれのセクタに関して１つ、およびそれぞれのセクタに関するＣＤＯＷＮを含めて送信する。イニシエータ２４０５は、第１の受信アンテナＲｘ１  ２５８０上にロックされて受信を行う。ＳＳＷの後で、イニシエータ２４０５は、ＳＳＷ−ＦＢＣＫメッセージ２５８０においてレスポンダ２４１０の最も良好なＴｘアンテナを示すフィードバックをレスポンダ２４１０へ送信する。
【０１７９】
例えば、前で論じられているセットアップを伴わないＢＲＰフィードバックの問題に対処するために、並列受信が実施されることが可能である。全てのＲＦチェーンを使用して同時に受信を行うことが可能であるＳＴＡに関して、ＢＦトレーニングオーバーヘッドが低減されることが可能である。例えば、様々な手順および詳細なフレームフォーマットを使用して、並列受信チェーンを伴うＢＦトレーニングが実施されることが可能である。
【０１８０】
例えば、ＢＦ  ＳＬＳトレーニングのイニシエータが、ＢＦ  ＳＬＳトレーニングを開始するためにセットアップフレームをレスポンダへ送ることが可能である。セットアップフレームは、ビーコンヘッダインターバル（ＢＨＩ）において送信されるグラントフレーム、ＢＲＰフレーム、または拡張スケジュール要素であることが可能である。セットアップフレーム／要素がＢＨＩにある場合には、レスポンダは、セットアップフレームをイニシエータへ返信しないことが可能である。セットアップフレームは、イニシエータＴＸＳＳに関するセクタの数、レスポンダＴＸＳＳがＳＬＳにおいて必要とされているかどうか、ＴＸＳＳ繰り返し回数、並びに、セットアップフレームおよび後続のトレーニングフレームが同じ割り当てにある場合には、持続時間フィールド設定を含む様々な情報を搬送することが可能である。
【０１８１】
より詳細には、イニシエータＴＸＳＳフィールドに関するセクタの数は、後続のイニシエータＴＸＳＳにおいてスイープされるセクタの数を示すことが可能である。例えば、この数は、別々のアンテナをトレーニングするためのレスポンダに関する繰り返しを伴わないセクタの数であることが可能である。レスポンダＴＸＳＳは、ＳＬＳにおいて必要とされる場合がある。Ｒ−ＴＸＳＳは任意選択である。この例においては、Ｒ−ＴＸＸが存在している。レスポンダＴＸＳＳにおいて、レスポンダは、Ｎ＿ＴＸＳＳ＿Ｒｅｐｅａｔ回にわたってセクタスイープを繰り返すことが可能である。Ｎ＿ＴＸＳＳ＿Ｒｅｐｅａｔの値は、イニシエータによって決定されること、およびセットアップフレームにおいて搬送されることが可能である。セットアップフレームおよび後続のトレーニングフレームが同じ割り当てにある場合には、イニシエータは、イニシエータＴＸＳＳ持続時間と、レスポンダＴＸＳＳ持続時間と、フィードバック持続時間とを含む合計持続時間を推定することによって、割り当て持続時間フィールドを設定することが可能である。イニシエータＴＸＳＳ持続時間は、イニシエータＴＸＳＳ  Ｒｅｐｅａｔに依存することが可能であり、それは、レスポンダによって決定されることが可能である。このケースにおいては、イニシエータは、その値を、レスポンダが並列ＲＸチェーンの数を設定することが可能である場合にはレスポンダの能力に基づいて推定することが可能であり、またはイニシエータは、イニシエータＴＸＳＳ繰り返しが１であるか、もしくは別の適切な（例えば、控えめな）数であると想定することが可能である。イニシエータは、その後にトレーニングフレームにおいて持続時間フィールドを後から上書きすることが可能である。
【０１８２】
ＢＦ  ＳＬＳトレーニングのレスポンダは、セットアップフレームをイニシエータへ送ることが可能である。セットアップフレームは、グラントＡＣＫフレーム、またはＢＲＰフレームであることが可能である。セットアップフレームは、レスポンダＴＸＳＳに関するセクタの数、ＴＸＳＳ繰り返し回数、並びにレスポンダＴＸＳＳにおいて送信されることになるトレーニングフレームおよび／またはシーケンスの合計数を含む様々な情報を搬送することが可能である。
【０１８３】
より詳細には、レスポンダＴＸＳＳフィールドに関するセクタの数は、後続のレスポンダＴＸＳＳにおいてスイープされるセクタの数を示すことが可能である。例えば、この数は、別々の受信アンテナをトレーニングするためのイニシエータに関する繰り返しを伴わないセクタの数であることが可能である。イニシエータＴＸＳＳにおいて、イニシエータは、Ｎ＿ＴＸＳＳ＿Ｒｅｐｅａｔ回セクタスイープを繰り返すことが可能である。Ｎ＿ＴＸＳＳ＿Ｒｅｐｅａｔの値は、レスポンダによって決定されること、およびセットアップフレームにおいて搬送されることが可能である。レスポンダＴＸＳＳにおいて送信されることになるトレーニングフレーム／シーケンスの合計数は、イニシエータから送信されるセットアップフレームにおいて搬送される情報に基づいてレスポンダによって計算されることが可能である。
【０１８４】
イニシエータは、レスポンダから送信されたセットアップフレームにおいて受信された情報に基づいて、イニシエータＴＸＳＳにおいて送信されることになるトレーニングフレーム／シーケンスの合計数を計算することが可能である。イニシエータは、それに従ってトレーニングフレームを送信することが可能である。トレーニングフレームにおいては、レスポンダによって設定されたイニシエータＴＸＳＳ  Ｒｅｐｅａｔフィールドに基づいて持続時間フィールドが更新されることが可能である。イニシエータＴＸＳＳの後に、レスポンダによってレスポンダＴＸＳＳが実行されることが可能である。イニシエータおよびレスポンダは、その後に、必要な情報を互いにフィードバックすることが可能である。
【０１８５】
図２５は、ＢＦトレーニングにおける受信機によって決定される並列ＲＸに関する例示的な手順２５００を示す信号図である。ＢＦ  ＳＬＳトレーニングのイニシエータ２５０５は、ＢＦ  ＳＬＳトレーニングを開始するためにセットアップフレーム２５１５をレスポンダ２５１０へ送ることが可能である。セットアップフレームは、ビーコンヘッダインターバル（ＢＨＩ）において送信されるグラントフレーム、ＢＲＰフレーム、または拡張スケジュール要素であることが可能である。セットアップフレーム／要素がＢＨＩにある場合には、レスポンダは、セットアップフレームをイニシエータへ返信しないことが可能である。セットアップフレームは、イニシエータＴＸＳＳに関するセクタの数、レスポンダＴＸＳＳがＳＬＳにおいて必要とされているかどうか、ＴＸＳＳ繰り返し回数、並びに、セットアップフレームおよび後続のトレーニングフレームが同じ割り当てにある場合には、持続時間フィールド設定を含む様々な情報を搬送することが可能である。例示的な手順２５００においては、セットアップフレーム２５１５は、レスポンダ２５１０がＴＸＳＳを送信することを繰り返すべきである回数を含む。レスポンダ２５１０は、イニシエータ２５０５がＴＸＳＳを送信することを繰り返すべきである回数を含むセットアップフレーム２５２０を送る。イニシエータ２５０５は、セットアップフレーム２５２０に基づく繰り返しの回数を含むＳＳＷフレーム２５２５、２５３０、．．．、２５３５をレスポンダ２５１０へ送信する。レスポンダ２５１０は、セットアップフレーム２５１５に基づく繰り返しの回数を含むＳＳＷフレーム２５４０、２５４５、．．．、２５５０をイニシエータ２５０５へ送信する。
【０１８６】
ＡＰによって決定される並列受信が、ＢＦトレーニングにおいて実施されることが可能である。例えば、ＡＰがイニシエータであり、ＳＴＡがレスポンダである。イニシエータおよびレスポンダは、能力情報をやり取りすることが可能である。並列ＲＸチェーン／アンテナの数（すなわち、同時に受信を行うことが可能であるＲＸチェーンまたはアンテナの数）が、やり取りにおいて能力フィールドにおいてシグナリングされることが可能である。
【０１８７】
ＢＦ  ＳＬＳトレーニングのイニシエータは、ＢＦ  ＳＬＳトレーニングを開始するためにセットアップフレームを送ることが可能である。セットアップフレームは、ビーコンヘッダインターバル（ＢＨＩ）において送信されるグラントフレーム、ＢＲＰセットアップフレーム、または拡張スケジュール要素であることが可能である。最後のケースにおいては、レスポンダは、セットアップフレームをイニシエータへ返信しないことが可能である。セットアップフレームは、レスポンダＴＸＳＳがＳＬＳにおいて必要とされているかどうか、ＴＸＳＳ繰り返し回数、イニシエータＴＸＳＳに関するセクタの数、並びに、セットアップフレームおよび後続のトレーニング時間が同じ割り当てにある場合には、持続時間フィールド設定を含む様々な情報を搬送することが可能である。
【０１８８】
より詳細には、レスポンダＴＸＳＳがＳＬＳにおいて必要とされている場合には、セットアップフレームは、Ｎ＿Ｒｅｓｐｏｎｄｅｒ＿ＴＸＳＳ＿Ｒｅｐｅａｔを示すことが可能であり、すなわち、レスポンダＴＸＳＳにおいて、レスポンダは、Ｎ＿Ｒｅｓｐｏｎｄｅｒ＿ＴＸＳＳ＿Ｒｅｐｅａｔ回にわたってセクタスイープを繰り返すことが可能である。Ｎ＿Ｒｅｓｐｏｎｄｅｒ＿ＴＸＳＳ＿Ｒｅｐｅａｔの値は、イニシエータによって決定されること、およびセットアップフレームにおいて搬送されることが可能である。レスポンダＴＸＳＳが存在しない可能性がある場合には、フィールドは、予備とされることが可能である。
【０１８９】
セットアップフレームは、Ｎ＿Ｉｎｉｔｉａｔｏｒ＿ＴＸＳＳ＿Ｒｅｐｅａｔを示すことが可能であり、すなわち、イニシエータは、例えば能力のやり取りから、レスポンダがサポートすることが可能である並列ＲＸチェーンおよび／またはアンテナの数を決定することが可能である。例えば、レスポンダが、Ｎ＿ｒｘ＿ｃｈａｉｎｓ個の並列ＲＸチェーン／アンテナをサポートすることが可能であって、かつＮ＿ｒｘ個のアンテナをトレーニングすることを意図している場合には、Ｎ＿ｉｎｉｔｉａｔｏｒ＿ＴＸＳＳ＿Ｒｅｐｅａｔ＿ｂａｓｅ＝ｃｅｉｌ（Ｎ＿ｒｘ／Ｎ＿ｒｘ＿ｃｈａｉｎｓ）であり、ここでは、ｃｅｉｌ（ｘ）は、ｘ以上である最小の整数を入手するための関数である。したがって、Ｎ＿ｉｎｉｔｉａｔｏｒ＿ＴＸＳＳ＿Ｒｅｐｅａｔ＿ｂａｓｅの値に基づいて、イニシエータは、Ｎ＿Ｉｎｉｔｉａｔｏｒ＿ＴＸＳＳ＿Ｒｅｐｅａｔの値を選ぶこと、およびそれをセットアップフレームにおいてシグナリングすることが可能である。その値は、イニシエータが後続のイニシエータＴＸＳＳにおいてセクタスイープをＮ＿Ｉｎｉｔｉａｔｏｒ＿ＴＸＳＳ＿Ｒｅｐｅａｔ回繰り返すことが可能であるということを示す。
【０１９０】
セットアップフレームは、イニシエータＴＸＳＳに関するセクタの数を示すことが可能である。このフィールドは、後続のイニシエータＴＸＳＳにおいてスイープされるセクタの数を示すことが可能である。例えば、この数は、別々のアンテナをトレーニングするためのレスポンダに関する繰り返しを伴わないセクタの数であることが可能である。セットアップフレームおよび後続のトレーニングフレームが同じ割り当てにある場合には、イニシエータは、イニシエータＴＸＳＳ持続時間と、レスポンダＴＸＳＳ持続時間と、フィードバック持続時間とを含む合計持続時間を推定することによって、割り当て持続時間を設定することが可能である。
【０１９１】
レスポンダは、セットアップフレームを送信することが可能である。レスポンダセットアップフレームは、レスポンダＴＸＳＳに関するセクタの数を含むことが可能である。このフィールドは、例えば、後続のレスポンダＴＸＳＳが提示された場合にはそれにおいてスイープされるセクタの数を示すことが可能である。例えば、この数は、別々のアンテナをトレーニングするためのレスポンダに関する繰り返しを伴わないセクタの数であることが可能である。さらに、例示的な手順においては、セットアップフレームは、イニシエータＴＸＳＳ、レスポンダＴＸＳＳ、およびフィードバックフェーズによって後続されることが可能である。
【０１９２】
図２６は、ＢＦトレーニングにおけるＡＰによって決定される並列ＲＸに関する例示的な手順２６００を示す信号図である。ＡＰ２６０５は、フレーム２６１５において能力をＳＴＡ２６１０へ送信し、ＳＴＡは、フレーム２６２０において能力をＡＰ２６０５へ送信する。例示的な手順２６００においては、フレーム２６１５および２６２０は、同時に受信を行うことが可能である受信機チェーンまたはアンテナの数を含む。ＡＰ２６０５は、セットアップフレーム２６２５をＳＴＡ２６１０へ送り、ＳＴＡ２６１０は、セットアップフレーム２６３０をＡＰ２６０５へ送る。例示的な手順２６００においては、セットアップフレーム２６２５は、やり取りされる能力情報に基づいて、上述のような、Ｎ＿Ｒｅｓｐｏｎｄｅｒ＿ＴＸＳＳ＿Ｒｅｐｅａｔ、Ｎ＿Ｉｎｉｔｉａｔｏｒ＿ＴＸＳＳ＿Ｒｅｐｅａｔ、およびイニシエータＴＸＳＳに関するセクタの数を示す。例えば、繰り返しは、Ｎ＿ｒｅｐｅａｔ＝Ｎ＿ａｎｔｅｎｎａ／Ｎ＿ｃｏｎｃｕｒｒｅｎｔ＿ａｎｔｅｎｎａｓ、またはその他の任意の適切な関係などの関係に基づいて計算されることが可能である。セットアップフレーム２６３０は、上述のようなレスポンダＴＸＳＳに関するセクタの数を示す。その後に、ＡＰ２６０５は、ＳＳＷフレーム２６５０、２６５５、．．．、２６６０をＳＴＡ２６１０へ送信して、セットアップフレーム２６２５に基づいてＳＳＷを繰り返す。ＳＴＡ２６１０は、ＳＳＷフレーム２６７０、２６７５、．．．、２６８０をＡＰ２６０５へ送信して、セットアップフレーム２６２５に基づいてＳＳＷを繰り返す。
【０１９３】
いくつかの実施態様は、ＴＸＳＳ繰り返しの回数を明示的に設定することを伴わない並列受信機ＢＦトレーニングを含む。いくつかの例においては、イニシエータおよびレスポンダは、能力情報をやり取りすることが可能である。例えば、並列ＲＸチェーンおよび／またはアンテナの数が、能力フィールドにおいてシグナリングされることが可能である。ＢＦ  ＳＬＳトレーニングのイニシエータは、ＢＦ  ＳＬＳトレーニングを開始するためにセットアップフレームを送ることが可能である。セットアップフレームは、例えば、ビーコンヘッダインターバル（ＢＨＩ）において送信されるグラントフレーム、ＢＲＰセットアップフレーム、または拡張スケジュール要素であることが可能である。最後のケースにおいては、レスポンダは、セットアップフレームをイニシエータへ返信しないことが可能である。
【０１９４】
セットアップフレームは、後続のイニシエータＴＸＳＳにおいてスイープされるセクタの数を示すフィールドにおいてイニシエータＴＸＳＳに関するセクタの数を示すことが可能である。例えば、この数は、別々のアンテナをトレーニングするためのレスポンダに関する繰り返しを伴わないセクタの数であることが可能である。セットアップフレームは、セットアップフレームおよび後続のトレーニングフレームが同じ割り当てにある可能性がある場合は、割り当て持続時間を示すことが可能である。イニシエータは、イニシエータＴＸＳＳ持続時間と、レスポンダＴＸＳＳ持続時間と、フィードバック持続時間とを含む合計持続時間を推定することによって、割り当て持続時間を設定することが可能である。推定されるイニシエータＴＸＳＳ持続時間およびレスポンダＴＸＳＳ持続時間は、「並列ＲＸチェーンおよび／またはアンテナの数」能力フィールドに基づくことが可能である。
【０１９５】
レスポンダは、セットアップフレームを送信することが可能であり、それは、「レスポンダＴＸＳＳに関するセクタの数」フィールドを含むことが可能である。このフィールドは、後続のレスポンダＴＸＳＳにおいてスイープされるセクタの数を示すことが可能である。例えば、この数は、別々のアンテナをトレーニングするためのレスポンダに関する繰り返しを伴わないセクタの数であることが可能である。
【０１９６】
イニシエータＴＸＳＳにおいて、イニシエータは、トレーニングフレームを送信することが可能である。イニシエータは、Ｎ個の送信セクタをスイープすること、およびこれをＮ＿Ｉｎｉｔｉａｔｏｒ＿ＴＸＳＳ＿Ｒｅｐｅａｔ回にわたって繰り返すことが可能である。Ｎ＿ｉｎｉｔｉａｔｏｒ＿ＴＸＳＳ＿Ｒｅｐｅａｔは、レスポンダによってサポートされる並列ＲＸチェーン／アンテナの数に基づいて計算されることが可能である。例えば、レスポンダが、Ｎ＿ｒｘ＿ｃｈａｉｎｓ個の並列ＲＸチェーン／アンテナをサポートすることが可能であって、かつトレーニングを行うためにＮ＿ｒｘ個のアンテナをトレーニングすることを意図している可能性がある場合には、Ｎ＿ｉｎｉｔｉａｔｏｒ＿ＴＸＳＳ＿Ｒｅｐｅａｔ＝ｃｅｉｌ（Ｎ＿ｒｘ／Ｎ＿ｒｘ＿ｃｈａｉｎｓ）である。ここでは、ｃｅｉｌ（ｘ）は、ｘ以上である最小の整数を入手するための関数である。
【０１９７】
レスポンダＴＸＳＳ（存在している場合）において、レスポンダは、トレーニングフレームを送信することが可能である。レスポンダは、Ｎ個の送信セクタをスイープすること、およびこれをＮ＿ｒｅｓｐｏｎｄｅｒ＿ＴＸＳＳ＿Ｒｅｐｅａｔ回にわたって繰り返すことが可能である。Ｎ＿ｒｅｓｐｏｎｄｅｒ＿ＴＸＳＳ＿Ｒｅｐｅａｔは、イニシエータによってサポートされる並列ＲＸチェーン／アンテナの数に基づいて計算されることが可能である。例えば、イニシエータが、Ｎ＿ｒｘ＿ｃｈａｉｎｓ個の並列ＲＸチェーン／アンテナをサポートすることが可能であって、かつトレーニングを行うためにＮ＿ｒｘ個のアンテナをトレーニングすることを意図している可能性がある場合には、Ｎ＿ｒｅｓｐｏｎｄｅｒ＿ＴＸＳＳ＿Ｒｅｐｅａｔ＝ｃｅｉｌ（Ｎ＿ｒｘ／Ｎ＿ｒｘ＿ｃｈａｉｎｓ）である。ここでは、ｃｅｉｌ（ｘ）は、ｘ以上である最小の整数を入手するための関数である。イニシエータおよびレスポンダは、フィードバックフレームを送信することも可能である。
【０１９８】
図２７は、ＢＦトレーニングにおけるイニシエータによって決定される並列ＲＸに関する例示的な手順を示す信号図である。この手順においては、ＡＰがイニシエータであり、ＳＴＡがレスポンダである。いくつかの例は、並列Ｒｘ能力を含む。例えば、ＥＤＭＧ  ＳＴＡは、複数のＲｘアンテナを使用して同時に受信を行う能力をそれが有するかどうかを示すことが可能である。いくつかの実施態様においては、ＥＤＭＧ  ＳＴＡは、ＤＭＧ能力フィールドを修正および再解釈することによって複数のＲｘアンテナを使用して同時に受信を行う能力をそれが有するかどうかを示すことが可能である。現在のＤＭＧ  ＳＴＡ能力情報フィールドは、「Ｒｘ  ＤＭＧアンテナの数」サブフィールドを含む。このサブフィールドは、このフィールドを送信しているＳＴＡがＥＤＭＧ  ＳＴＡである場合には、並列Ｒｘ  ＤＭＧアンテナの数として再解釈されることが可能である。
【０１９９】
図２７は、ＴＸＳＳ繰り返しの回数を明示的に設定することを伴わない並列受信機ＢＦトレーニングに関する例示的な手順２７００を示している。ＡＰ２７０５は、フレーム２７１５において能力をＳＴＡ２７１０へ送信し、ＳＴＡは、フレーム２７２０において能力をＡＰ２７０５へ送信する。例示的な手順２７００においては、フレーム２７１５および２７２０は、同時に受信を行うことが可能である受信機チェーンまたはアンテナの数を含む。ＡＰ２７０５は、セットアップフレーム２７２５をＳＴＡ２７１０へ送り、ＳＴＡ２７１０は、セットアップフレーム２７３０をＡＰ２７０５へ送る。例示的な手順２７００においては、セットアップフレーム２７２５は、上述のような、イニシエータＴＸＳＳに関するセクタの数を示す。セットアップフレーム２７３０は、上述のようなレスポンダＴＸＳＳに関するセクタの数を示す。その後に、ＡＰ２７０５は、ＳＳＷフレーム２７５０、２７５５、．．．、２７６０をＳＴＡ２７１０へ送信して、能力フィールド２７２０において示されている同時に受信を行うことが可能である受信機チェーンまたはアンテナの数に基づいて黙示的に決定されるイニシエータＴＸＳＳ  Ｒｅｐｅａｔに基づいてＳＳＷを繰り返す。ＳＴＡ２７１０は、ＳＳＷフレーム２７７０、２７７５、．．．、２７８０をＡＰ２７０５へ送信して、能力フィールド２７１５において示されている同時に受信を行うことが可能である受信機チェーンまたはアンテナの数に基づいて黙示的に決定されるレスポンダＴＸＳＳ  Ｒｅｐｅａｔに基づいてＳＳＷを繰り返す。
【０２００】
いくつかの実施態様においては、ＥＤＭＧ  ＳＴＡは、複数のＲｘアンテナを使用して同時に受信を行う能力をそれが有するかどうかを示すことが可能である。いくつかの例においては、ＤＭＧ能力フィールドが、この能力を示すように修正されることが可能である。例えば、ＥＤＭＧ能力要素におけるＤＭＧ  ＳＴＡ能力情報フィールドのレガシーの「Ｒｘ  ＤＭＧアンテナの数」サブフィールドは、このフィールドを送信しているＳＴＡがＥＤＭＧ  ＳＴＡである場合には、この目的のために修正および再解釈されることが可能である。
【０２０１】
いくつかの例においては、「並列Ｒｘ  ＤＭＧアンテナの数」フィールドが、ＥＤＭＧ能力要素に加えられることが可能である。ＭＩＭＯフィールド用に新たな能力ＩＤが指定されることが可能であり、またはマルチＢＦ能力ＩＤが再利用されることが可能である。いくつかの例においては、３ビットの「並列Ｒｘ  ＤＭＧアンテナの数」フィールドが、ＭＩＭＯフィールドにおいて定義されることが可能である。別の例においては、既存のビームフォーミングフィールドが、３ビットの「並列Ｒｘ  ＤＭＧアンテナの数」フィールドを搬送するように修正されることが可能である。例えば、既存のビームフォーミング能力フィールドは、使用されることが可能である７つの予備ビットを有する。３ビットの「並列Ｔｘ  ＤＭＧアンテナの数」も、能力フィールドにおいて定義されることが可能である。あるいは、３ビットの「並列Ｒｘ  ＤＭＧアンテナの数」フィールドは、１ビットの「並列Ｒｘ」フィールドによって置き換えられることが可能である。このビットが１に設定されている場合には、ＳＴＡは、自分のＲＦチェーンのうちの全てを使用して受信を行えることが可能である。
【０２０２】
図２８は、ＭＩＭＯフィールドに関する新たな能力ＩＤに関する例示的な仕様を示す表である。図２９は、マルチＢＦ能力ＩＤ２９００の例示的な再利用を示すビットマップである。マルチＢＦ能力ＩＤ２９００は、「並列Ｒｘ  ＤＭＧチェーン／アンテナの数」フィールド２９１０、並列Ｔｘ  ＤＭＧチェーン／アンテナの数２９２０、および予備フィールド２９３０を含む。
【０２０３】
いくつかの実施態様は、グラントおよび／またはグラントＡＣＫに関する修正されたＢＦ制御フィールドを含む。ＢＦ制御フィールドは、グラントおよび／またはグラントＡＣＫフレームにおいて搬送されることが可能である。グラントおよび／またはグラントＡＣＫフレームは、それぞれＢＦトレーニングおよび／またはＳＬＳトレーニング機会を確保および／または許可するために使用されることが可能である。例えば、ＩｓＩｎｉｔｉａｔｏｒＴＸＳＳおよびＩｓＲｅｓｐｏｎｄｅｒＴＸＳＳサブフィールドの両方が１に等しく、かつＢＦ制御フィールドがグラントまたはグラントＡＣＫフレームにおいて送信される場合には、ＢＦ制御フィールドは、修正されることが可能である。
【０２０４】
図３０は、例示的な修正されたＢＦ制御フィールド３０００を示すビットマップである。修正されたＢＦ制御フィールド３０００は、ビームフォーミングトレーニングフィールド３０１０、ＩｓＩｎｉｔｉａｔｏｒＴＸＳＳフィールド３０２０、ＩｓＲｅｓｐｏｎｄｅｒＴＸＳＳフィールド３０３０、「セクタの数」フィールド３０４０、ＴＸＳＳ  Ｒｅｐｅａｔフィールド３０５０、ＴＸＳＳ  Ｒｅｐｅａｔフィールド３０６０、ＥＤＭＧフィールド３０６０、および予備フィールド３０７０を含む。
【０２０５】
修正されたＢＦ制御フィールド３０００においては、レガシーの予備ビットが、ＥＤＭＧビット３０６０として使用されることが可能である。ＥＤＭＧビット３０６０が０に設定されている場合には、ＢＦ制御フィールド３０００は、レガシーの制御フィールドから修正されないものとして機能することが可能である。ＥＤＭＧビット３０６０が１に設定されている場合には、レガシーのバージョンにおいて存在していた２ビットの「Ｒｘ  ＤＭＧアンテナの数」フィールドが存在しないことが可能であり、ＴＸＳＳ  Ｒｅｐｅａｔフィールド３０５０（例えば、３ビットを有する）が加えられることが可能である。
【０２０６】
いくつかの例においては、ＢＦ制御フィールド３０００がグラントフレームにおいて送信される場合には、「セクタの数」フィールド３０４０は、イニシエータＴＸＳＳ中にイニシエータが使用するセクタの数を示す。ＢＦ制御フィールド３０００がグラントＡＣＫフレームにおいて送信される場合には、「セクタの数」フィールド３０４０は、レスポンダＴＸＳＳ中にレスポンダが使用するセクタの数を示す。両方の例示的なケースにおいては、使用されるセクタの合計数は、このフィールドの値＋１に等しいことが可能である。
【０２０７】
いくつかの例においては、ＢＦ制御フィールド３０００は、グラントフレームにおいて送信される。例えば、グラントフレームの送信機は、イニシエータであることが可能であり、グラントフレームの受信機は、レスポンダであることが可能である。別の例においては、ＡＰが、ＴＸＯＰを２つの非ＡＰ  ＳＴＡに許可することが可能である。非ＡＰ  ＳＴＡのうちの一方が、ＢＦトレーニングのイニシエータであることが可能であり、非ＡＰ  ＳＴＡのうちの他方が、レスポンダであることが可能であり、ＴＸＳＳ  Ｒｅｐｅａｔフィールド３０５０（例えば、値＋１）は、レスポンダＴＸＳＳにおいてスイープされるセクタが繰り返されることが可能である回数を示すことが可能である。ＢＦ制御フィールド３０００がグラントＡＣＫフレームにおいて送信される場合には、ＴＸＳＳ−Ｒｅｐｅａｔフィールド３０５０（例えば、値＋１）は、イニシエータＴＸＳＳにおいてスイープされるセクタが繰り返されることが可能である回数を示すことが可能である。
【０２０８】
ＥＤＭＧフィールド３０６０が１に設定されている場合には、イニシエータ／レスポンダＴＸＳＳ中にイニシエータ／レスポンダが使用するセクタの合計数は、（セクタの数＋１）＊（ＴＸＳＳ  Ｒｅｐｅａｔ＋１）であることが可能である。イニシエータおよびレスポンダは、能力のやり取りから並列ＲＸチェーンの数に関する情報を取得すること、およびそれに従ってＴＸＳＳ  Ｒｅｐｅａｔ３０５０を設定することが可能である。ＢＦ制御フィールド３０００においては、イニシエータによって送信されるＴＸＳＳ  Ｒｅｐｅａｔフィールド３０５０は、レスポンダＴＸＳＳに関する繰り返し回数を設定するために使用されることが可能であり、レスポンダによって送信されるＴＸＳＳ  Ｒｅｐｅａｔフィールド３０５０は、イニシエータＴＸＳＳに関する繰り返し回数を設定するために使用されることが可能である。
【０２０９】
別の例においては、イニシエータによって送信されるＴＸＳＳ  Ｒｅｐｅａｔフィールド３０５０は、イニシエータＴＸＳＳに関する繰り返し回数を設定するために使用されることが可能であり、レスポンダによって送信されるＴＸＳＳ  Ｒｅｐｅａｔフィールド３０５０は、レスポンダＴＸＳＳに関する繰り返し回数を設定するために使用されることが可能である。
【０２１０】
あるいは、グラントフレームに関しては、セクタの数およびＴＸＳＳ  Ｒｅｐｅａｔをシグナリングするために、ＢＦ制御フィールド３０００および制御トレーラにおける予備ビットがともに使用されることが可能である。このアプローチは、より多くのビットが使用されることを可能にすることができる。例えば、１１ビットがセクタの数に、および３ビットがＴＸＳＳ  Ｒｅｐｅａｔに割り振られることが可能である。グラントＡＣＫフレームに関しては、制御トレーラは定義されない。しかしながら、セクタの数およびＴＸＳＳ  Ｒｅｐｅａｔをシグナリングするために、ＢＦ制御フィールド３０００における予備ビット、およびグラントＡＣＫフレームにおける予備ビット（例えば、５ビット）が使用されることが可能である。このアプローチは、より多くのビットが使用されることを可能にすることができる。例えば、１１ビットがセクタの数に、および３ビットがＴＸＳＳ  Ｒｅｐｅａｔに割り振られることが可能である。
【０２１１】
いくつかの例は、グラントフレームに関する修正された制御トレーラを提供する。いくつかの例においては、グラントフレームによって搬送されるＢＦ制御フィールドが修正されることが可能であり、あるいは、グラントフレームによって搬送される制御トレーラが、以降でさらに論じられているように修正されることが可能である。その他の例においては、グラントフレームは、ＭＡＣボディーにおいて搬送されるＢＦ制御フィールド、およびＰＰＤＵに付加される制御トレーラの両方を修正することによって修正されることが可能である。このアプローチを使用して、いくつかの情報がＢＦ制御フィールドにおいて送信されることが可能であり、いくつかの情報が制御トレーラにおいて送信されることが可能である。
【０２１２】
グラントフレームに関して定義される例示的な制御トレーラは、３０個の予備ビットを含むことが可能である。一例においては、ＴＸＳＳ  Ｒｅｐｅａｔ用に３ビット、または６ビットが使用されることが可能である。ＴＸＳＳ  Ｒｅｐｅａｔフィールドは、ＢＦトレーニング割り当て、ＴＸＳＳに関するセクタの数（すなわち、後続のイニシエータＴＸＳＳにおいてスイープされるセクタの数）を許可するためにグラントフレームが使用されることが可能であるということを示すことが可能である。いくつかの例においては、この数は、別々のアンテナをトレーニングするためのレスポンダに関する繰り返しを伴わないセクタの数、レスポンダＴＸＳＳにおいてスイープされるセクタが繰り返されることが可能である回数、および／またはイニシエータＴＸＳＳにおいてスイープされるセクタが繰り返されることが可能である回数である。
【０２１３】
いくつかの実施態様は、拡張スケジュール要素に関する修正されたＢＦ制御フィールドを提供する。いくつかの例においては、修正されたＢＦ制御フィールドは、拡張スケジュール要素において搬送されることが可能であり、それは、ＢＦトレーニングおよび／またはＳＬＳトレーニング機会を確保および／または許可するために使用されることが可能である。拡張スケジュール要素においては６つの予備ビットがあることが可能であり、フレームが、ＴＸＳＳ  Ｒｅｐｅａｔ用のいくつかのビットを含むように修正されることが可能である。例示的な修正オプションは、１イニシャルＴＸＳＳ  Ｒｅｐｅａｔビットフィールド、３イニシャルＴＸＳＳ  Ｒｅｐｅａｔビットフィールド、１レスポンダＴＸＳＳ  Ｒｅｐｅａｔビットフィールド、３レスポンダＴＸＳＳ  Ｒｅｐｅａｔビットフィールド、または既存の６ビットのＲＸＳＳ長さフィールドの修正を含む。
【０２１４】
１イニシャルＴＸＳＳ  Ｒｅｐｅａｔビットフィールドは、最初のＴＸＳＳが繰り返されることが可能であるかまたは可能でないかを示すことが可能である。３イニシャルＴＸＳＳ  Ｒｅｐｅａｔビットフィールドは、最初のＴＸＳＳが繰り返されることが可能であるかまたは可能でないかと、繰り返される場合には、繰り返される回数とを示すことが可能である。１レスポンダＴＸＳＳ  Ｒｅｐｅａｔビットフィールドは、レスポンダＴＸＳＳが繰り返されることが可能であるかまたは可能でないかを示すことが可能である。３レスポンダＴＸＳＳ  Ｒｅｐｅａｔフィールドは、レスポンダＴＸＳＳが繰り返されることが可能であるかまたは可能でないかと、繰り返される場合には、繰り返される回数とを示すことが可能である。修正された６ビットのＲＸＳＳ長さフィールドは、「セクタの数」フィールドと再解釈されることが可能であり、それは、（例えば、繰り返しを伴わない）ＴＸＳＳセクタの数を示すことが可能である。６ビットが不十分であるケースにおいては、いくつかの予備ビットが使用されることも可能である。この例においては６ビットが再解釈されるので、６ビットがＲＸＳＳ長さフィールド用であるか、またはＴＸＳＳパケットフィールド用であるかを示すために、１つの予備ビットが使用されることが可能である。これらの修正のうちの１つまたは複数は、スケジュールされたＢＦトレーニング割り当てにおける並列Ｒｘを可能にするために使用されることが可能である。図３１は、拡張スケジュール要素に関する例示的な修正されたＢＦ制御フィールドフォーマット３１００を示すビットマップである。修正されたＢＦ制御フィールドフォーマット３１００は、ビームフォーミングトレーニングフィールド３１１０、ＩｓＩｎｉｔｉａｔｏｒＴＸＳＳフィールド３１２０、ＩｓＲｅｓｐｏｎｄｅｒＴＸＳＳフィールド３１３０、ＲＸＳＳ長さフィールド３１４０、ＲＸＳＳ  ＴｘＲａｔｅフィールド３１５０、ＴＸＳＳ  Ｒｅｐｅａｔフィールド３１６０、および予備フィールド３０７０を含む。予備フィールドは、いくつかの例においては３、４、もしくは５ビットを、またはいかなる適切な任意の数のビットも有することが可能である。
【０２１５】
本明細書における様々な特徴および要素が、特定の組合せで記述されているが、それぞれの特徴または要素は、好ましい実施形態のその他の特徴および要素を伴わずに単独で、または本明細書において開示されているその他の特徴および要素を伴って、もしくは伴わずに様々な組合せで使用されることが可能である。本明細書において記述されているソリューションは、ＩＥＥＥ８０２．１１に固有のプロトコルに関して記述されているが、本明細書において記述されているソリューションは、ＩＥＥＥ８０２．１１の用途に限定されず、他の無線システムおよびその他にも適用可能であるということが理解される。
【０２１６】
特徴および要素が特定の組合せで上述されているが、それぞれの特徴または要素は、単独で、またはその他の特徴および要素との任意の組合せで使用されることが可能であるということを当技術分野における標準的な技術者なら理解するであろう。加えて、本明細書において記述されている方法は、コンピュータまたはプロセッサによって実行するためにコンピュータ可読媒体に組み込まれているコンピュータプログラム、ソフトウェア、またはファームウェアで実施されることが可能である。コンピュータ可読媒体の例は、（有線接続または無線接続を介して送信される）電子信号、およびコンピュータ可読記憶媒体を含む。コンピュータ可読記憶媒体の例は、ＲＯＭ、ＲＡＭ、レジスタ、キャッシュメモリ、半導体メモリデバイス、内蔵ハードディスクおよびリムーバブルディスクなどの磁気媒体、光磁気媒体、並びに、ＣＤ−ＲＯＭディスクおよびデジタル多用途ディスク（ＤＶＤ）などの光媒体を含むが、それらには限定されない。無線送受信ユニットＷＴＲＵ、ＵＥ、端末、基地局、ＲＮＣ、または任意のホストコンピュータにおいて使用するための無線周波数トランシーバを実施するために、ソフトウェアに関連付けられているプロセッサが使用されることが可能である。
【図１Ａ】
2020526971.tif 000003
【図１Ｂ】
2020526971.tif 000004
【図１Ｃ】
2020526971.tif 000005
【図１Ｄ】
2020526971.tif 000006
【図２】
2020526971.tif 000007
【図３】
2020526971.tif 000008
【図４】
2020526971.tif 000009
【図５】
2020526971.tif 000010
【図６】
2020526971.tif 000011
【図７】
2020526971.tif 000012
【図８】
2020526971.tif 000013
【図９】
2020526971.tif 000014
【図１０】
2020526971.tif 000015
【図１１】
2020526971.tif 000016
【図１２】
2020526971.tif 000017
【図１３】
2020526971.tif 000018
【図１４】
2020526971.tif 000019
【図１５】
2020526971.tif 000020
【図１６】
2020526971.tif 000021
【図１７】
2020526971.tif 000022
【図１８】
2020526971.tif 000023
【図１９】
2020526971.tif 000024
【図２０】
2020526971.tif 000025
【図２１Ａ】
2020526971.tif 000026
【図２１Ｂ】
2020526971.tif 000027
【図２２】
2020526971.tif 000028
【図２３】
2020526971.tif 000029
【図２４】
2020526971.tif 000030
【図２５】
2020526971.tif 000031
【図２６】
2020526971.tif 000032
【図２７】
2020526971.tif 000033
【図２８】
2020526971.tif 000034
【図２９】
2020526971.tif 000035
【図３０】
2020526971.tif 000036
【図３１】
2020526971.tif 000037
【図３２】
2020526971.tif 000038
【図３３】
2020526971.tif 000039
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
ビームフォーミング（ＢＦ）トレーニングのために構成されている無線送受信ユニット（ＷＴＲＵ）であって、
それぞれが複数のアンテナセクタを有する複数のアンテナと、
イニシエータデバイスの送信アンテナセクタをそれぞれが示すセクタスイープ（ＳＳＷ）トレーニングフレームを、それぞれが複数のアンテナセクタを有する複数のアンテナを備える前記イニシエータデバイスから受信するように構成されている受信機と、
前記イニシエータデバイスの最も良好に受信された送信アンテナセクタを示すＳＳＷトレーニングフレームを前記イニシエータデバイスへ送信するように構成されている送信機と
を含み、
前記受信機は、前記ＷＴＲＵの最も良好に受信された送信アンテナセクタを示すセクタスイープフィードバック（ＳＳＷ  ＦＢ）フレームを前記イニシエータデバイスから受信するように構成されており、
前記送信機は、前記ＳＳＷトレーニングフレームにおいて示されている前記イニシエータデバイスの最も良好に受信された送信アンテナセクタに対応するアンテナが、前記イニシエータデバイスから前記ＳＳＷトレーニングフレームを最も良好に受信した同じアンテナであるという条件で、前記ＳＳＷトレーニングフレームにおいて示されている前記イニシエータデバイスの最も良好に受信された送信アンテナセクタに対応する前記アンテナを使用して、または前記ＳＳＷ  ＦＢフレームにおいて示されている前記ＷＴＲＵの最も良好に受信された送信アンテナセクタに対応するアンテナが、前記イニシエータデバイスから前記ＳＳＷトレーニングフレームを最も良好に受信した同じアンテナではないという条件で、前記ＳＳＷ  ＦＢフレームにおいて示されている前記ＷＴＲＵの最も良好に受信された送信アンテナセクタに対応する前記アンテナを使用して、セクタスイープ肯定応答（ＳＳＷ  ＡＣＫ）フレームを前記イニシエータデバイスへ送信するように構成されている、
ＷＴＲＵ。
【請求項２】
前記ＷＴＲＵはレスポンダデバイスを含む、請求項１のＷＴＲＵ。
【請求項３】
前記ＷＴＲＵはワイヤレスステーション（ＳＴＡ）を含む、請求項１のＷＴＲＵ。
【請求項４】
前記イニシエータデバイスは無線アクセスポイント（ＡＰ）を含む、請求項１のＷＴＲＵ。
【請求項５】
前記ＳＳＷ  ＦＢフレームはショートＳＳＷ  ＦＢフレームを含む、請求項１のＷＴＲＵ。
【請求項６】
それぞれが複数のアンテナセクタを有する複数のアンテナを備えるＷＴＲＵにおけるビームフォーミング（ＢＦ）トレーニングのための方法であって、
イニシエータデバイスの送信アンテナセクタをそれぞれが示すセクタスイープ（ＳＳＷ）トレーニングフレームを、それぞれが複数のアンテナセクタを有する複数のアンテナを備える前記イニシエータデバイスから受信するステップと、
前記イニシエータデバイスの最も良好に受信された送信アンテナセクタを示すＳＳＷトレーニングフレームを前記イニシエータデバイスへ送信するステップと、
前記ＷＴＲＵの最も良好に受信された送信アンテナセクタを示すセクタスイープフィードバック（ＳＳＷ  ＦＢ）フレームを前記イニシエータデバイスから受信するステップと、
前記ＳＳＷトレーニングフレームにおいて示されている前記イニシエータデバイスの最も良好に受信された送信アンテナセクタに対応するアンテナが、前記イニシエータデバイスから前記ＳＳＷトレーニングフレームを最も良好に受信した同じアンテナであるという条件で、前記ＳＳＷトレーニングフレームにおいて示されている前記イニシエータデバイスの最も良好に受信された送信アンテナセクタに対応する前記アンテナを使用して、または前記ＳＳＷ  ＦＢフレームにおいて示されている前記ＷＴＲＵの最も良好に受信された送信アンテナセクタに対応するアンテナが、前記イニシエータデバイスから前記ＳＳＷトレーニングフレームを最も良好に受信した同じアンテナではないという条件で、前記ＳＳＷ  ＦＢフレームにおいて示されている前記ＷＴＲＵの最も良好に受信された送信アンテナセクタに対応する前記アンテナを使用して、セクタスイープ肯定応答（ＳＳＷ  ＡＣＫ）フレームを前記イニシエータデバイスへ送信するステップと
を含む方法。
【請求項７】
前記ＷＴＲＵはレスポンダデバイスを含む、請求項６の方法。
【請求項８】
前記ＷＴＲＵはワイヤレスステーション（ＳＴＡ）を含む、請求項６の方法。
【請求項９】
前記イニシエータデバイスは無線アクセスポイント（ＡＰ）を含む、請求項６の方法。
【請求項１０】
前記ＳＳＷ  ＦＢフレームはショートＳＳＷ  ＦＢフレームを含む、請求項６の方法。
【請求項１１】
ビームフォーミング（ＢＦ）トレーニングのために構成されている無線送受信ユニット（ＷＴＲＵ）であって、
それぞれが複数のアンテナセクタを有する複数のアンテナと、
前記ＷＴＲＵの送信アンテナセクタをそれぞれが示すセクタスイープ（ＳＳＷ）トレーニングフレームを、それぞれが複数のアンテナセクタを有する複数のアンテナを備えるレスポンダデバイスへ送信するように構成されている送信機と、
前記ＷＴＲＵの最も良好に受信された送信アンテナセクタを示すＳＳＷトレーニングフレームを前記レスポンダデバイスから受信するように構成されている受信機と
を含み、
前記送信機は、前記レスポンダデバイスの最も良好に受信された送信アンテナセクタを示すセクタスイープフィードバック（ＳＳＷ  ＦＢ）フレームを前記レスポンダデバイスへ送信するように構成されており、
前記受信機は、前記ＳＳＷトレーニングフレームにおいて示されている前記ＷＴＲＵの最も良好に受信された送信アンテナセクタに対応するアンテナが、前記ＷＴＲＵから前記ＳＳＷトレーニングフレームを最も良好に受信した同じアンテナであるという条件で、前記ＳＳＷトレーニングフレームにおいて示されている前記ＷＴＲＵの最も良好に受信された送信アンテナセクタに対応する前記アンテナを使用して、または前記ＳＳＷ  ＦＢフレームにおいて示されている前記レスポンダデバイスの最も良好に受信された送信アンテナセクタに対応するアンテナが、前記ＷＴＲＵから前記ＳＳＷトレーニングフレームを最も良好に受信した同じアンテナではないという条件で、前記ＳＳＷ  ＦＢフレームにおいて示されている前記レスポンダデバイスの最も良好に受信された送信アンテナセクタに対応する前記アンテナを使用して、前記レスポンダデバイスによって送信されたセクタスイープ肯定応答（ＳＳＷ  ＡＣＫ）フレームを前記レスポンダデバイスから受信するように構成されている、
ＷＴＲＵ。
【請求項１２】
前記ＷＴＲＵはイニシエータデバイスを含む、請求項１１のＷＴＲＵ。
【請求項１３】
前記レスポンダデバイスはワイヤレスステーション（ＳＴＡ）を含む、請求項１１のＷＴＲＵ。
【請求項１４】
前記ＷＴＲＵは無線アクセスポイント（ＡＰ）を含む、請求項１１のＷＴＲＵ。
【請求項１５】
前記ＳＳＷ  ＦＢフレームはショートＳＳＷ  ＦＢフレームを含む、請求項１１のＷＴＲＵ。
【請求項１６】
それぞれが複数のアンテナセクタを有する複数のアンテナを備えるＷＴＲＵにおけるビームフォーミング（ＢＦ）トレーニングのための方法であって、
前記ＷＴＲＵの送信アンテナセクタをそれぞれが示すセクタスイープ（ＳＳＷ）トレーニングフレームを、それぞれが複数のアンテナセクタを有する複数のアンテナを備えるレスポンダデバイスへ送信するステップと、
前記ＷＴＲＵの最も良好に受信された送信アンテナセクタを示すＳＳＷトレーニングフレームを前記レスポンダデバイスから受信するステップと、
前記レスポンダデバイスの最も良好に受信された送信アンテナセクタを示すセクタスイープフィードバック（ＳＳＷ  ＦＢ）フレームを前記レスポンダデバイスへ送信するステップと、
前記ＳＳＷトレーニングフレームにおいて示されている前記ＷＴＲＵの最も良好に受信された送信アンテナセクタに対応するアンテナが、前記ＷＴＲＵから前記ＳＳＷトレーニングフレームを最も良好に受信した同じアンテナであるという条件で、前記ＳＳＷトレーニングフレームにおいて示されている前記ＷＴＲＵの最も良好に受信された送信アンテナセクタに対応する前記アンテナを使用して、または前記ＳＳＷ  ＦＢフレームにおいて示されている前記レスポンダデバイスの最も良好に受信された送信アンテナセクタに対応するアンテナが、前記ＷＴＲＵから前記ＳＳＷトレーニングフレームを最も良好に受信した同じアンテナではないという条件で、前記ＳＳＷ  ＦＢフレームにおいて示されている前記レスポンダデバイスの最も良好に受信された送信アンテナセクタに対応する前記アンテナを使用して、前記レスポンダデバイスによって送信されたセクタスイープ肯定応答（ＳＳＷ  ＡＣＫ）フレームを前記レスポンダデバイスから受信するステップと
を含む方法。
【請求項１７】
前記ＷＴＲＵはイニシエータデバイスを含む、請求項１６の方法。
【請求項１８】
前記レスポンダデバイスはワイヤレスステーション（ＳＴＡ）を含む、請求項１６の方法。
【請求項１９】
前記ＷＴＲＵは無線アクセスポイント（ＡＰ）を含む、請求項１６の方法。
【請求項２０】
前記ＳＳＷ  ＦＢフレームはショートＳＳＷ  ＦＢフレームを含む、請求項１６の方法。
【国際調査報告】
2020526971.tif 000040
2020526971.tif 000041